(57)【要約】  本技術は、検出画像の解像度を制御することができるようにする撮像装置および方法、並びに、画像処理装置および方法に関する。解像度を設定し、撮像レンズ及びピンホールのいずれも介さずに入射する入射光を受光し、その入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列を、設定された解像度に応じて設定する。本開示は、例えば、撮像装置、画像処理装置、情報処理装置、電子機器、コンピュータ、プログラム、記憶媒体、システム等に適用することができる。
2019078340.tif 000002
【特許請求の範囲】
【請求項１】
撮像レンズ及びピンホールのいずれも介さずに入射する入射光を受光し、前記入射光の入射角によって変調された出力画素値を示す検出信号をそれぞれ１つ出力する複数の画素出力単位を備える撮像素子と、
前記撮像素子の各画素出力単位の出力画素値を選択的に読み出す読み出し制御部と
を備える撮像装置。
【請求項２】
前記読み出し制御部は、前記撮像素子の前記複数の画素出力単位のうち、一部の画素単位出力を選択し、選択した前記画素出力単位の出力画素値を読み出す
請求項１に記載の撮像装置。
【請求項３】
前記読み出し制御部は、前記撮像素子の前記複数の画素出力単位のうち、任意の位置の一部の画素出力単位を選択する
請求項２に記載の撮像装置。
【請求項４】
前記読み出し制御部は、前記出力画素値の、被写体からの入射光の入射角に対する指向性を示す入射角指向性について、選択した画素出力単位の全体が、前記撮像素子の全画素出力単位と同等の前記入射角指向性をもつように、画素出力単位を選択する
請求項３に記載の撮像装置。
【請求項５】
前記読み出し制御部は、前記撮像素子の前記複数の画素出力単位のうち、所定の規則性を有する位置関係にある一部の画素出力単位を選択する
請求項２に記載の撮像装置。
【請求項６】
前記出力画素値の、被写体からの入射光の入射角に対する指向性を示す入射角指向性について、前記撮像素子の、前記読み出し制御部により選択される前記規則性を有する位置関係にある前記一部の画素出力単位の全体が、前記撮像素子の全画素出力単位と同等の前記入射角指向性を持つ
請求項５に記載の撮像装置。
【請求項７】
前記読み出し制御部は、前記撮像素子の前記複数の画素出力単位が形成される領域の、１つの部分領域内に形成される画素出力単位を選択する
請求項２に記載の撮像装置。
【請求項８】
前記出力画素値の、被写体からの入射光の入射角に対する指向性を示す入射角指向性について、前記撮像素子の、前記読み出し制御部により選択される前記部分領域内に形成される画素出力単位の全体が、前記撮像素子の全画素出力単位と同等の前記入射角指向性を持つ
請求項７に記載の撮像装置。
【請求項９】
前記読み出し制御部は、前記撮像素子の全ての画素出力単位から前記出力画素値を読み出し、読み出した出力画素値のうちの一部を選択する
請求項１に記載の撮像装置。
【請求項１０】
前記読み出し制御部は、前記撮像素子の全ての画素出力単位の出力画素値を読み出し、読み出した出力画素値を所定数毎に加算する
請求項１に記載の撮像装置。
【請求項１１】
前記読み出し制御部は、前記出力画素値の、被写体からの入射光の入射角に対する指向性を示す入射角指向性が互いに類似する画素出力単位の出力画素値同士を加算する
請求項１０に記載の撮像装置。
【請求項１２】
前記読み出し制御部は、互いに近接する画素出力単位の出力画素値同士を加算する
請求項１０に記載の撮像装置。
【請求項１３】
前記複数の画素出力単位は、前記出力画素値の、被写体からの入射光の入射角に対する指向性を示す入射角指向性を前記画素出力単位毎に独立に設定可能な構成を有する
請求項１に記載の撮像装置。
【請求項１４】
前記複数の画素出力単位は、被写体からの入射光の入射角に対する指向性を示す入射角指向性を前記画素出力単位毎に独立に設定可能な構成を有する
請求項１に記載の撮像装置。
【請求項１５】
前記複数の画素出力単位は、出力に寄与するPD（Photo Diode）を互いに異ならせることで、前記出力画素値の、被写体からの入射光の入射角に対する指向性を示す入射角指向性を前記画素出力単位毎に独立に設定し得る構成を有する
請求項１に記載の撮像装置。
【請求項１６】
撮像レンズ及びピンホールのいずれも介さずに入射する入射光を受光し、前記入射光の入射角によって変調された出力画素値を示す検出信号をそれぞれ１つ出力する複数の画素出力単位を備える撮像素子により被写体を撮像し、
前記撮像素子の各画素出力単位の出力画素値を選択的に読み出す
撮像方法。
【請求項１７】
解像度を設定する解像度設定部と、
撮像レンズ及びピンホールのいずれも介さずに入射する入射光を受光し、前記入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列を、前記解像度設定部により設定された解像度に応じて設定する復元行列設定部と
を備える画像処理装置。
【請求項１８】
前記解像度設定部は、一部の画素出力単位の出力画素値を選択することにより、前記解像度を設定する
請求項１７に記載の画像処理装置。
【請求項１９】
前記解像度設定部は、画素出力単位の出力画素値を所定数毎に加算することにより、前記解像度を設定する
請求項１７に記載の画像処理装置。
【請求項２０】
解像度を設定し、
撮像レンズ及びピンホールのいずれも介さずに入射する入射光を受光し、前記入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列を、設定された解像度に応じて設定する
画像処理方法。
【発明の詳細な説明】
【技術分野】
【０００１】
本技術は、撮像装置および方法、並びに、画像処理装置および方法に関し、特に、検出画像の解像度を制御することができるようにした撮像装置および方法、並びに、画像処理装置および方法に関する。
【背景技術】
【０００２】
従来、撮像素子は、撮像素子に集光する撮像レンズと組み合わせて用いることが一般的である。撮像レンズによって、被写体面からの光を、被写体面の光強度分布を再現するように、撮像素子の各画素に導くことにより、撮像素子は、各画素においてその光強度分布に応じたレベルの検出信号を得ることができ、全体として被写体の撮像画像を得ることができる。【０００３】
しかしながら、この場合、物理的なサイズが大きくなってしまう。そこで、撮像レンズを用いない撮像素子が考えられた（例えば特許文献１参照、特許文献２、および非特許文献１）。
【先行技術文献】
【特許文献】
【０００４】
【特許文献１】国際公開第２０１６／１２３５２９号
【特許文献２】特表２０１６-５１０９１０号公報
【非特許文献】
【０００５】
【非特許文献１】M. Salman Asif、他４名、“Flatcam: Replacing lenses with masks and computation”、“2015 IEEE International Conference on Computer Vision Workshop (ICCVW)”、2015年、663-666ページ
【発明の概要】
【発明が解決しようとする課題】
【０００６】
しかしながら、特許文献１に記載の方法では、撮像素子の全ての画素より得られる情報からなる検出画像しか得ることができず、所望の解像度の検出画像を得ることができなかった。【０００７】
本開示は、このような状況に鑑みてなされたものであり、検出画像の解像度を制御することができるようにするものである。
【課題を解決するための手段】
【０００８】
本技術の一側面の撮像装置は、撮像レンズ及びピンホールのいずれも介さずに入射する入射光を受光し、前記入射光の入射角によって変調された出力画素値を示す検出信号をそれぞれ１つ出力する複数の画素出力単位を備える撮像素子と、前記撮像素子の各画素出力単位の出力画素値を選択的に読み出す読み出し制御部とを備える撮像装置である。【０００９】
前記読み出し制御部は、前記撮像素子の前記複数の画素出力単位のうち、一部の画素単位出力を選択し、選択した前記画素出力単位の出力画素値を読み出すことができる。【００１０】
前記読み出し制御部は、前記撮像素子の前記複数の画素出力単位のうち、任意の位置の一部の画素出力単位を選択することができる。【００１１】
前記読み出し制御部は、前記出力画素値の、被写体からの入射光の入射角に対する指向性を示す入射角指向性について、選択した画素出力単位の全体が、前記撮像素子の全画素出力単位と同等の前記入射角指向性をもつように、画素出力単位を選択することができる。【００１２】
前記読み出し制御部は、前記撮像素子の前記複数の画素出力単位のうち、所定の規則性を有する位置関係にある一部の画素出力単位を選択することができる。【００１３】
前記出力画素値の、被写体からの入射光の入射角に対する指向性を示す入射角指向性について、前記撮像素子の、前記読み出し制御部により選択される前記規則性を有する位置関係にある前記一部の画素出力単位の全体が、前記撮像素子の全画素出力単位と同等の前記入射角指向性を持つようにすることができる。【００１４】
前記読み出し制御部は、前記撮像素子の前記複数の画素出力単位が形成される領域の、１つの部分領域内に形成される画素出力単位を選択することができる。【００１５】
前記出力画素値の、被写体からの入射光の入射角に対する指向性を示す入射角指向性について、前記撮像素子の、前記読み出し制御部により選択される前記部分領域内に形成される画素出力単位の全体が、前記撮像素子の全画素出力単位と同等の前記入射角指向性を持つようにすることができる。【００１６】
前記読み出し制御部は、前記撮像素子の全ての画素出力単位から出力画素値を読み出し、読み出した出力画素値のうちの一部を選択することができる。【００１７】
前記読み出し制御部は、前記撮像素子の全ての画素出力単位の出力画素値を読み出し、読み出した出力画素値を所定数毎に加算することができる。【００１８】
前記読み出し制御部は、前記出力画素値の、被写体からの入射光の入射角に対する指向性を示す入射角指向性が互いに類似する画素出力単位の出力画素値同士を加算することができる。【００１９】
前記読み出し制御部は、互いに近接する画素出力単位の出力画素値同士を加算することができる。【００２０】
前記複数の画素出力単位は、前記出力画素値の、被写体からの入射光の入射角に対する指向性を示す入射角指向性を前記画素出力単位毎に独立に設定可能な構成を有することができる。【００２１】
前記複数の画素出力単位は、被写体からの入射光の入射角に対する指向性を示す入射角指向性を前記画素出力単位毎に独立に設定可能な構成を有するようにすることができる。【００２２】
前記複数の画素出力単位は、出力に寄与するPD（Photo Diode）を互いに異ならせることで、前記出力画素値の、被写体からの入射光の入射角に対する指向性を示す入射角指向性を前記画素出力単位毎に独立に設定し得る構成を有するようにすることができる。【００２３】
本技術の一側面の撮像方法は、撮像レンズ及びピンホールのいずれも介さずに入射する入射光を受光し、前記入射光の入射角によって変調された出力画素値を示す検出信号をそれぞれ１つ出力する複数の画素出力単位を備える撮像素子により被写体を撮像し、前記撮像素子の各画素出力単位の出力画素値を選択的に読み出す撮像方法である。【００２４】
本技術の他の側面の画像処理装置は、解像度を設定する解像度設定部と、撮像レンズ及びピンホールのいずれも介さずに入射する入射光を受光し、前記入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列を、前記解像度設定部により設定された解像度に応じて設定する復元行列設定部とを備える画像処理装置である。【００２５】
前記解像度設定部は、一部の画素出力単位の出力画素値を選択することにより、前記解像度を設定することができる。【００２６】
前記解像度設定部は、画素出力単位の出力画素値を所定数毎に加算することにより、前記解像度を設定することができる。【００２７】
本技術の他の側面の画像処理方法は、解像度を設定し、撮像レンズ及びピンホールのいずれも介さずに入射する入射光を受光し、前記入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列を、設定された解像度に応じて設定する画像処理方法である。【００２８】
本技術の一側面の撮像装置および方法においては、撮像レンズ及びピンホールのいずれも介さずに入射する入射光を受光し、その入射光の入射角によって変調された出力画素値を示す検出信号をそれぞれ１つ出力する複数の画素出力単位を備える撮像素子により被写体が撮像され、その撮像素子の各画素出力単位の出力画素値が選択的に読み出される。【００２９】
本技術の他の側面の画像処理装置および方法においては、解像度が設定され、撮像レンズ及びピンホールのいずれも介さずに入射する入射光を受光し、その入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列が、設定された解像度に応じて設定される。
【発明の効果】
【００３０】
本技術によれば、被写体を撮像する、または、画像を処理することができる。また本技術によれば、検出画像の解像度を制御することができる。
【図面の簡単な説明】
【００３１】
【図１】撮像装置の主な構成例を示すブロック図である。
【図２】本開示の技術を適用した撮像装置における撮像の原理を説明する図である。
【図３】従来の撮像素子と本開示の撮像素子との構成の違いを説明する図である。
【図４】撮像素子の第１の構成例を説明する図である。
【図５】撮像素子の第１の構成例を説明する図である。
【図６】入射角指向性の発生の原理を説明する図である。
【図７】オンチップレンズを利用した入射角指向性の変化を説明する図である。
【図８】入射角指向性の設計を説明する図である。
【図９】被写体距離と入射角指向性を表現する係数との関係を説明する図である。
【図１０】狭画角画素と広画角画素との関係を説明する図である。
【図１１】狭画角画素と広画角画素との関係を説明する図である。
【図１２】狭画角画素と広画角画素との関係を説明する図である。
【図１３】変形例を説明する図である。
【図１４】変形例を説明する図である。
【図１５】変形例を説明する図である。
【図１６】変形例を応用して画角を変化させる例を説明する図である。
【図１７】変形例を応用して画角を変化させるとき、複数の画角の画素を組み合わせる例を説明する図である。
【図１８】変形例を説明する図である。
【図１９】変形例を説明する図である。
【図２０】変形例を説明する図である。
【図２１】遮光膜によるマスクパターンの例を示す図である。
【図２２】全画素から読み出す方式の概要を説明するための図である。
【図２３】任意の一部の画素から読み出す方式の概要を説明するための図である。
【図２４】規則的に一部の画素から読み出す方式の概要を説明するための図である。
【図２５】部分領域の画素から読み出す方式の概要を説明するための図である。
【図２６】画素加算を行う方式の概要を説明するための図である。
【図２７】各方式を比較して説明するための図である。
【図２８】指向性を同等とする方法について説明するための図である。
【図２９】復元行列について説明するための図である。
【図３０】全画素から読み出す方式の復元行列について説明するための図である。
【図３１】全画素から読み出す方式の復元行列について説明するための図である。
【図３２】任意の一部の画素から読み出す方式の復元行列について説明するための図である。
【図３３】任意の一部の画素から読み出す方式の復元行列について説明するための図である。
【図３４】規則的に一部の画素から読み出す方式の復元行列について説明するための図である。
【図３５】規則的に一部の画素から読み出す方式の復元行列について説明するための図である。
【図３６】部分領域の画素から読み出す方式の復元行列について説明するための図である。
【図３７】部分領域の画素から読み出す方式の復元行列について説明するための図である。
【図３８】画素加算を行う方式の復元行列について説明するための図である。
【図３９】画素加算を行う方式の復元行列について説明するための図である。
【図４０】遮光範囲を水平方向および垂直方向のそれぞれについて規則を設けることで計算量およびメモリの容量を低減させる理由を説明する図である。
【図４１】遮光範囲を水平方向および垂直方向のそれぞれについて規則を設けることで計算量およびメモリの容量を低減させる理由を説明する図である。
【図４２】遮光範囲を水平方向および垂直方向のそれぞれについて規則を設けることで計算量およびメモリの容量を低減させる理由を説明する図である。
【図４３】遮光範囲を水平方向および垂直方向のそれぞれについて規則を設けることで計算量およびメモリの容量を低減させる理由を説明する図である。
【図４４】撮像処理の流れの例を説明するフローチャートである。
【図４５】カラー画像の場合の読み出し方式の概要を説明するための図である。
【図４６】画像処理装置の主な構成例を示すブロック図である。
【図４７】画像処理の流れの例を説明するフローチャートである。
【図４８】撮像素子の主な構成例を示す図である。
【図４９】白黒パターンマスクを用いた場合を示す図である。
【図５０】光干渉マスクを用いた場合を示す図である。
【図５１】撮像素子の変形例を示す図である。
【発明を実施するための形態】
【００３２】
以下、本開示を実施するための形態（以下実施の形態とする）について説明する。なお、説明は以下の順序で行う。
１．第１の実施の形態（撮像装置）
２．第２の実施の形態（画像処理装置）
３．第３の実施の形態（撮像素子・撮像装置・画像処理装置の他の構成例）
４．その他
【００３３】
＜１．第１の実施の形態＞
＜撮像装置＞
図１は、本技術を適用した撮像装置または画像処理装置の一実施の形態である撮像装置の主な構成例を示す図である。図１に示される撮像装置１００は、被写体を撮像し、その撮像画像に関する電子データを得る装置である。
【００３４】
図１に示されるように、撮像装置１００は、制御部１０１、入力部１１１、出力部１１２、記憶部１１３、通信部１１４、および記録再生部１１５を有する。また撮像装置１００は、撮像素子１２１、読み出し制御部１２２、復元行列設定部１２３、復元部１２４、関連付け部１２５、およびセンサ部１２６を有する。各処理部等は、バス１１０を介して互いに接続され、互いに情報や命令等を授受することができる。
【００３５】
なお、撮像素子１２１および読み出し制御部１２２は、一体化して撮像部１２０としてもよい。撮像部１２０は、どのような物理的構成により実現されるようにしてもよい。例えば、撮像部１２０が、システムLSI（Large Scale Integration）等としてのプロセッサとして実現されるようにしてもよい。また、撮像部１２０が、例えば複数のプロセッサ等を用いるモジュール、複数のモジュール等を用いるユニット、または、ユニットにさらにその他の機能を付加したセット等（すなわち、装置の一部の構成）として実現されるようにしてもよい。また、撮像部１２０を装置として実現するようにしてもよい。
【００３６】
制御部１０１は、撮像装置１００内の各処理部等の制御に関する処理を行うように構成される。例えば、制御部１０１は、CPU（Central Processing Unit）、ROM（Read Only Memory）、RAM（Random Access Memory）等を有し、そのCPU等を用いてプログラムを実行することにより、上述の処理を行う。
【００３７】
入力部１１１は、情報の入力に関する処理を行うように構成される。例えば、入力部１１１は、操作ボタン、ダイヤル、スイッチ、タッチパネル、リモートコントローラ、センサ等の入力デバイスや外部入力端子を有する。例えば、入力部１１１は、それらの入力デバイスによってユーザ等の外部からの指示（入力された操作に対応する情報）を受け付ける。また、例えば、入力部１１１は、外部入力端子を介して、外部の装置から供給される任意の情報（プログラム、コマンド、データ等）を取得する。また、例えば、入力部１１１は、その受け付けた情報（取得した情報）を、バス１１０を介して他の処理部等に供給する。
【００３８】
なお、入力部１１１が有するセンサは、例えば加速度センサ等、ユーザ等の外部からの指示を受け付けることができるものであれば、どのようなものであってもよい。また、入力部１１１が有する入力デバイスは任意であり、その数も任意である。入力部１１１が複数種類の入力デバイスを有するようにしてもよい。例えば、入力部１１１が、上述した例の一部を有するようにしてもよいし、全部を有するようにしてもよい。また、入力部１１１が、上述した例以外の入力デバイスを有するようにしてもよい。さらに、例えば、入力部１１１が、バス１１０を介して供給される自身（入力デバイス等）の制御情報を取得し、その制御情報に基づいて駆動するようにしてもよい。
【００３９】
出力部１１２は、情報の出力に関する処理を行うように構成される。例えば、出力部１１２は、モニタ等の画像表示デバイス、プロジェクタ等の画像投影デバイス、スピーカ等の音声出力デバイス、外部出力端子等を有する。例えば、出力部１１２は、それらの出力デバイス等を用いて、バス１１０を介して他の処理部等から供給される情報を出力する。例えば、出力部１１２は、撮像画像（後述する復元画像）をモニタに表示したり、撮像画像（後述する復元画像）をプロジェクタから投影したり、音声（例えば入力操作や処理結果等に対応する音声）を出力したり、任意の情報（プログラム、コマンド、データ等）を外部（他の機器）に出力したりする。
【００４０】
なお、出力部１１２が有する出力デバイス等は任意であり、その数も任意である。出力部１１２が複数種類の出力デバイス等を有するようにしてもよい。例えば、出力部１１２が、上述した例の一部を有するようにしてもよいし、全部を有するようにしてもよい。また、出力部１１２が、上述した例以外の出力デバイス等を有するようにしてもよい。さらに、例えば、出力部１１２が、バス１１０を介して供給される自身（出力デバイス等）の制御情報を取得し、その制御情報に基づいて駆動するようにしてもよい。
【００４１】
記憶部１１３は、情報の記憶に関する処理を行うように構成される。例えば、記憶部１１３は、ハードディスクや半導体メモリ等のような、任意の記憶媒体を有する。例えば、記憶部１１３は、バス１１０を介して他の処理部等から供給される情報（プログラム、コマンド、データ等）をその記憶媒体に記憶する。また、記憶部１１３は、出荷時において任意の情報（プログラム、コマンド、データ等）を記憶しているようにしてもよい。また、記憶部１１３は、任意のタイミングにおいて、または、他の処理部等からの要求に応じて、その記憶媒体に記憶されている情報を読み出し、読み出した情報を、バス１１０を介して他の処理部等に供給する。
【００４２】
なお、記憶部１１３が有する記憶媒体は任意であり、その数も任意である。記憶部１１３が複数種類の記憶媒体を有するようにしてもよい。例えば、記憶部１１３が、上述した記憶媒体の例の一部を有するようにしてもよいし、全部を有するようにしてもよい。また、記憶部１１３が、上述した例以外の記憶媒体等を有するようにしてもよい。また、例えば、記憶部１１３が、バス１１０を介して供給される自身の制御情報を取得し、その制御情報に基づいて駆動するようにしてもよい。
【００４３】
通信部１１４は、他の装置との通信に関する処理を行うように構成される。例えば、通信部１１４は、所定の通信媒体（例えばインターネット等の任意のネットワーク）を介して外部の装置とプログラムやデータ等の情報を授受する通信を行う通信デバイスを有する。例えば、通信部１１４は、他の装置と通信を行い、バス１１０を介して他の処理部等より供給される情報（プログラム、コマンド、データ等）を、その通信相手である他の装置に供給する。また、例えば、通信部１１４は、他の装置と通信を行い、その通信相手である他の装置から供給される情報を取得し、その情報を、バス１１０を介して他の処理部等に供給する。
【００４４】
通信部１１４が有する通信デバイスはどのようなものであってもよい。例えば、ネットワークインタフェースであってもよい。通信方法や通信規格は任意である。例えば、通信部１１４が、有線通信を行うことができるようにしてもよいし、無線通信を行うことができるようにしてもよいし、その両方を行うことができるようにしてもよい。また、例えば、通信部１１４が、バス１１０を介して供給される自身（通信デバイス等）の制御情報を取得し、その制御情報に基づいて駆動するようにしてもよい。
【００４５】
記録再生部１１５は、自身に装着された記録媒体１１６を利用した情報の記録や再生に関する処理を行うように構成される。例えば、記録再生部１１５は、自身に装着された記録媒体１１６に記録されている情報（プログラム、コマンド、データ等）を読み出し、その情報を、バス１１０を介して他の処理部等に供給する。また、例えば、記録再生部１１５は、バス１１０を介して他の処理部等から供給される情報を取得し、その情報を、自身に装着された記録媒体１１６に書き込む（記録する）。なお、例えば、記録再生部１１５が、バス１１０を介して供給される自身の制御情報を取得し、その制御情報に基づいて駆動するようにしてもよい。
【００４６】
なお、記録媒体１１６は、どのようなものであってもよい。例えば、磁気ディスク、光ディスク、光磁気ディスク、半導体メモリなどであってもよい。
【００４７】
撮像素子１２１は、被写体の撮像に関する処理を行うように構成される。例えば、撮像素子１２１は、被写体を撮像し、その撮像画像に関するデータ（電子データ）を得る。その際、撮像素子１２１は、撮像レンズ、回折格子等の光学フィルタ等やピンホール等を介さずに被写体を撮像し、その撮像画像に関するデータを得ることができる。例えば、撮像素子１２１は、被写体を撮像し、所定の演算によりその撮像画像のデータを得ることができるデータ（検出信号等）を得る。
【００４８】
なお、撮像画像は、被写体の像が結像された画素値により構成される、ユーザが目視して画像として認識できる画像である。これに対して撮像素子１２１の画素単位出力における入射光の検出結果である検出信号により構成される画像（検出画像と称する）は、被写体の像が結像されていないことにより、ユーザが目視しても画像として認識することができない（つまり、被写体を視認不可能な）画像である。つまり、検出画像は撮像画像とは異なる画像である。ただし、上述のように、この検出画像のデータに対して所定の演算を行うことにより、撮像画像、すなわち、被写体の像が結像された、ユーザが目視して画像として認識できる（つまり、被写体を視認可能な）画像を復元することができる。この復元された撮像画像を復元画像と称する。つまり、検出画像は復元画像とは異なる画像である。
【００４９】
なお、この復元画像を構成する画像であって、同時化処理や色分離処理等（例えば、デモザイク処理等）の前の画像をRaw画像と称する。このRaw画像も、撮像画像と同様に、ユーザが目視して画像として認識することができる（つまり、被写体を視認可能な）画像である。換言するに、検出画像は、色フィルタの配列に従った画像ではあるが、Raw画像とは異なる画像である。
【００５０】
ただし、撮像素子１２１が、例えば赤外光や紫外光等のような不可視光のみに感度を有する場合、復元画像（Raw画像や撮像画像）も、ユーザが目視して画像として認識することはできない（被写体を視認することができない）画像となる。ただし、これは検出した光の波長域によるものであるので、復元画像は、波長域を可視光域に変換することにより被写体を視認可能な画像とすることができる。これに対して検出画像は、被写体の像が結像されていないので、波長域を変換するだけでは被写体を視認可能な画像とすることはできない。したがって、撮像素子１２１が不可視光のみに感度を有する場合であっても、上述したように検出画像に対して所定の演算を行うことにより得られる画像を復元画像と称する。なお、以下において、特に言及しない限り、基本的に撮像素子１２１が可視光を受光する場合を例に用いて本技術を説明する。
【００５１】
つまり、撮像素子１２１は、被写体を撮像し、検出画像に関するデータを得ることができる。撮像素子１２１は、例えば、その検出画像に関するデータを読み出し制御部１２２を介して復元部１２４に供給し、復元画像を生成させることができる。また、撮像素子１２１は、例えば、その検出画像に関するデータを、読み出し制御部１２２を介して、関連付け部１２５等に供給し、メタデータ等を関連付けさせることができる。もちろん、撮像素子１２１は、この検出画像に関するデータを、任意の処理部等に供給することができる。また、例えば、撮像素子１２１が、バス１１０を介して供給される自身の制御情報を取得し、その制御情報に基づいて駆動するようにしてもよい。
【００５２】
読み出し制御部１２２は、撮像素子１２１からのデータの読み出し制御に関する処理を行い、検出画像の解像度を制御するように構成される。例えば、読み出し制御部１２２は、撮像素子１２１からの検出画像の読み出しを制御し、撮像素子１２１の各画素出力単位からの出力である検出信号を選択的に読み出す。
【００５３】
例えば、読み出し制御部１２２は、撮像素子１２１の全ての画素出力単位から検出信号を読み出し、読み出した全ての画素出力単位の検出信号を、検出画像に含める検出信号として選択することができる。
【００５４】
例えば、読み出し制御部１２２は、撮像素子１２１の複数の画素出力単位のうち、一部の画素単位出力を選択し、選択した画素出力単位から検出信号を読み出すことができる。また、例えば、読み出し制御部１２２は、撮像素子１２１の全ての画素出力単位から検出信号を読み出し、読み出した各画素出力単位の検出信号のうちの一部を検出画像に含める検出信号として選択することができる。
【００５５】
例えば、読み出し制御部１２２は、撮像素子１２１の複数の画素出力単位のうち、任意の位置の一部の画素出力単位を選択することができる。つまり、例えば、読み出し制御部１２２は、撮像素子１２１の複数の画素出力単位のうち、任意の位置の一部の画素単位出力を選択し、選択した画素出力単位から検出信号を読み出すことができる。また、例えば、読み出し制御部１２２は、撮像素子１２１の全ての画素出力単位から検出信号を読み出し、読み出した各画素出力単位の検出信号のうち、任意の位置の一部の画素出力単位から読み出された検出信号を、検出画像に含める検出信号として選択することができる。
【００５６】
例えば、読み出し制御部１２２は、撮像素子１２１の複数の画素出力単位のうち、所定の規則性を有する位置関係にある一部の画素出力単位を選択することができる。つまり、例えば、読み出し制御部１２２は、撮像素子１２１の複数の画素出力単位のうち、所定の規則性を有する位置関係にある一部の画素単位出力を選択し、選択した画素出力単位から検出信号を読み出すことができる。また、例えば、読み出し制御部１２２は、撮像素子１２１の全ての画素出力単位から検出信号を読み出し、読み出した各画素出力単位の検出信号のうち、所定の規則性を有する位置関係にある一部の画素出力単位から読み出された検出信号を、検出画像に含める検出信号として選択することができる。
【００５７】
例えば、読み出し制御部１２２は、撮像素子１２１の複数の画素出力単位が形成される領域の、１つの部分領域内に形成される画素出力単位を選択することができる。つまり、例えば、読み出し制御部１２２は、上述の部分領域内に形成される画素単位出力を選択し、選択した画素出力単位から検出信号を読み出すことができる。また、例えば、読み出し制御部１２２は、撮像素子１２１の全ての画素出力単位から検出信号を読み出し、読み出した各画素出力単位の検出信号のうち、上述の部分領域内に形成される画素出力単位から読み出された検出信号を、検出画像に含める検出信号として選択することができる。
【００５８】
例えば、読み出し制御部１２２は、撮像素子１２１の全ての画素出力単位から検出信号を読み出し、読み出した各画素出力単位の検出信号を所定数毎に加算し、加算後の検出信号群を検出画像とすることができる。
【００５９】
検出画像に採用する検出信号を選択するということは、言い換えると、不採用の検出信号を選択するということでもある。つまり、読み出し制御部１２２は、検出信号を取捨選択する（全ての検出信号を選択する場合も含む）ことにより、検出画像の解像度を制御（設定）する。例えば、読み出し制御部１２２は、撮像素子１２１から全ての画素の検出信号を読み出したり、撮像素子１２１から検出信号を間引いて読み出したり、撮像素子１２１から読み出した検出信号を間引いたり、撮像素子１２１から読み出した検出信号を所定数毎に加算したりして、検出画像の解像度を制御（設定）する。
【００６０】
読み出し制御部１２２は、読み出した（解像度を設定した）検出画像（間引きや加算等を行う場合は処理後の検出画像）を、バス１１０を介して他の処理部等（例えば、復元行列設定部１２３、復元部１２４、関連付け部１２５等）に供給する。
【００６１】
復元行列設定部１２３は、復元行列の設定に関する処理を行うように構成される。検出画像は所定の演算を行うことにより復元画像に変換することができる。この所定の演算は、詳細については後述するが、検出画像に含まれる各検出信号に所定の係数を乗算して互いに加算することである。つまり、所定の行列演算を行うことにより、検出画像を復元画像に変換することができる。本明細書において、この行列演算に用いられる、上述の係数からなる行列を復元行列と称する。
【００６２】
復元行列設定部１２３は、例えば、読み出し制御部１２２により解像度が設定された検出画像に対応する復元行列（読み出し制御部１２２により選択的に読み出された検出信号から復元画像を復元する際に用いられる復元行列）を設定する。つまり、この復元行列は処理対象の検出画像の解像度に対応している。復元行列設定部１２３は、例えば、設定した復元行列を、バス１１０を介して他の処理部等（例えば、復元部１２４や関連付け部１２５等）に供給する。
【００６３】
なお、検出画像を復元画像に変換する所定の行列演算において、検出画像を任意の解像度の復元画像に変換するようにしてもよい。その場合、復元行列設定部１２３が、検出画像の解像度と目標とする復元画像の解像度とに応じた行数および列数の復元行列を設定するようにすればよい。
【００６４】
なお、例えば復元行列設定部１２３が、バス１１０を介して供給される自身の制御情報を取得し、その制御情報に基づいて駆動するようにしてもよい。
【００６５】
復元部１２４は、復元画像の生成に関する処理を行うように構成される。例えば、復元部１２４は、所定の演算を行うことにより、撮像素子１２１から供給される検出画像に関するデータ（検出信号等）から復元画像を生成する。また、復元部１２４は、生成した復元画像に関するデータ（画素値等）を、バス１１０を介して他の処理部等に供給する。
【００６６】
なお、撮像素子１２１において、カラーフィルタを用いる等して複数の色成分が混在する検出画像が得られ、復元部１２４が、その検出画像に対して所定の演算を行うことにより、複数の色成分が混在するRaw画像が得られるようにしてもよい。そして、復元部１２４が、その複数の色成分が混在するRaw画像を復元画像として他の処理部等に供給するようにしてもよいし、そのRaw画像に対して同時化処理や色分離処理等（例えば、デモザイク処理等）を行い、その処理が施された画像を復元画像として他の処理部等に供給するようにしてもよい。もちろん、撮像素子１２１において、モノクロの検出画像や、色毎の検出画像が得られ、同時化処理や色分離処理等（例えば、デモザイク処理等）が不要であるようにしてもよい。
【００６７】
また、復元部１２４が、復元画像に対して、例えばガンマ補正（γ補正）やホワイトバランス調整等の任意の画像処理を施し、画像処理後の復元画像に関するデータを他の処理部等に供給するようにしてもよい。さらに、復元部１２４が、復元画像のデータのフォーマットを変換したり、例えばJPEG（Joint Photographic Experts Group）、TIFF（Tagged Image File Format）、GIF（Graphics Interchange Format）等の所定の圧縮方式で圧縮したりし、その変換（圧縮）後のデータを他の処理部等に供給するようにしてもよい。
【００６８】
なお、例えば復元部１２４が、バス１１０を介して供給される自身の制御情報を取得し、その制御情報に基づいて駆動するようにしてもよい。
【００６９】
関連付け部１２５は、データの関連付けに関する処理を行うように構成される。例えば、関連付け部１２５は、撮像素子１２１等から供給される検出画像に関するデータ（検出信号等）に、復元画像生成のための所定の演算に用いられるデータ（例えば係数等）を関連付ける。
【００７０】
ここで、「関連付ける」という用語は、例えば、一方の情報（データ、コマンド、プログラム等）を処理する際に他方の情報を利用し得る（リンクさせ得る）ようにすることを意味する。つまり、互いに関連付けられた情報は、１つのファイル等としてまとめられてもよいし、それぞれ個別の情報としてもよい。例えば、情報Ａに関連付けられた情報Ｂは、その情報Ａとは別の伝送路上で伝送されるようにしてもよい。また、例えば、情報Ａに関連付けられた情報Ｂは、その情報Ａとは別の記録媒体（又は同一の記録媒体の別の記録エリア）に記録されるようにしてもよい。なお、この「関連付け」は、情報全体でなく、情報の一部であってもよい。例えば、画像とその画像に対応する情報とが、複数フレーム、１フレーム、又はフレーム内の一部分などの任意の単位で互いに関連付けられるようにしてもよい。
【００７１】
また、例えば、関連付け部１２５は、関連付けたデータを、バス１１０を介して他の処理部等に供給する。なお、例えば関連付け部１２５が、バス１１０を介して供給される自身の制御情報を取得し、その制御情報に基づいて駆動するようにしてもよい。
【００７２】
センサ部１２６は、検出に関する処理を行うように構成される。例えば、センサ部１２６は、任意のセンサを有し、所定のパラメータについての検出を行う。例えば、センサ部１２６は、撮像装置１００の周辺の状態に関するパラメータや、撮像装置１００の状態に関するパラメータ等についての検出を行う。例えば、センサ部１２６は、撮像素子１２１の状態に関するパラメータについての検出を行う。また、例えば、センサ部１２６は、検出した情報を、バス１１０を介して他の処理部等に供給する。なお、例えばセンサ部１２６が、バス１１０を介して供給される自身の制御情報を取得し、その制御情報に基づいて駆動するようにしてもよい。
【００７３】
＜撮像素子について＞
次に、撮像素子１２１について図２乃至図２０を参照して説明する。
【００７４】
＜画素と画素出力単位＞
本明細書においては、「画素」（または「画素出力単位」）という用語を用いて、本技術を説明する。本明細書において「画素」（または「画素出力単位」）とは、撮像素子１２１の入射光を受光するための物理構成が形成される領域（画素領域とも称する）の、他の画素とは独立して受光することができる物理構成を少なくとも１つ含む分割単位を指すものとする。受光することができる物理構成とは、例えば光電変換素子であり、例えばフォトダイオード（PD（Photo Diode））である。１画素に形成されるこの物理構成（例えばフォトダイオード）の数は任意であり、単数であってもよいし、複数であってもよい。その種類、大きさ、形状等も任意である。
【００７５】
また、この「画素」単位の物理構成には、上述の「受光することができる物理構成」だけでなく、例えば、オンチップレンズ、遮光膜、カラーフィルタ、平坦化膜、反射防止膜等、入射光の受光に関する全ての物理構成を含む。さらに、読み出し回路等の構成も含まれる場合もある。つまり、この画素単位の物理構成はどのような構成であってもよい。
【００７６】
また、「画素」（つまり画素単位の物理構成）から読み出された検出信号を「画素単位（または画素出力単位）の検出信号」等と称する場合もある。さらに、この画素単位（または画素出力単位）の検出信号は、「画素単位検出信号（または画素出力単位検出信号）」とも称する。また、この画素単位検出信号は「画素出力」とも称する。さらに、その値を「出力画素値」とも称する。
【００７７】
撮像素子１２１の画素単位の検出信号の値（出力画素値）は、他と独立して被写体からの入射光の入射角に対する指向性を示す入射角指向性を有することができる。つまり、撮像素子１２１の各画素単位（画素出力単位）は、その出力画素値の、被写体からの入射光の入射角に対する指向性を示す入射角指向性を独立に設定可能な構成を有する。例えば、撮像素子１２１において、少なくとも２つの画素単位の出力画素値は、被写体からの入射光の入射角に対する指向性を示す入射角指向性が互いに異なるようにすることができる。
【００７８】
なお、上述したように「画素（または画素出力単位）」が有する「受光することができる物理構成」の数は任意であるので、画素単位検出信号は、単数の「受光することができる物理構成」により得られた検出信号であってもよいし、複数の「受光することができる物理構成」により得られた検出信号であってもよい。
【００７９】
また、この画素単位検出信号（出力画素値）は、任意の段階で複数をまとめて１つにすることもできる。例えば、複数の画素の出力画素値を、アナログ信号の状態において加算するようにしてもよいし、デジタル信号に変換してから加算するようにしてもよい。
【００８０】
また、この検出信号は、撮像素子１２１から読み出された後、すなわち、検出画像において、複数の検出信号をまとめて単数化したり、単数の検出信号を複数化したりすることもできる。つまり、検出画像の解像度（データ数）は可変である。
【００８１】
ところで、以下においては説明の便宜上、特に言及しない限り、撮像素子１２１が複数の画素が行列状に配置される（画素アレイが形成される）画素領域を有するものとして説明する。なお、撮像素子１２１の画素（または画素出力単位）の配列パターンは任意であり、この例に限定されない。例えば、画素（または画素出力単位）がハニカム構造状に配置されるようにしてもよい。また、例えば、画素（または画素出力単位）が１行（または１列）状に配置されるようにしてもよい。つまり、撮像素子１２１がラインセンサであってもよい。
【００８２】
なお、撮像素子１２１（の画素）が感度を有する波長域は任意である。例えば、撮像素子１２１（の画素）が、可視光に対して感度を有するようにしてもよいし、赤外光や紫外光のような不可視光に対して感度を有するようにしてもよいし、可視光と不可視光の両方に対して感度を有するようにしてもよい。例えば、撮像素子が不可視光である遠赤外光を検出する場合、その撮像素子において得られる撮像画像を用いてサーモグラフ（熱分布を表す画像）を生成することができる。ただし、撮像レンズを伴う撮像素子の場合、ガラスは遠赤外光を透過することが困難であるため、高価な特殊素材の撮像レンズが必要になり、製造コストが増大するおそれがある。撮像素子１２１は、撮像レンズ等を介さずに被写体を撮像し、その撮像画像に関するデータを得ることができるので、その画素が遠赤外光を検出可能とすることにより、製造コストの増大を抑制することができる。つまり、より安価に遠赤外光の撮像を行うことができる（より安価にサーモグラフを得ることができる）。なお、撮像素子１２１（の画素）が不可視光に対して感度を有する場合、復元画像は、ユーザが目視して被写体を認識できる画像とはならず、ユーザが被写体を視認できない画像となる。換言するに、復元画像は、可視光の画像であってもよいし、不可視光（例えば、（遠）赤外光や紫外光等）の画像であってもよい。
【００８３】
＜入射角指向性＞
撮像素子１２１は、撮像レンズ及びピンホールのいずれも介さずに入射する入射光を受光し、その入射光の入射角によって変調された出力画素値を示す検出信号をそれぞれ１つ出力する複数の画素出力単位を有する。例えば、撮像素子１２１は、その複数の画素出力単位のうち、少なくとも２つの画素出力単位の出力画素値の、被写体からの入射光の入射角に対する指向性を示す入射角指向性が、互いに異なる特性となるようにするための構成を有する。つまりその場合、撮像素子１２１は、複数画素出力単位分の検出信号（複数の画素出力単位検出信号）を得ることができ、その内の少なくとも２つの画素出力単位検出信号の、被写体からの入射光の入射角に対する指向性を示す入射角指向性が互いに異なる。
【００８４】
ここで「入射角指向性」とは、入射光の入射角度に応じた受光感度特性、すなわち、入射光の入射角度に対する検出感度を指す。例えば、同じ光強度の入射光であってもその入射角度によって検出感度が変化する場合がある。このような検出感度の偏り（偏りがない場合も含む）を「入射角指向性」と称する。
【００８５】
例えば、互いに同一の光強度の入射光が、互いに同一の入射角でその２つの画素出力単位の物理構成に入射すると、各画素出力単位の検出信号の信号レベル（検出信号レベル）は、互いに異なる値となり得る。撮像素子１２１（の各画素出力単位）は、このような特徴を持つ物理構成を有する。
【００８６】
この入射角指向性は、どのような方法により実現されるようにしてもよい。例えば、一般の、例えば、CMOS（Complementary Metal Oxide Semiconductor）イメージセンサなどの撮像素子からなるものと同様の基本的な構造を有する撮像素子の光電変換素子（フォトダイオード等）の手前（光入射側）に遮光膜を設ける等して入射角指向性を実現するようにしてもよい。
【００８７】
一般的な入射角指向性が互いに同一の画素よりなる撮像素子のみで撮像を行うと、撮像素子の全画素に略同一の光強度の光が入射することになり、結像された被写体の画像を得ることができない。そこで、一般的には、撮像素子の前（光入射側）に撮像レンズやピンホールを設ける。例えば撮像レンズを設けることにより、被写体面からの光を撮像素子の撮像面に結像させることができる。したがって、撮像素子は、各画素においてその結像された被写体の画像に応じたレベルの検出信号を得ることができる（つまり、結像された被写体の撮像画像を得ることができる）。しかしながら、この場合、物理的にサイズが大きくなり、装置の小型化が困難になるおそれがあった。また、ピンホールを設ける場合、撮像レンズを設ける場合よりも小型化が可能になるが、撮像素子に入射する光量が低減するため、露光時間を長くする、または、ゲインを上げる等の対策が必須となり、高速な被写体の撮像においてはボケが生じ易くなる、または、自然な色表現ではなくなるおそれがあった。
【００８８】
これに対して撮像素子１２１は、例えば、その複数の画素出力単位のうちの少なくとも２つの画素出力単位の出力画素値の入射角指向性が互いに異なる特性となるようにするための構成を有する。このような構成により、例えば撮像素子１２１は、各画素の検出感度が互いに異なる入射角指向性を持つ。つまり、入射光の入射角度に応じた受光感度特性が画素毎に異なるということである。ただし、全ての画素の受光感度特性が完全に異なるものである必要はなく、一部の画素に同一の受光感度特性を持つものが含まれていてもよいし、一部の画素が異なる受光感度特性を持つものであってもよい。
【００８９】
例えば、図２において、被写体面１３１を構成する光源が点光源であることを前提とした場合、撮像素子１２１においては、同一の点光源より発せられた同一の光強度の光線が、全ての画素に入射されることになるが、画素毎にそれぞれ異なる入射角度で入射される。そして、撮像素子１２１の各画素は、互いに異なる入射角指向性を有しているので、その同一の光強度の光線を互いに異なる感度で検出する。つまり、画素毎に異なる信号レベルの検出信号が検出される。
【００９０】
より詳細には、撮像素子１２１の各画素において受光される入射光の入射角度に応じた感度特性、すなわち、各画素における入射角度に応じた入射角指向性は、入射角度に応じた受光感度を表す係数で表現するものとし、各画素における入射光に応じた検出信号の信号レベル（検出信号レベルとも称する）は、入射光の入射角度に応じた受光感度に対応して設定される係数を乗じることで求められるものとなる。
【００９１】
より具体的には、図２の上段左部で示されるように、位置Ｐａ，Ｐｂ，Ｐｃにおける検出信号レベルＤＡ，ＤＢ，ＤＣは、それぞれ以下の式（１）乃至式（３）で表される。
【００９２】
ＤＡ＝α１×ａ＋β１×ｂ＋γ１×ｃ
・・・（１）
ＤＢ＝α２×ａ＋β２×ｂ＋γ２×ｃ
・・・（２）
ＤＣ＝α３×ａ＋β３×ｂ＋γ３×ｃ
・・・（３）
【００９３】
ここで、α１は、撮像素子１２１上の位置Ｐａにおける復元する被写体面１３１上の点光源ＰＡからの光線の入射角度に応じて設定される係数である。また、β１は、撮像素子１２１上の位置Ｐａにおける復元する被写体面１３１上の点光源ＰＢからの光線の入射角度に応じて設定される係数である。さらに、γ１は、撮像素子１２１上の位置Ｐａにおける復元する被写体面１３１上の点光源ＰＣからの光線の入射角度に応じて設定される係数である。
【００９４】
式（１）に示されるように、位置Ｐａにおける検出信号レベルＤＡは、位置Ｐａにおける点光源ＰＡからの光線の光強度”ａ”と係数α１との積と、位置Ｐａにおける点光源ＰＢからの光線の光強度”ｂ”と係数β１との積と、位置Ｐａにおける点光源ＰＣからの光線の光強度”ｃ”と係数γ１との積との和（合成値）により表現される。以下において、係数αｘ、βｘ、γｘ（ｘは自然数）を合わせて係数セットと称する。
【００９５】
同様に、式（２）の係数セットα２，β２，γ２は、撮像素子１２１上の位置Ｐｂにおける復元する被写体面１３１上の点光源ＰＡ，ＰＢ，ＰＣからの光線の入射角度に応じて設定される係数セットである。つまり、位置Ｐｂにおける検出信号レベルＤＢは、上述の式（２）のように、位置Ｐｂにおける点光源ＰＡからの光線の光強度”ａ”と係数α２との積と、位置Ｐｂにおける点光源ＰＢからの光線の光強度”ｂ”と係数β２との積と、位置Ｐｂにおける点光源ＰＣからの光線の光強度”ｃ”と係数γ２との積との和（合成値）により表現される。また、式（３）の係数α３，β３，γ３は、撮像素子１２１上の位置Ｐｃにおける復元する被写体面１３１上の点光源ＰＡ，ＰＢ，ＰＣからの光線の入射角度に応じて設定される係数セットである。つまり、位置Ｐｃにおける検出信号レベルＤＣは、上述の式（３）のように、位置Ｐｃにおける点光源ＰＡからの光線の光強度”ａ”と係数α３との積と、位置Ｐｃにおける点光源ＰＢからの光線の光強度”ｂ”と係数β３との積と、位置Ｐｃにおける点光源ＰＣからの光線の光強度”ｃ”と係数γ３との積との和（合成値）により表現される。
【００９６】
以上のように、これらの検出信号レベルは、点光源ＰＡ，ＰＢ，ＰＣのそれぞれより発せられた光線の光強度が入り交じったものとなるので、被写体の像が結像されたものとは異なるものである。つまり、図２の上段右部で示される検出信号レベルは、被写体の像が結像された画像（撮像画像）に対応する検出信号レベルではないので、図２の下部右部に示される画素値とは異なるものである（一般的に両者は一致しない）。
【００９７】
ただし、この係数セットα１，β１，γ１、係数セットα２，β２，γ２、係数セットα３，β３，γ３と、検出信号レベルＤＡ，ＤＢ，ＤＣを用いた連立方程式を構成し、ａ，ｂ，ｃを変数として上述の式（１）乃至式（３）の連立方程式を解くことにより、図２の下段右部で示されるような各位置Ｐａ，Ｐｂ，Ｐｃの画素値を求めることができる。これにより画素値の集合である復元画像（被写体の像が結像された画像）が復元される。
【００９８】
撮像素子１２１は、このような構成により、撮像レンズ、回折格子等からなる光学フィルタや、ピンホール等を必要とせずに、各画素において、入射光の入射角によって変調された出力画素値を示す検出信号をそれぞれ１つ出力することができる。結果として、撮像レンズ、回折格子等からなる光学フィルタや、ピンホール等が必須構成とならないので、撮像装置の低背化、すなわち、撮像機能を実現する構成における光の入射方向に対する厚さを薄くすることが可能になる。
【００９９】
＜入射角指向性の形成＞
図３の左部は、一般的な撮像素子の画素アレイ部の一部の正面図を示しており、図３の右部は、撮像素子１２１の画素アレイ部の一部の正面図を示している。尚、図３においては、画素アレイ部が水平方向×垂直方向のそれぞれの画素数が６画素×６画素の構成である場合の例を示しているが、画素数の構成は、これに限るものではない。
【０１００】
入射角指向性は、例えば遮光膜により形成することができる。一般的な撮像素子１５１は、図３の左部の例のように、入射角指向性が同一の画素１５１ａがアレイ状に配置されていることが示されている。これに対して図３の右部の例の撮像素子１２１は、画素１２１ａ毎に、そのフォトダイオードの受光領域の一部を覆うように変調素子の１つである遮光膜１２１ｂが設けられており、各画素１２１ａに入射する入射光が、入射角度に応じて光学的に変調される。そして、例えば、画素１２１ａ毎に異なる範囲に遮光膜１２１ｂを設けることにより、画素１２１ａ毎に入射光の入射角度に対する受光感度が異なるものとなり、各画素１２１ａが異なる入射角指向性を有するようになる。
【０１０１】
例えば、画素１２１ａ−１と画素１２１ａ−２とでは、設けられている遮光膜１２１ｂ−１と遮光膜１２１ｂ−２とにより画素を遮光する範囲が異なる（遮光する領域（位置）、および遮光する面積の少なくともいずれかが異なる）。すなわち、画素１２１ａ−１においては、フォトダイオードの受光領域における左側の一部を所定の幅だけ遮光するように遮光膜１２１ｂ−１が設けられており、画素１２１ａ−２においては、受光領域における右側の一部を、遮光膜１２１ｂ−１よりも水平方向に広い幅だけ遮光するように遮光膜１２１ｂ−２が設けられている。その他の画素１２１ａにおいても、同様に、遮光膜１２１ｂが、画素毎に受光領域における異なる範囲が遮光されるように設けられており、画素アレイ内でランダムに配置されている。
【０１０２】
尚、遮光膜１２１ｂの範囲は、各画素の受光領域を覆い隠す割合が大きくなるほど、受光できる光量が少ない状態となるため、所望の光量が確保できる程度の面積とすることが望ましく、遮光膜１２１ｂの面積を、例えば、最大で受光可能な範囲の全体の３／４程度までといった制限を加えて構成するようにしてもよい。このようにすることで、所望量以上の光量を確保することが可能となる。ただし、各画素について、受光する光の波長に相当する幅の遮光されていない範囲が設けられていれば、最小限の光量を受光することは可能である。すなわち、例えば、B画素（青色画素）の場合、波長は500nm程度となるが、この波長に相当する幅以上に遮光されていなければ、最小限の光量を受光することは可能である。
【０１０３】
＜撮像素子の構成例＞
図４を参照して、この場合の撮像素子１２１の構成例について説明する。図４の上段は、撮像素子１２１の側面断面図であり、図４の中段は、撮像素子１２１の上面図である。また、図４の上段の側面断面図は、図４の中段におけるＡＢ断面となる。さらに、図４の下段は、撮像素子１２１の回路構成例である。
【０１０４】
図４に示される構成の撮像素子１２１は、撮像レンズ及びピンホールのいずれも介さずに入射する入射光を受光し、前記入射光の入射角によって変調された出力画素値を示す検出信号をそれぞれ１つ出力する複数の画素出力単位を備える。例えば、この撮像素子１２１は、その複数の画素出力単位のうちの少なくとも２つの画素出力単位の出力画素値の、被写体からの入射光の入射角に対する指向性を示す入射角指向性が、互いに異なる特性となるようにするための構成を有する。また、この場合の撮像素子１２１は、その複数の画素出力単位が、被写体からの入射光の入射角に対する指向性を示す入射角指向性を画素出力単位毎に独立に設定可能な構成を有する。
【０１０５】
図４の上段の撮像素子１２１においては、図中の上方から下方に向けて入射光が入射する。隣接する画素１２１ａ−１５，１２１ａ−１６は、それぞれ図中の最下層に配線層Ｚ１２が設けられており、その上に光電変換層Ｚ１１が設けられている、いわゆる、裏面照射型である。
【０１０６】
尚、画素１２１ａ−１５，１２１ａ−１６を区別する必要がない場合、単に、画素１２１ａと称し、他の構成についても、同様に称する。また、図４においては、撮像素子１２１の画素アレイを構成する２画素分の側面図および上面図となっているが、いうまでもなく、これ以上の数の画素１２１ａが配置されているが図示が省略されている。
【０１０７】
さらに、画素１２１ａ−１５，１２１ａ−１６は、それぞれ光電変換層Ｚ１１にフォトダイオード１２１ｅ−１５，１２１ｅ−１６を備えている。また、フォトダイオード１２１ｅ−１５，１２１ｅ−１６の上には、それぞれ上からオンチップレンズ１２１ｃ−１５，１２１ｃ−１６、およびカラーフィルタ１２１ｄ−１５，１２１ｄ−１６が構成されている。
【０１０８】
オンチップレンズ１２１ｃ−１５，１２１ｃ−１６は、入射光をフォトダイオード１２１ｅ―１５，１２１ｅ―１６上に集光させる。
【０１０９】
カラーフィルタ１２１ｄ−１５，１２１ｄ−１６は、例えば、赤色、緑色、青色、赤外および白色等の特定の波長の光を透過させる光学フィルタである。尚、白色の場合、カラーフィルタ１２１ｄ−１５，１２１ｄ−１６は、透明のフィルタでもよいし、無くてもよい。
【０１１０】
画素１２１ａ−１５，１２１ａ−１６の光電変換層Ｚ１１における、それぞれ画素間の境界には、遮光膜１２１ｐ−１５乃至１２１ｐ−１７が形成されており、隣接する画素間のクロストークを抑制する。
【０１１１】
また、変調素子の１つである遮光膜１２１ｂ−１５，１２１ｂ−１６は、図４の上段および中段で示されるように、受光面Ｓの一部を遮光している。遮光膜１２１ｂにより受光面Ｓの一部が遮光されることにより、画素１２１ａに入射する入射光が入射角度に応じて光学的に変調される。画素１２１ａは、その光学的に変調された入射光を検出するので、入射角指向性を有するようになる。画素１２１ａ−１５，１２１ａ−１６におけるフォトダイオード１２１ｅ−１５，１２１ｅ−１６の受光面Ｓにおいては、遮光膜１２１ｂ−１５，１２１ｂ−１６により、それぞれ異なる範囲が遮光されており、これにより画素ごとに異なる入射角指向性が設定される。ただし、遮光される範囲は、撮像素子１２１の全画素１２１ａのそれぞれにおいて異なることが場合に限らず、一部で同一の範囲が遮光される画素１２１ａが存在していてもよい。
【０１１２】
図４の上段で示されるような構成により、遮光膜１２１ｐ−１５の右端部と、遮光膜１２１ｂ−１５の上方端部とが接続されると共に、遮光膜１２１ｂ−１６の左端部と遮光膜１２１ｐ−１６の上方端部とが接続され、側面からみてＬ字型に構成されている。
【０１１３】
さらに、遮光膜１２１ｂ−１５乃至１２１ｂ−１７、および遮光膜１２１ｐ−１５乃至１２１ｐ−１７は、金属により構成されており、例えば、タングステン（W）、アルミニウム（Al）、またはAlと銅（Cu）との合金より構成される。また、遮光膜１２１ｂ−１５乃至１２１ｂ−１７、および遮光膜１２１ｐ−１５乃至１２１ｐ−１７は、半導体プロセスにおける配線が形成されるプロセスと同一のプロセスで、配線と同一の金属により同時に形成されるようにしてもよい。尚、遮光膜１２１ｂ−１５乃至１２１ｂ−１７、および遮光膜１２１ｐ−１５乃至１２１ｐ−１７の膜厚は、位置に応じて同一の厚さにしなくてもよい。
【０１１４】
また、図４の下段で示されるように、画素１２１ａは、フォトダイオード１６１（フォトダイオード１２１ｅに対応する）、転送トランジスタ１６２、ＦＤ（Floating Diffusion：フローティングディフュージョン）部１６３、選択トランジスタ１６４、増幅トランジスタ１６５、およびリセットトランジスタ１６６を備えて構成され、垂直信号線１６７を介して電流源１６８に接続されている。
【０１１５】
フォトダイオード１６１は、アノード電極がそれぞれ接地され、カソード電極が、転送トランジスタ１６２を介して増幅トランジスタ１６５のゲート電極にそれぞれ接続される構成となっている。
【０１１６】
転送トランジスタ１６２は、転送信号ＴＧに従ってそれぞれ駆動する。例えば、転送トランジスタ１６２のゲート電極に供給される転送信号ＴＧがハイレベルになると、転送トランジスタ１６２はオンとなる。これにより、フォトダイオード１６１に蓄積されている電荷が転送トランジスタ１６２を介してＦＤ部１６３に転送される。
【０１１７】
増幅トランジスタ１６５は、フォトダイオード１６１での光電変換によって得られる信号を読み出す読出し回路であるソースフォロワの入力部となり、ＦＤ部１６３に蓄積されている電荷に応じたレベルの画素信号を垂直信号線２３に出力する。すなわち、増幅トランジスタ１６５は、ドレイン端子が電源電圧ＶＤＤに接続され、ソース端子が選択トランジスタ１６４を介して垂直信号線１６７に接続されることで、垂直信号線１６７の一端に接続される電流源１６８とソースフォロワを構成する。
【０１１８】
ＦＤ（Floating Diffusion：フローティングディフュージョン）部１６３は、転送トランジスタ１６２と増幅トランジスタ１６５との間に設けられる電荷容量Ｃ１を有する浮遊拡散領域であり、転送トランジスタ１６２を介してフォトダイオード１６１から転送される電荷を一時的に蓄積する。ＦＤ部１６３は、電荷を電圧に変換する電荷検出部であって、ＦＤ部１６３に蓄積されている電荷が増幅トランジスタ１６５において電圧に変換される。
【０１１９】
選択トランジスタ１６４は、選択信号ＳＥＬに従って駆動し、ゲート電極に供給される選択信号ＳＥＬがハイレベルになるとオンとなって、増幅トランジスタ１６５と垂直信号線１６７とを接続する。
【０１２０】
リセットトランジスタ１６６は、リセット信号ＲＳＴに従って駆動する。例えば、リセットトランジスタ１６６は、ゲート電極に供給されるリセット信号ＲＳＴがハイレベルになるとオンとなり、ＦＤ部１６３に蓄積されている電荷を電源電圧ＶＤＤに排出して、ＦＤ部１６３をリセットする。
【０１２１】
以上のような回路構成により、図４の下段で示される画素回路は以下のように動作する。
【０１２２】
すなわち、第一動作として、リセットトランジスタ１６６および転送トランジスタ１６２がオンにされ、ＦＤ部１６３に蓄積されている電荷を電源電圧ＶＤＤに排出して、ＦＤ部１６３をリセットする。
【０１２３】
第二動作として、リセットトランジスタ１６６および転送トランジスタ１６２がオフにされ、露光期間となり、フォトダイオード１６１により、入射光の光量に応じた電荷が蓄積される。
【０１２４】
第三動作として、リセットトランジスタ１６６がオンにされて、ＦＤ部１６３がリセットされた後、リセットトランジスタ１６６がオフにされる。この動作により、ＦＤ部１６３がリセットされて、基準電位に設定される。
【０１２５】
第四動作として、リセットされた状態のＦＤ部１６３の電位が、基準電位として増幅トランジスタ１６５より出力される。
【０１２６】
第五動作として、転送トランジスタ１６２がオンにされて、フォトダイオード１６１に蓄積された電荷がＦＤ部１６３に転送される。
【０１２７】
第六動作として、フォトダイオードの電荷が転送されたＦＤ部１６３の電位が、信号電位として増幅トランジスタ１６５より出力される。
【０１２８】
以上の処理により、信号電位から基準電位が減算されて、ＣＤＳ（相関二重サンプリング）により検出信号として出力される。この検出信号の値（出力画素値）は、被写体からの入射光の入射角に応じて変調されており、入射角により特性（指向性）が異なる（入射角指向性を有する）。
【０１２９】
このように、図４の場合の画素１２１ａは、１個についてフォトダイオード１２１ｅが１個設けられており、画素１２１ａ毎に異なる範囲が遮光膜１２１ｂにより遮光されており、遮光膜１２１ｂを用いた光学的な変調により、１個の画素１２１ａで入射角指向性を備えた検出画像の１画素分の検出信号を表現することができる。
【０１３０】
＜撮像素子の他の構成例＞
また、入射角指向性は、例えば受光素子（例えばフォトダイオード）の画素内における位置、大きさ、形状等により形成することができる。これらのパラメータが異なる画素同士では、同一方向からの同一の光強度の入射光に対する感度が異なる。つまり、これらのパラメータを画素毎に設定することにより、画素毎に入射角指向性を設定することができる。
【０１３１】
例えば、画素内に複数の受光素子（例えばフォトダイオード）を設け、それらが選択的に用いられるようにしてもよい。このようにすることにより、その受光素子の選択によって画素毎に入射角指向性を設定することができるようになる。
【０１３２】
図５は、撮像素子１２１の他の構成例を示す図である。図５の上段には、撮像素子１２１の画素１２１ａの側面断面図が示されており、図５の中段には、撮像素子１２１の上面図が示されている。また、図５の上段の側面断面図は、図５の中段におけるＡＢ断面となる。さらに、図５の下段は、撮像素子１２１の回路構成例である。
【０１３３】
図５に示される構成の撮像素子１２１は、撮像レンズ及びピンホールのいずれも介さずに入射する入射光を受光し、その入射光の入射角によって変調された出力画素値を示す検出信号をそれぞれ１つ出力する複数の画素出力単位を備える。例えば、この撮像素子１２１は、その複数の画素出力単位のうちの少なくとも２つの画素出力単位の出力画素値の、被写体からの入射光の入射角に対する指向性を示す入射角指向性が、互いに異なる特性となるようにするための構成を有する。また、この場合の撮像素子１２１は、その複数の画素出力単位が、出力に寄与するPD（Photo Diode）を互いに異ならせることで、その出力画素値の、被写体からの入射光の入射角に対する指向性を示す入射角指向性を画素出力単位毎に独立に設定し得る。
【０１３４】
図５に示されるように、撮像素子１２１は、画素１２１ａにおいて、４つのフォトダイオード１２１ｆ−１乃至１２１ｆ−４が形成され、遮光膜１２１ｐが、フォトダイオード１２１ｆ−１乃至１２１ｆ−４同士を分離する領域に形成されている点で、図５の撮像素子１２１と異なる構成となっている。即ち、図５の撮像素子１２１では、遮光膜１２１ｐは、上面から見て「＋」形状に形成されている。なお、それらの共通の構成については同一の符号を付し、詳細な説明は省略する。
【０１３５】
図５のように構成された撮像素子１２１では、遮光膜１２１ｐによりフォトダイオード１２１ｆ−１乃至１２１ｆ−４に分離することによって、フォトダイオード１２１ｆ−１乃至１２１ｆ−４間の電気的および光学的なクロストークを防止することができる。即ち、図５の遮光膜１２１ｐは、図４の撮像素子１２１の遮光膜１２１ｐと同様にクロストークを防止するためのものであって、入射角指向性を与えるためのものではない。
【０１３６】
詳細については後述するが、フォトダイオード１２１ｆ−１乃至１２１ｆ−４は、受光感度特性が高くなる入射角が互いに異なる。つまり、フォトダイオード１２１ｆ−１乃至１２１ｆ−４のいずれから電荷を読み出すかによって、画素１２１ａの出力画素値に所望の入射角指向性を持たせることができる。つまり、画素１２１ａの出力画素値の入射角指向性を制御することができる。
【０１３７】
図５の撮像素子１２１の構成例においては、１個のＦＤ部１６３を４個のフォトダイオード１２１ｆ−１乃至１２１ｆ−４で共有する。図５の下段は、１個のＦＤ部１６３を４個のフォトダイオード１２１ｆ−１乃至１２１ｆ−４で共有するようにした回路構成例を示している。尚、図５の下段において、図４の下段と同一の構成については、その説明を省略する。
【０１３８】
図５の下段において、図４の下段の回路構成と異なる点は、フォトダイオード１６１および転送トランジスタ１６２に代えて、フォトダイオード１６１−１乃至１６１−４（図５の上段におけるフォトダイオード１２１ｆ−１乃至１２１ｆ−４に対応する）および転送トランジスタ１６２−１乃至１６２−４を設け、ＦＤ部１６３を共有する構成としている点である。
【０１３９】
図５の下段に示される回路において、フォトダイオード１６１−１乃至１６１−４を互いに区別して説明する必要がない場合、フォトダイオード１６１と称する。また、転送トランジスタ１６２−１乃至１６２−４を互いに区別して説明する必要がない場合、転送トランジスタ１６２と称する。
【０１４０】
図５の下段に示される回路において、いずれかの転送トランジスタ１６２がオンされると、その転送トランジスタ１６２に対応するフォトダイオード１６１の電荷が読み出され、共通のＦＤ部１６３に転送される。そして、ＦＤ部１６３に保持されている電荷のレベルに応じた信号が画素出力単位の検出信号として読み出される。つまり、各フォトダイオード１６１の電荷は互いに独立に読み出すことができ、どの転送トランジスタ１６２をオンにするかによって、どのフォトダイオード１６１から電荷を読み出すかを制御することができる。換言するに、どの転送トランジスタ１６２をオンにするかによって、各フォトダイオード１６１による出力画素値への寄与の度合いを制御することができる。例えば、少なくとも２つの画素間において、電荷を読み出すフォトダイオード１６１を互いに異なるものとすることにより、出力画素値に寄与するフォトダイオード１６１を互いに異ならせることができる。つまり、電荷を読み出すフォトダイオード１６１の選択により、画素１２１ａの出力画素値に所望の入射角指向性を持たせることができる。つまり、各画素１２１ａから出力される検出信号を、被写体からの入射光の入射角に応じて変調された値（出力画素値）とすることができる。
【０１４１】
例えば、図５において、フォトダイオード１２１ｆ−１およびフォトダイオード１２１ｆ−３の電荷をＦＤ部１６３に転送し、それぞれを読み出して得られる信号を加算するようにすることにより、画素１２１ａの出力画素値に図中左右方向の入射角指向性を持たせることができる。同様に、フォトダイオード１２１ｆ−１およびフォトダイオード１２１ｆ−２の電荷をＦＤ部１６３に転送し、それぞれを読み出して得られる信号を加算するようにすることにより、画素１２１ａの出力画素値に図中上下方向の入射角指向性を持たせることができる。
【０１４２】
なお、図５の画素１２１ａの各フォトダイオード１２１ｆのそれぞれの電荷に基づいて得られる信号は、画素から読み出された後に加算するようにしてもよいし、画素内（例えばＦＤ部１６３）において加算するようにしてもよい。
【０１４３】
また、電荷（またはその電荷に対応する信号）を加算するフォトダイオード１２１ｆの組み合わせは任意であり、上述の例に限定されない。例えば、３つ以上のフォトダイオード１２１ｆの電荷（またはその電荷に対応する信号）を加算するようにしてもよい。また、例えば、加算を行わずに、１つのフォトダイオード１２１ｆの電荷を読み出すようにしてもよい。
【０１４４】
なお、電子シャッタ機能を用いて電荷のＦＤ部１６３への読み出しの前にフォトダイオード１６１（フォトダイオード１２１ｆ）に蓄積された検出値（電荷）をリセットすること等で、画素１２１ａ（の検出感度）に所望の入射角指向性を持たせるようにしてもよい。
【０１４５】
例えば、電子シャッタ機能を用いる場合、フォトダイオード１２１ｆの電荷のＦＤ部１６３への読み出しの直前にリセットをすれば、そのフォトダイオード１２１ｆは画素１２１ａの検出信号レベルへの寄与が無い状態とすることができ、リセットとＦＤ部１６３への読み出しの間の時間を持たせれば、部分的に寄与をさせることもできる。
【０１４６】
以上のように、図５の画素１２１ａは、１個について４個のフォトダイオード１２１ｆが設けられており、受光面に対して遮光膜１２１ｂが形成されていないが、遮光膜１２１ｐにより、複数の領域に分割され、４個のフォトダイオード１２１ｆ−１乃至１２１ｆ−４が形成されており、入射角指向性を備えた検出画像の１画素分の検出信号を表現している。換言するに、例えば、フォトダイオード１２１ｆ−１乃至１２１ｆ−４のうち出力に寄与しない範囲が遮光された領域と同様に機能して、入射角指向性を備えた、検出画像の１画素分の検出信号を表現している。尚、フォトダイオード１２１ｆ−１乃至１２１ｆ−４を用いて、１画素分の検出信号を表現する場合、遮光膜１２１ｂは用いられていないので、検出信号は、光学的な変調により得られる信号ではない。
【０１４７】
以上においては画素内に４個のフォトダイオードを配置する例について説明したが、画素内に配置するフォトダイオードの数は任意であり、上述の例に限定されない。つまり、画素内におけるフォトダイオードを配置する部分領域の数も任意である。
【０１４８】
また、以上においては、画素内を４等分した４つの部分領域にフォトダイオードを配置するように説明したが、この部分領域は等分割されたものでなくてもよい。つまり、各部分領域の大きさや形状が全て統一されていなくてもよい（大きさや形状が他と異なる部分領域が含まれていてもよい）。または、各部分領域内に配置されるフォトダイオードの位置（部分領域内における位置）、大きさ、形状等が、フォトダイオード毎（部分領域毎）に異なるようにしてもよい。その際、各部分領域の大きさや形状は、全て統一されていてもよいし、統一されていなくてもよい。
【０１４９】
さらに、撮像素子１２１の全画素において、これらのパラメータが統一されていなくてもよい。つまり、撮像素子１２１の１画素以上において、これらのパラメータの内の１つ以上のパラメータが、他の画素と異なっていてもよい。
【０１５０】
例えば、画素内におけるフォトダイオードを配置する部分領域を形成するための分割位置が他の画素と異なる画素が、撮像素子１２１の画素群に含まれるようにしてもよい。つまり、撮像素子１２１が、部分領域の大きさや形状が他の画素と異なる画素を１画素以上有するようにしてもよい。例えば、画素毎にこの分割位置を異ならせるようにすることにより、複数の画素で左上のフォトダイオードのみを用いるようにしたとしても、その複数の画素のそれぞれにおいて検出される検出信号の入射角指向性を互いに異なるものとすることができる。
【０１５１】
また例えば、画素内に配置される複数のフォトダイオードの位置、大きさ、形状等が他の画素と異なる画素が、撮像素子１２１の画素群に含まれるようにしてもよい。つまり、撮像素子１２１が、配置される複数のフォトダイオードの位置、大きさ、形状の内の少なくともいずれか１つが他の画素と異なる画素を１画素以上有するようにしてもよい。例えば、画素毎にフォトダイオードの位置、大きさ、形状等を異ならせるようにすることにより、複数の画素で左上のフォトダイオードのみを用いるようにしたとしても、その複数の画素のそれぞれにおいて検出される検出信号の入射角指向性を互いに異なるものとすることができる。
【０１５２】
さらに例えば、部分領域のパラメータ（大きさ、形状）と、フォトダイオードのパラメータ（位置、大きさ、形状）との両方が他の画素と異なる画素を１画素以上有するようにしてもよい。
【０１５３】
また例えば、画素内におけるフォトダイオードを配置する部分領域を形成するための分割数が他の画素と異なる画素が、撮像素子１２１の画素群に含まれるようにしてもよい。つまり、撮像素子１２１が、配置されるフォトダイオードの数が他の画素と異なる画素を１画素以上有するようにしてもよい。例えば、画素毎に分割数（フォトダイオードの数）を異ならせるようにすることにより、より自由に入射角指向性を設定することができる。
【０１５４】
＜入射角指向性を生じさせる原理について＞
撮像素子１２１における各画素の入射角指向性は、例えば、図６で示されるような原理により発生する。尚、図６の左上部および右上部は、図４の撮像素子１２１における入射角指向性の発生原理を説明する図であり、図６の左下部および右下部は、図５の撮像素子１２１における入射角指向性の発生原理を説明する図である。
【０１５５】
また、図６の左上部および右上部における１画素は、いずれも１個のフォトダイオード１２１ｅにより構成される。これに対して、図６の左下部および右下部における１画素は、いずれも２個のフォトダイオード１２１ｆにより構成される。尚、ここでは、１画素が２個のフォトダイオード１２１ｆにより構成される例について説明しているが、これは説明の便宜上であり、１画素を構成するフォトダイオード１２１ｆの数は、その他の個数であってもよい。
【０１５６】
図６の左上部においては、図中の上方から下方に向けて入射光が入射するとき、フォトダイオード１２１ｅ−１１の受光面の右半分を遮光するように遮光膜１２１ｂ−１１が形成されている。また、図６の右上部においては、フォトダイオード１２１ｅ−１２の受光面の左半分を遮光するように遮光膜１２１ｂ−１２が形成されている。尚、図中の一点鎖線は、フォトダイオード１２１ｅの受光面の図中の水平方向の中心位置であって、受光面に対して垂直方向であることを表している。
【０１５７】
例えば、図６の左上部のような構成の場合、図中の一点鎖線に対して入射角θ１を成す矢印で示される、図中の右上方向からの入射光は、フォトダイオード１２１ｅ−１１の遮光膜１２１ｂ−１１により遮光されていない左半分の範囲では受光し易いが、図中の一点鎖線に対して入射角θ２を成す矢印で示される、図中の左上方向からの入射光は、フォトダイオード１２１ｅ−１１の遮光膜１２１ｂ−１１により遮光されていない左半分の範囲では受光し難い。したがって、図６の左上部のような構成の場合、図中の右上方からの入射光に対して受光感度特性が高く、左上方からの入射光に対して受光感度特性が低いといった入射角指向性を備えることになる。
【０１５８】
これに対して、例えば、図６の右上部のような構成の場合、図中の一点鎖線に対して入射角θ１１を成す矢印で示される、図中の右上方向からの入射光は、フォトダイオード１２１ｅ−１２の遮光膜１２１ｂ−１２により遮光されている左半分の範囲では受光し難いが、図中の一点鎖線に対して入射角θ１２を成す矢印で示される、図中の左上方向からの入射光は、フォトダイオード１２１ｅ−１２の遮光膜１２１ｂ−１２により遮光されていない右半分の範囲で受光し易い。したがって、図６の右上部のような構成の場合、図中の右上方からの入射光に対して受光感度特性が低く、左上方からの入射光に対して受光感度特性が高いといった入射角指向性を備えることになる。
【０１５９】
また、図６の左下部の場合、図中の左右にフォトダイオード１２１ｆ−１，１２１ｆ−２が設けられており、いずれかの一方の検出信号を読み出すようにすることで、遮光膜１２１ｂを設けることなく入射角指向性を有する構成とされている。
【０１６０】
すなわち、図６の左下部で示されるように、画素１２１ａに２個のフォトダイオード１２１ｆ−１，１２１ｆ−２が形成されている場合、図中の左側に設けられたフォトダイオード１２１ｆ−１の検出信号がこの画素１２１ａの検出信号レベルに寄与するようにすることで、図６の左上部における構成と同様の入射角指向性を備えるようにすることができる。すなわち、図中の一点鎖線に対して入射角θ２１を成す矢印で示される、図中の右上方向からの入射光は、フォトダイオード１２１ｆ−１に入射して受光され、その検出信号が読み出され、この画素１２１ａの検出信号レベルに寄与する。これに対して、図中の一点鎖線に対して入射角θ２２を成す矢印で示される、図中の左上方向からの入射光は、フォトダイオード１２１ｆ−２に入射するが、その検出信号は読み出されず、この画素１２１ａの検出信号レベルに寄与しない。
【０１６１】
同様に、図６の右下部で示されるように、画素１２１ａに２個のフォトダイオード１２１ｆ−１１，１２１ｆ−１２が形成されている場合、図中の左側に設けられたフォトダイオード１２１ｆ−１２の検出信号がこの画素１２１ａの検出信号レベルに寄与するようにすることで、図６の右上部における構成と同様の入射角指向性を備えるようにすることができる。すなわち、図中の一点鎖線に対して入射角θ３１を成す矢印で示される、図中の右上方向からの入射光は、フォトダイオード１２１ｆ−１１に入射するが、その検出信号は読み出されず、この画素１２１ａの検出信号レベルに寄与しない。これに対して、図中の一点鎖線に対して入射角θ３２を成す矢印で示される、図中の左上方向からの入射光は、フォトダイオード１２１ｆ−１２に入射して受光され、その検出信号が読み出され、この画素１２１ａの検出信号レベルに寄与する。
【０１６２】
尚、図６においては、垂直方向の一点鎖線が、フォトダイオード１２１ｅの受光面の図中の水平方向の中心位置である例について説明してきたが、説明の便宜上であり、その他の位置であってもよい。垂直方向の一点鎖線で示される遮光膜１２１ｂの水平方向の位置が異なることにより、異なる入射角指向性を生じさせることができる。
【０１６３】
＜オンチップレンズを含む構成における入射角指向性について＞
以上においては、入射角指向性の発生原理について説明してきたが、ここでは、オンチップレンズ１２１ｃを含めた構成における入射角指向性について説明する。
【０１６４】
すなわち、撮像素子１２１における各画素の入射角指向性は、上述した遮光膜１２１ｂによるものに加えて、オンチップレンズ１２１ｃを用いることにより、例えば、図７で示されるように設定される。すなわち、図７の中段左部においては、図中上方の入射方向より入射光を集光するオンチップレンズ１２１ｃ−１１、所定の波長の光を透過させるカラーフィルタ１２１ｄ−１１、および光電変換により画素信号を生成するフォトダイオード１２１ｅ−１１の順に積層され、図７の中段右部においては、図中上方の入射方向よりオンチップレンズ１２１ｃ−１２、カラーフィルタ１２１ｄ−１２、およびフォトダイオード１２１ｅ−１２の順に構成されている。
【０１６５】
尚、オンチップレンズ１２１ｃ−１１，１２１ｃ−１２、カラーフィルタ１２１ｄ−１１，１２１ｄ−１２、およびフォトダイオード１２１ｅ−１１，１２１ｅ−１２の、それぞれを区別する必要がない場合、単に、オンチップレンズ１２１ｃ、カラーフィルタ１２１ｄ、およびフォトダイオード１２１ｅと称する。
【０１６６】
撮像素子１２１においては、さらに、図７の中段左部、および中段右部のそれぞれに示されるように、入射光を受光する領域の一部を遮光する遮光膜１２１ｂ−１１，１２１ｂ−１２が設けられている。
【０１６７】
図７の中段左部で示されるように、図中のフォトダイオード１２１ｅ−１１の右側半分を遮光するような遮光膜１２１ｂ−１１が設けられている場合、図７の上段の実線の波形で示されるように、入射光の入射角度θに応じてフォトダイオード１２１ｅ−１１の検出信号レベルが変化する。
【０１６８】
すなわち、フォトダイオード１２１ｅおよびオンチップレンズ１２１ｃの中心位置であって、それぞれに対して垂直となる一点鎖線に対して、入射光のなす角である入射角度θが大きくなると（入射角度θが正の方向に大きくなると（図中の右方向に傾くと））、遮光膜１２１ｂ−１１が設けられていない範囲に光が集光されることで、フォトダイオード１２１ｅ−１１の検出信号レベルが大きくなる。逆に、入射角度θが小さいほど（入射角度θが負の方向に大きいほど（図中の左方向に傾くと））、遮光膜１２１ｂ−１１が設けられている範囲に光が集光されることで、フォトダイオード１２１ｅ−１１の検出信号レベルが小さくなる。
【０１６９】
尚、ここでいう入射角度θは、入射光の方向が一点鎖線と一致する場合を０度とし、図中の右上方からの入射光が入射する、図７の中段左側の入射角度θ２１側の入射角度θを正の値とし、図７の中段右側の入射角度θ２２側の入射角度θを負の値とする。したがって、図７においては、オンチップレンズ１２１ｃに対して、右上方より入射する入射光については、左上方より入射する入射光よりも入射角度が大きくなる。すなわち入射角度θは、図７において、入射光の進行方向が右に傾くほど大きくなり（正の方向に大きくなり）、左に傾くほど小さくなる（負の方向に大きくなる）ものとする。
【０１７０】
また、図７の中段右部で示されるように、図中のフォトダイオード１２１ｅ−１２の左側半分を遮光するような遮光膜１２１ｂ−１２が設けられている場合、図７の上段の点線の波形で示されるように、入射光の入射角度θに応じてフォトダイオード１２１ｅ−１２の検出信号レベルが変化する。
【０１７１】
すなわち、図７の上段における点線の波形で示されるように、フォトダイオード１２１ｅおよびオンチップレンズ１２１ｃの中心位置であって、それぞれに対して垂直となる一点鎖線に対して、入射光のなす角である入射角度θが大きいほど（入射角度θが正の方向に大きいほど）、遮光膜１２１ｂ−１２が設けられている範囲に光が集光されることで、フォトダイオード１２１ｅ−１２の検出信号レベルが小さくなる。逆に、入射角度θが小さいほど（入射角度θが負の方向に大きいほど）、遮光膜１２１ｂ−１２が設けられていない範囲に光が入射することで、フォトダイオード１２１ｅ−１２の検出信号レベルが大きくなる。
【０１７２】
尚、図７の上段においては、横軸が入射角度θであり、縦軸がフォトダイオード１２１ｅにおける検出信号レベルを示している。
【０１７３】
この図７の上段で示される入射角度θに応じた検出信号レベルを示す実線および点線で示される波形は、遮光膜１２１ｂの範囲に応じて変化させることができるので、これにより画素単位で相互に異なる入射角指向性を持たせる（設定する）ことが可能となる。尚、図７の上段における実線の波形は、図７の中段左部、および下段左部における入射光が、入射角度θを変化させて集光される様子を示す実線の矢印に対応している。また、図７の上段における点線の波形は、図７の中段右部、および下段右部における入射光が、入射角度θを変化させて集光される様子を示す点線の矢印に対応している。
【０１７４】
ここでいう入射角指向性とは、入射角度θに応じた各画素の検出信号レベルの特性（受光感度特性）であるが、図７の中段の例の場合、これは入射角度θに応じた遮光値の特性であるとも言える。すなわち、遮光膜１２１ｂは、特定の方向の入射光は高いレベルで遮光するが、特定の方向以外の方向からの入射光は十分に遮光できない。この遮光できるレベルの変化が、図７の上段で示されるような入射角度θに応じた異なる検出信号レベルを生じさせる。したがって、各画素において最も高いレベルで遮光可能な方向を各画素の遮光方向と定義すると、画素単位で相互に異なる入射角指向性を持つということは、換言すれば、画素単位で相互に異なる遮光方向を持つということになる。
【０１７５】
さらに、図７の下段左部で示されるように、１個のオンチップレンズ１２１ｃ−１１に対して２個のフォトダイオード１２１ｆ−１，１２１ｆ−２が設けられる構成とする（画素出力単位が２個のフォトダイオード１２１ｆ−１，１２１ｆ−２から構成される）ことにより、図中左部のフォトダイオード１２１ｆ−１のみの検出信号を用いるようにすることで、図７の中段左部におけるフォトダイオード１２１ｅ−１１の右側を遮光した状態と同じ検出信号レベルを求めるようにすることができる。
【０１７６】
すなわち、オンチップレンズ１２１ｃの中心位置であって、それぞれに対して垂直となる一点鎖線に対して、入射光のなす角である入射角度θが大きくなると（入射角度θが正の方向に大きくなると）、検出信号が読み出されるフォトダイオード１２１ｆ−１の範囲に光が集光されることで、検出信号レベルが大きくなる。逆に、入射角度θが小さいほど（入射角度θが負の方向に大きいほど）、検出値が読み出されないフォトダイオード１２１ｆ−２の範囲に光が集光されることで、検出信号レベルが小さくなる。
【０１７７】
また、同様に、図７の下段右部で示されるように、１個のオンチップレンズ１２１ｃ−１２に対して２個のフォトダイオード１２１ｆ−１１，１２１ｆ−１２が設けられる構成とすることにより、図中右部のフォトダイオード１２１ｆ−１２のみの検出信号を用いるようにすることで、図７の中段右部におけるフォトダイオード１２１ｅ−１２の左側を遮光した状態と同じ検出信号レベルの出力画素単位の検出信号を得るようにすることができる。
【０１７８】
すなわち、オンチップレンズ１２１ｃの中心位置であって、それぞれに対して垂直となる一点鎖線に対して、入射光のなす角である入射角度θが大きくなると（入射角度θが正の方向に大きくなると）、検出信号が出力画素単位の検出信号に寄与しないフォトダイオード１２１ｆ−１１の範囲に光が集光されることで、出力画素単位の検出信号の検出信号レベルが小さくなる。逆に、入射角度θが小さいほど（入射角度θが負の方向に大きいほど）、検出信号が出力画素単位の検出信号に寄与するフォトダイオード１２１ｆ−１２の範囲に光が集光されることで、出力画素単位の検出信号の検出信号レベルが大きくなる。
【０１７９】
尚、入射角指向性については、ランダム性が高い方が望ましい。例えば、隣り合う画素間で同一の入射角指向性を持つと、上述した式（１）乃至式（３）または、後述する式（４）乃至式（６）が相互に同一の式となる恐れがあり、連立方程式の解となる未知数と式の数の関係が満たせなくなり、復元画像を構成する画素値を求められなくなる恐れがあるためである。また、図７の中段で示される構成においては、画素１２１ａに、１個のフォトダイオード１２１ｅ−１１およびフォトダイオード１２１ｅ−１２が形成されている。これに対して、図７の下段で示される構成においては、画素１２１ａに、２個のフォトダイオード１２１ｆ−１および１２１ｆ−２、並びに、フォトダイオード１２１ｆ−１１および１２１ｆ−１２が形成されている。したがって、例えば、図７の下段においては、フォトダイオード１２１ｆの単体では、１画素は構成されない。
【０１８０】
また、図７の下段で示されるように、複数のフォトダイオード１２１ｆから１画素出力単位が構成される場合、入射角度に応じて、画素出力単位の出力画素値が変調されているとみなすことができる。したがって、出力画素値の特性（入射角指向性）を画素出力単位で異ならせることが可能となり、１画素出力単位での入射角指向性が設定される。さらに、複数のフォトダイオード１２１ｆから１画素出力単位が構成される場合、１画素出力単位での入射角指向性を生じさせる上で、１画素出力単位に対して１個のオンチップレンズ１２１ｃが必須構成となる。
【０１８１】
また、図７の上段で示されるように、１個のフォトダイオード１２１ｅ−１１またはフォトダイオード１２１ｅ−１２のそれぞれが１画素出力単位を構成する場合、入射角度に応じて、１画素出力単位を構成する１個のフォトダイオード１２１ｅ−１１またはフォトダイオード１２１ｅ−１２への入射光が変調されることにより、結果として出力画素値が変調される。したがって、出力画素値の特性（入射角指向性）が異ならせることが可能となり、１画素出力単位での入射角指向性が設定される。さらに、１個のフォトダイオード１２１ｅ−１１またはフォトダイオード１２１ｅ−１２のそれぞれが１画素出力単位を構成する場合、入射角指向性は、１画素出力単位毎に設けられる遮光膜１２１ｂにより独立して製造時に設定される。
【０１８２】
また、図７の下段で示されるように、複数のフォトダイオード１２１ｆから１画素出力単位が構成される場合、１画素出力単位毎の入射角指向性を設定するための複数のフォトダイオード１２１ｆの数（１画素出力単位を構成するフォトダイオード１２１ｆの分割数）や位置については、１画素出力単位で独立して製造時に設定され、さらに、このうち、どのフォトダイオード１２１ｆを用いて入射角指向性を設定するかについては、撮像時に切り替えるようにすることができる。
【０１８３】
＜入射角指向性の設定＞
例えば、図８の上段で示されるように、遮光膜１２１ｂの設定範囲が、画素１２１ａにおける水平方向について、左端部から位置Ａまでの範囲とし、垂直方向について、上端部から位置Ｂまでの範囲とする。
【０１８４】
この場合、各画素の水平方向の中心位置からの入射角度θｘ（ｄｅｇ）に応じた、入射角指向性の指標となる水平方向の０乃至１の重みＷｘを設定する。より詳細には、位置Ａに対応する入射角度θｘ＝θａにおいて、重みＷｘが０．５になると仮定した場合、入射角度θｘ＜θａ−αにおいて重みＷｘが１となり、θａ−α≦入射角度θｘ≦θａ＋αにおいて、重みＷｘが（−（θｘ−θａ）／２α＋１／２）となり、入射角度θｘ＞θａ＋αにおいて重みＷｘが０となるように重みＷｈを設定する。尚、ここでは、重みＷｈが０，０．５，１である例について説明するが、重みＷｈが０，０．５，１となるのは、理想的な条件が満たされるときとなる。
【０１８５】
同様に、各画素の垂直方向の中心位置からの入射角度θｙ（ｄｅｇ）に応じた、入射角指向性の指標となる垂直方向の０乃至１の重みＷｙを設定する。より詳細には、位置Ｂに対応する入射角度θｙ＝θｂにおいて、重みＷｖが０．５になると仮定した場合、入射角度θｙ＜θｂ−αにおいて重みＷｙが０となり、θｂ−α≦入射角度θｙ≦θｂ＋αにおいて、重みＷｙが（（θｙ−θｂ）／２α＋１／２）となり、入射角度θｙ＞θｂ＋αにおいて重みＷｙが１となるように重みＷｙを設定する。
【０１８６】
そして、このようにして求められた重みＷｘ，Ｗｙを用いることにより、それぞれの画素１２１ａの入射角指向性、すなわち、受光感度特性に対応する係数（係数セット）を求めることができる。
【０１８７】
また、このとき、水平方向の重みＷｘおよび垂直方向の重みＷｙが０．５の前後となる範囲における重みの変化を示す傾き（１／２α）は、焦点距離の異なるオンチップレンズ１２１ｃを用いることで設定することができる。
【０１８８】
すなわち、曲率の異なるオンチップレンズ１２１ｃを用いることで異なる焦点距離とすることができる。
【０１８９】
例えば、曲率の異なるオンチップレンズ１２１ｃを用いることで、図８の下段における実線で示されるように、焦点距離が、遮光膜１２１ｂ上になるように集光されるとき、傾き（１／２α）は、急峻になる。すなわち、図８の上段における、水平方向の重みＷｘおよび垂直方向の重みＷｙは、０．５付近となる水平方向の入射角度θｘ＝θａ、および、垂直方向の入射角度θｙ＝θｂの境界付近において、急激に０または１に変化する。
【０１９０】
また、例えば、曲率の異なるオンチップレンズ１２１ｃを用いることで、図８の下段における点線で示されるように、焦点距離が、フォトダイオード１２１ｅ上に集光されるとき、傾き（１／２α）は、緩くなる。すなわち、図８の上部における、水平方向の重みＷｘおよび垂直方向の重みＷｙが０．５付近となる水平方向の入射角度θｘ＝θａ、および、垂直方向の入射角度θｙ＝θｂの境界付近において、緩やかに０または１に変化する。
【０１９１】
以上のように、曲率の異なるオンチップレンズ１２１ｃを用いて、異なる焦点距離にすることで異なる入射角指向性、すなわち、異なる受光感度特性を得ることができる。
【０１９２】
したがって、画素１２１ａの入射角指向性は、遮光膜１２１ｂによりフォトダイオード１２１ｅが遮光される範囲と、オンチップレンズ１２１ｃの曲率とが異なるようにすることで異なる値に設定することができる。尚、オンチップレンズの曲率は、撮像素子１２１における全ての画素で同一でもよいし、一部の画素において異なる曲率であってもよい。
【０１９３】
＜オンチップレンズと撮像レンズとの違い＞
上述のように、撮像素子１２１は撮像レンズを必要としない。ただし、オンチップレンズ１２１ｃは、少なくとも、図５を参照して説明したような画素内の複数のフォトダイオードを用いて入射角指向性を実現する場合には必要である。オンチップレンズ１２１ｃと撮像レンズとは、物理的作用が異なるものである。
【０１９４】
撮像レンズは、同じ方向から入射した入射光を、互いに隣接する複数の画素へ入射させるための集光機能を持つ。これに対して、オンチップレンズ１２１ｃを通る光は、対応する１画素を構成するフォトダイオード１２１ｅまたは１２１ｆの受光面のみに入射される。換言するに、オンチップレンズ１２１ｃは、画素出力単位毎に設けられ、自身に入射する被写体光を対応する画素出力単位のみに集光する。すなわち、オンチップレンズ１２１ｃは、仮想点光源から出射した拡散光を、互いに隣接する複数の画素へ入射させるための集光機能を持たない。
【０１９５】
＜被写体面と撮像素子との距離の関係＞
次に、図９を参照して、被写体面と撮像素子１２１との距離の関係について説明する。
【０１９６】
図９の上段左部で示されるように、撮像素子１２１と被写体面１３１までの被写体距離が距離ｄ１である場合、例えば、被写体面１３１上の点光源ＰＡ，ＰＢ，ＰＣを設定するとき、対応する撮像素子１２１上の位置Ｐａ，Ｐｂ，Ｐｃにおける検出信号レベルＤＡ，ＤＢ，ＤＣが、上述した式（１）乃至式（３）と同一の式で表現できるものとする。
【０１９７】
ＤＡ＝α１×ａ＋β１×ｂ＋γ１×ｃ
・・・（１）
ＤＢ＝α２×ａ＋β２×ｂ＋γ２×ｃ
・・・（２）
ＤＣ＝α３×ａ＋β３×ｂ＋γ３×ｃ
・・・（３）
【０１９８】
これに対して、図９の下段左部で示されるように、撮像素子１２１との被写体距離が距離ｄ１よりもｄだけ大きな距離ｄ２である被写体面１３１'である場合、すなわち、撮像素子１２１から見て、被写体面１３１よりも奥の被写体面１３１'の場合、検出信号レベルは、図９の上段中央部、および下段中央部で示されるように、検出信号レベルＤＡ，ＤＢ，ＤＣいずれも同様である。
【０１９９】
しかしながら、この場合被写体面１３１'上の点光源ＰＡ'，ＰＢ'，ＰＣ'からの光強度がａ'，ｂ'，ｃ'の光線が撮像素子１２１の各画素において受光される。この際、撮像素子１２１上で受光される、光強度がａ'，ｂ'，ｃ'の光線の入射角度は異なる（変化する）ので、それぞれ異なる係数セットが必要となり、各位置Ｐａ，Ｐｂ，Ｐｃにおける検出信号レベルＤＡ，ＤＢ，ＤＣは、例えば、以下の式（４）乃至式（６）で示されるように表現されることになる。
【０２００】
ＤＡ＝α１１×ａ'＋β１１×ｂ'＋γ１１×ｃ'
・・・（４）
ＤＢ＝α１２×ａ'＋β１２×ｂ'＋γ１２×ｃ'
・・・（５）
ＤＣ＝α１３×ａ'＋β１３×ｂ'＋γ１３×ｃ'
・・・（６）
【０２０１】
ここで、係数セットα１１，β１１，γ１１、係数セットα１２，β１２，γ１２、係数セットα１３，β１３，γ１３からなる係数セット群は、それぞれ被写体面１３１における係数セットα１，β１，γ１、係数セットα２，β２，γ２、係数セットα３，β３，γ３に対応する被写体面１３１'の係数セット群である。
【０２０２】
従って、式（４）乃至式（６）を、予め設定された係数セット群α１１，β１１，γ１１，α１２，β１２，γ１２，α１３，β１３，γ１３を用いて解くことで、図９の上段右部で示される被写体面１３１における場合の点光源ＰＡ，ＰＢ，ＰＣにおける光線の光強度（ａ，ｂ，ｃ）を求めた手法と同様の手法で、図９の下段右部で示されるように、点光源ＰＡ'，ＰＢ'，ＰＣ'からの光線の光強度（ａ'，ｂ'，ｃ'）として求めることが可能となり、結果として、被写体面１３１'の被写体の復元画像を求めることが可能となる。
【０２０３】
すなわち、図１の撮像装置１００においては、撮像素子１２１からの被写体面までの距離毎の係数セット群を予め記憶しておき、係数セット群を切り替えて連立方程式を構成し、構成した連立方程式を解くことで、１個の検出画像に基づいて、様々な被写体距離の被写体面の復元画像を得ることが可能となる。
【０２０４】
つまり、検出画像を１回撮像するだけで、その後の処理で、被写体面までの距離に応じて係数セット群を切り替えて、復元画像を求めるようにすることで、任意の距離の復元画像を生成することも可能である。
【０２０５】
また、画像認識や可視画像や可視画像以外の被写体の特性を得たい場合は、復元画像を得てから復元画像を基に画像認識などを行わなくとも、撮像素子の検出信号に対し、ディープラーニング等の機械学習を適用し、検出信号自体を用いて画像認識などを行うことも可能である。
【０２０６】
また、被写体距離や画角が特定できるような場合については、全ての画素を用いずに、特定された被写体距離や画角に対応した被写体面の撮像に適した入射角指向性を有する画素の検出信号からなる検出画像を用いて、復元画像を生成するようにしてもよい。このようにすることで、特定された被写体距離や画角に対応した被写体面の撮像に適した画素の検出信号を用いて復元画像を求めることができる。
【０２０７】
例えば、図１０の上段で示されるように、４辺のそれぞれの端部から幅ｄ１だけ遮光膜１２１ｂにより遮光されている画素１２１ａと、図１０の下段で示されるように、４辺のそれぞれの端部から幅ｄ２（＞ｄ１）だけ遮光膜１２１ｂにより遮光されている画素１２１ａ'とを考える。
【０２０８】
画素１２１ａは、例えば、図１１の上段で示されるような、被写体となる人物Ｈ１０１の全体を含む画角ＳＱ１に対応する、図１０の画像Ｉ１を復元するために用いられる。これに対して、画素１２１ａ'は、例えば、図１１の上段で示されるような、被写体となる人物Ｈ１０１の顔の周辺がズームアップされた画角ＳＱ２に対応する、図１０の画像Ｉ２を復元するために用いられる。
【０２０９】
これは、図１０の画素１２１ａが、図１２の左部で示されるように、撮像素子１２１に対して入射光の入射可能角度範囲Ａとなるため、被写体面１３１上において、水平方向に被写体幅Ｗ１分の入射光を受光することができるからである。
【０２１０】
これに対して、図１０の画素１２１ａ'は、図１０の画素１２１ａよりも遮光される範囲が広いため、図１２の左部で示されるように、撮像素子１２１に対して入射光の入射可能角度範囲Ｂ（＜Ａ）となるため、被写体面１３１上において、水平方向に被写体幅Ｗ２（＜Ｗ１）分の入射光を受光するからである。
【０２１１】
つまり、遮光範囲が狭い図１０の画素１２１ａは、被写体面１３１上の広い範囲を撮像するのに適した広画角画素であるのに対して、遮光範囲が広い図１０の画素１２１ａ'は、被写体面１３１上の狭い範囲を撮像するのに適した狭画角画素である。尚、ここでいう広画角画素および狭画角画素は、図１０の画素１２１ａ，１２１ａ'の両者を比較する表現であって、その他の画角の画素を比較する上ではこの限りではない。
【０２１２】
尚、図１２は、撮像素子１２１の中心位置Ｃ１に対する、被写体面１３１上の位置と、それぞれの位置からの入射光の入射角度との関係を示している。また、図１２においては、被写体面１３１上の位置と、被写体面１３１上のそれぞれの位置からの入射光の入射角度との水平方向に対する関係が示されているが、垂直方向についても同様の関係となる。さらに、図１２の右部には、図１０における画素１２１ａ，１２１ａ'が示されている。
【０２１３】
このような構成により、図１１の下段で示されるように、撮像素子１２１における、点線で囲まれた範囲ＺＡに図１０の画素１２１ａを、一点鎖線で囲まれた範囲ＺＢに図１０の画素１２１ａ'を、それぞれ所定画素数ずつ集めて構成する場合、被写体幅Ｗ１に対応する画角ＳＱ１の画像を復元しようとするときには、画角ＳＱ１を撮像する図１０の画素１２１ａを用いるようにすることで、適切に被写体面１３１の被写体幅Ｗ１の画像を復元することができる。
【０２１４】
同様に、被写体幅Ｗ２に対応する画角ＳＱ２の画像を復元しようとするときには、画角ＳＱ２を撮像する図１０の画素１２１ａ'の検出信号レベルを用いるようにすることで、適切に被写体幅Ｗ２の画像を復元することができる。
【０２１５】
尚、図１１の下段においては、図中の左側に画素１２１ａ'が所定画素数だけ設けられ、右側に画素１２１ａが所定画素数だけ設けられた構成として示されているが、これは説明を簡単にするための例として示されたものであり、画素１２１ａと画素１２１ａ'とは、ランダムに混在して配置されることが望ましい。
【０２１６】
このように、画角ＳＱ２は、画角ＳＱ１よりも画角が狭いので、画角ＳＱ２と画角ＳＱ１の画像を同一の所定画素数で復元する場合、画角ＳＱ１の画像よりも、より狭い画角となる画角ＳＱ２の画像を復元する方が、より高画質な復元画像を得ることができる。
【０２１７】
つまり、同一画素数を用いて復元画像を得ることを考えた場合、より画角の狭い画像を復元する方が、より高画質な復元画像を得ることができる。
【０２１８】
尚、画角の広い画像を復元画像として得る場合、広画角画素の全画素を用いるようにしてもよいし、広画角画素の一部を用いるようにしてもよい。また、画角の狭い画像を復元画像として得る場合、狭画角画素の全画素を用いるようにしてもよいし、狭画角画素の一部を用いるようにしてもよい。
【０２１９】
以上のような撮像素子１２１を用いることにより、結果として、撮像レンズ、回折格子等からなる光学素子や、ピンホールなどが不要となるため（撮像レンズフリーとなるので）、装置の設計の自由度を高めることが可能になると共に、入射光の入射方向に対する装置の小型化を実現することが可能となり、製造コストを低減することが可能となる。また、フォーカスレンズなどのような、光学像を結像させるための撮像レンズに相当するレンズも不要となる。
【０２２０】
さらに、撮像素子１２１を用いることにより、検出画像を取得するのみで、その後において、被写体距離や画角に応じた係数セット群を選択的に用いて構成した連立方程式を解いて復元画像を求めることで、様々な被写体距離や画角の復元画像を生成することが可能となる。
【０２２１】
さらに、撮像素子１２１は、画素単位で入射角指向性を持つことができるので、回折格子からなる光学フィルタと従来の撮像素子等と比較して、多画素化を実現することができ、また、高解像度で、かつ、高角度分解能の復元画像を得ることができる。一方、光学フィルタと従来の撮像素子とからなる撮像装置では、画素を微細化しても、光学フィルタの微細化が難しいため、復元画像の高解像度化等の実現が難しい。
【０２２２】
また、撮像素子１２１は、回折格子からなる光学フィルタ等を必要としないので、使用環境が高温になって光学フィルタが熱で歪むといったことがない。したがって、このような撮像素子１２１を用いることにより、環境耐性の高い装置を実現することが可能となる。
【０２２３】
＜第１の変形例＞
図３の右部においては、撮像素子１２１の各画素１２１ａにおける遮光膜１２１ｂの構成として、垂直方向に対しては全体を遮光し、かつ、水平方向に対しての遮光幅や位置を変化させることにより、水平方向の入射角指向性の違いを持たせる例を示したが、遮光膜１２１ｂの構成はこの例に限定されない。例えば、水平方向に対して全体として遮光し、垂直方向の幅（高さ）や位置を変化させるようにして、垂直方向の入射角指向性の違いを持たせるようにしてもよい。
【０２２４】
なお、図３の右部で示される例のように、垂直方向に対しては画素１２１ａ全体を遮光し、かつ、水平方向に対して所定の幅で画素１２１ａを遮光する遮光膜１２１ｂは、横帯タイプの遮光膜１２１ｂと称する。これに対して、水平方向に対しては画素１２１ａ全体を遮光し、かつ、垂直方向に対して所定の高さで画素１２１ａを遮光する遮光膜１２１ｂは、縦帯タイプの遮光膜１２１ｂと称する。
【０２２５】
また、図１３の左部に示される例のように、縦帯タイプと横帯タイプの遮光膜１２１ｂを組み合わせて、画素１２１ａをＬ字型の遮光膜１２１ｂを設けるようにしてもよい。図１３の左部において、黒色で示される部分が遮光膜１２１ｂである。つまり、遮光膜１２１ｂ−２１乃至遮光膜１２１ｂ−２４は、それぞれ、画素１２１ａ−２１乃至画素１２１ａ−２４の遮光膜である。
【０２２６】
これらの各画素（画素１２１ａ−２１乃至画素１２１ａ−２４）は、図１３の右部に示されるような入射角指向性を有することになる。図１３の右部に示されるグラフは、各画素における受光感度を示している。横軸が入射光の水平方向（ｘ方向）の入射角度θｘを表し、縦軸が入射光の垂直方向（ｙ方向）の入射角度θｙを表している。そして、範囲Ｃ４内の受光感度が、範囲Ｃ４の外よりも高く、範囲Ｃ３内の受光感度が、範囲Ｃ３の外よりも高く、範囲Ｃ２内の受光感度が、範囲Ｃ２の外よりも高く、範囲Ｃ１内の受光感度が、範囲Ｃ１の外よりも高い。
【０２２７】
従って、各画素について、範囲Ｃ１内となる、水平方向（ｘ方向）の入射角度θｘと、垂直方向（ｙ方向）の入射角度θｙとの条件を満たす入射光の検出信号レベルが最も高くなり、範囲Ｃ２内，範囲Ｃ３内，範囲Ｃ４内、および、範囲Ｃ４以外の範囲の条件の順に検出信号レベルが低くなることが示されている。このような受光感度の強度は、遮光膜１２１ｂにより遮光される範囲により決定される。
【０２２８】
また、図１３の左部において、各画素１２１ａ内のアルファベットは、カラーフィルタの色を示している（説明の便宜上記載したものであり、実際に表記されているものではない）。画素１２１ａ−２１は緑色のカラーフィルタが配置されるＧ画素であり、画素１２１ａ−２２は赤色のカラーフィルタが配置されるＲ画素であり、画素１２１ａ−２３は青色のカラーフィルタが配置されるＢ画素であり、画素１２１ａ−２４は緑色のカラーフィルタが配置されるＧ画素である。つまり、これらの画素は、ベイヤ配列を形成している。もちろん、これは一例であり、カラーフィルタの配列パターンは任意である。遮光膜１２１ｂの配置とカラーフィルタとは無関係である。例えば、一部または全部の画素において、カラーフィルタ以外のフィルタが設けられるようにしてもよいし、フィルタが設けられないようにしてもよい。
【０２２９】
図１３の左部においては、「Ｌ字型」の遮光膜１２１ｂが、画素１２１ａの図中左辺と下辺の側を遮光する例が示されているが、この「Ｌ字型」の遮光膜１２１ｂの向きは任意であり、図１３の例に限定されない。例えば、「Ｌ字型」の遮光膜１２１ｂが、画素１２１ａの図中下辺と右辺の側を遮光するようにしてもよいし、画素１２１ａの図中右辺と上辺の側を遮光するようにしてもよいし、画素１２１ａの図中上辺と左辺の側を遮光するようにしてもよい。もちろん、この遮光膜１２１ｂの向きは、画素毎に独立に設定することができる。なお、この「Ｌ字型」の遮光膜１２１ｂを「Ｌ字タイプの遮光膜１２１ｂ」とも総称する。
【０２３０】
以上においては遮光膜について説明したが、この例の説明は、画素内に配置した複数のフォトダイオードを選択的に用いることにより入射角指向性を持たせる場合にも適用することができる。つまり、例えば、分割位置（各部分領域の大きさや形状）や、各フォトダイオードの位置、大きさ、形状等を適切に設定したり、フォトダイオードを適切に選択したりすることにより、上述のＬ字タイプの遮光膜１２１ｂによる入射光指向性と同等の入射光指向性を実現することができる。
【０２３１】
＜第２の変形例＞
以上においては、横帯タイプ、縦帯タイプ、およびＬ字タイプの遮光膜について、遮光されている範囲がランダムに変化するように各画素に配置される例について説明してきたが、例えば、図１４の撮像素子１２１'で示されるように、矩形開口を設けた場合に、個々の画素において光線が受光する位置の近傍の範囲以外を遮光する遮光膜１２１ｂ（図中、黒色で示された範囲）を構成するようにしてもよい。
【０２３２】
すなわち、各画素について、矩形開口を設けた場合に、所定の被写体距離の被写体面を構成する点光源より出射される光線のうち、矩形開口を透過して受光される光線のみを受光するような入射角指向性を有するように遮光膜１２１ｂを設けるようにしてもよい。
【０２３３】
尚、図１４においては、例えば、水平方向の画素配列に対して、遮光膜１２１ｂの水平方向の幅が幅ｄｘ１，ｄｘ２，・・・ｄｘｎと変化しており、これが、ｄｘ１＜ｄｘ２＜・・・＜ｄｘｎの関係となる。同様に、垂直方向の画素配列に対して、遮光膜１２１ｂの垂直方向の高さが高さｄｙ１，ｄｙ２，・・・ｄｙｍと変化しており、これが、ｄｙ１＜ｄｙ２＜・・・＜ｄｘｍの関係となる。また、遮光膜１２１ｂの水平方向の幅、および垂直方向の幅の、それぞれの変化の間隔は、復元する被写体分解能（角度分解能）に依るものである。
【０２３４】
換言すれば、図１４の撮像素子１２１'における各画素１２１ａの構成は、水平方向および垂直方向に対して撮像素子１２１'内の画素配置に対応するように、遮光する範囲を変化させるような入射角指向性を持たせているといえる。
【０２３５】
より詳細には、図１４の各画素１２１ａの遮光範囲は、例えば、図１５の左部で示される画素１２１ａを用いて説明される規則に従って決定される。
【０２３６】
尚、図１５の右部は、図１４と同一の撮像素子１２１'の構成を示している。また、図１５の左部は、図１５（図１４と同一）の右部における撮像素子１２１'の画素１２１ａの構成を示している。
【０２３７】
図１５の左部で示されるように、画素１２１ａの上辺および下辺の端部から画素１２１ａ内に向かって、それぞれ幅ｄｘ１だけ遮光膜１２１ｂにより遮光し、左辺および右辺の端部から画素１２１ａ内に向かって、それぞれ高さｄｙ１だけ遮光膜１２１ｂにより遮光する。尚、図１５，図１６において、遮光膜１２１ｂは黒色で示された範囲である。
【０２３８】
図１５の左部において、遮光膜１２１ｂが、このように形成されることで遮光される範囲を、以降において、画素１２１ａの主遮光部Ｚ１０１（図１５左部の黒色部）と称し、それ以外の方形状の範囲を範囲Ｚ１０２と称する。
【０２３９】
画素１２１ａにおける、範囲Ｚ１０２内に、遮光膜１２１ｂにより遮光されない矩形開口部Ｚ１１１が設けられるものとする。したがって、範囲Ｚ１０２において、矩形開口部Ｚ１１１以外の範囲は、遮光膜１２１ｂにより遮光される。
【０２４０】
図１４の撮像素子１２１'内の画素配列は、図１５の右部（図１４と同一）で示されるように、左端部で、かつ、上端部の画素１２１ａ−１は、矩形開口部Ｚ１１１を、その左辺が画素１２１ａの左辺から幅ｄｘ１であって、その上辺が画素１２１ａの上辺からｄｙ１の距離に配置する構成とする。
【０２４１】
同様に、画素１２１ａ−１の右隣の画素１２１ａ−２は、矩形開口部Ｚ１１１を、その左辺が画素１２１ａの左辺から幅ｄｘ２であって、その上辺が画素１２１ａの上辺から高さｄｙ１の距離に配置して、矩形開口部Ｚ１１１以外の範囲を遮光膜１２１ｂにより遮光する構成とする。
【０２４２】
以下同様に、水平方向に隣接する画素１２１ａは、配置が図中の右側に進むにしたがって、矩形開口部Ｚ１１１の右辺が、画素１２１ａの右辺から幅ｄｘ１，ｄｘ２・・・ｄｘｎと移動する。尚、図１５の範囲Ｚ１０２における右上部の点線の方形部分が、矩形開口部Ｚ１１１を、その左辺が画素１２１ａの左辺から幅ｄｘｎであって、その上辺が画素１２１ａの上辺から高さｄｙ１の距離に配置したときの状態を示している。また、幅ｄｘ１，ｄｘ２・・・ｄｘｎのそれぞれの間隔は、範囲Ｚ１０２の水平方向の幅から矩形開口部Ｚ１１１の幅を引いた幅を水平方向の画素数ｎで割った値となる。すなわち、水平方向の画素数ｎで割ることにより水平方向の変化の間隔が決定される。
【０２４３】
また、撮像素子１２１'における画素１２１ａ内の矩形開口部Ｚ１１１の水平方向の位置は、撮像素子１２１'内における水平方向の位置が同一の画素１２１ａ（同一の列の画素１２１ａ）内において同一になる。
【０２４４】
さらに、画素１２１ａ−１の直下に隣接する画素１２１ａ−３は、矩形開口部Ｚ１１１を、その左辺が画素１２１ａの左辺から幅ｄｘ１であって、その上辺が画素１２１ａの上辺から高さｄｙ２の距離に配置して、矩形開口部Ｚ１１１以外の範囲を遮光膜１２１ｂにより遮光する構成とする。
【０２４５】
以下同様に、垂直方向に隣接する画素１２１ａは、配置が図中の下側に進むにしたがって、矩形開口部Ｚ１１１の上辺が、画素１２１ａの上辺から高さｄｙ１，ｄｙ２・・・ｄｙｎと移動する。尚、図１５の範囲Ｚ１０２における左下部の点線の方形部分が、矩形開口部Ｚ１１１を、その左辺が画素１２１ａの左辺から幅ｄｘ１であって、その上辺が画素１２１ａの上辺から高さｄｙｍの距離に配置したときの状態を示している。また、高さｄｙ１，ｄｙ２・・・ｄｙｍのそれぞれの間隔は、範囲Ｚ１０２の垂直方向の高さから矩形開口部Ｚ１１１の高さを引いた高さを垂直方向の画素数ｍで割った値となる。すなわち、垂直方向の画素数ｍで割ることにより垂直方向の変化の間隔が決定される。
【０２４６】
また、撮像素子１２１'における画素１２１ａ内の矩形開口部Ｚ１１１の垂直方向の位置は、撮像素子１２１'内における垂直方向の位置が同一の画素１２１ａ（同一の行の画素１２１ａ）内において同一になる。
【０２４７】
さらに、図１５（図１４）で示される撮像素子１２１'を構成する各画素１２１ａの主遮光部Ｚ１０１、および矩形開口部Ｚ１１１を変化させることで、画角を変化させることができる。
【０２４８】
図１６の右部は、図１５（図１４）の撮像素子１２１'に対して画角を広くする場合の撮像素子１２１'の構成を示している。また、図１６の左部は、図１６の右部における撮像素子１２１'の画素１２１ａの構成を示している。
【０２４９】
すなわち、図１６の左部で示されるように、例えば、画素１２１ａ内に、図１５における主遮光部Ｚ１０１よりも遮光範囲が狭い主遮光部Ｚ１５１（図１６左部の黒色部）を設定し、それ以外の範囲を範囲Ｚ１５２に設定する。さらに、範囲Ｚ１５２内に、矩形開口部Ｚ１１１よりも開口面積が広い矩形開口部Ｚ１６１を設定する。
【０２５０】
より詳細には、図１６の左部で示されるように、画素１２１ａの上辺および下辺の端部から画素１２１ａ内に向かって、それぞれ幅ｄｘ１'（＜ｄｘ１）だけ遮光膜１２１ｂにより遮光され、左辺および右辺の端部から画素１２１ａ内に向かって、それぞれ高さｄｙ１'（＜ｄｙ１）だけ遮光膜１２１ｂにより遮光されることで、矩形開口部Ｚ１６１が形成される。
【０２５１】
ここで、図１６の右部で示されるように、左端部で、かつ、上端部の画素１２１ａ−１は、矩形開口部Ｚ１６１を、その左辺が画素１２１ａの左辺から幅ｄｘ１'であって、その上辺が画素１２１ａの上辺から高さｄｙ１'の距離に配置して、矩形開口部Ｚ１６１以外の範囲を遮光膜１２１ｂにより遮光する構成とする。
【０２５２】
同様に、画素１２１ａ−１の右隣の画素１２１ａ−２は、矩形開口部Ｚ１６１を、その左辺が画素１２１ａの左辺から幅ｄｘ２'であって、その上辺が画素１２１ａの上辺から高さｄｙ１'に配置して、矩形開口部Ｚ１６１以外の範囲を遮光膜１２１ｂにより遮光する構成とする。
【０２５３】
以下同様に、水平方向に隣接する画素１２１ａは、配置が図中の右側に進むにしたがって、矩形開口部Ｚ１６１の右辺が、画素１２１ａの右辺から幅ｄｘ１'、ｄｘ２'・・・ｄｘｎ'と移動する。ここで、幅ｄｘ１'、ｄｘ２'・・・ｄｘｎ'のそれぞれの間隔は、範囲Ｚ１５２の水平方向の幅から矩形開口部Ｚ１６１の水平方向の幅を引いた幅を、水平方向の画素数ｎで割った値となる。すなわち、水平方向の画素数ｎで割ることにより垂直方向の変化の間隔が決定される。したがって、幅ｄｘ１'、ｄｘ２'・・・ｄｘｎ'の変化の間隔は、幅ｄｘ１、ｄｘ２・・・ｄｘｎの変化の間隔より大きくなる。
【０２５４】
また、図１６の撮像素子１２１'における画素１２１ａ内の矩形開口部Ｚ１６１の水平方向の位置は、撮像素子１２１'内における水平方向の位置が同一の画素１２１ａ（同一の列の画素１２１ａ）内において同一になる。
【０２５５】
さらに、画素１２１ａ−１の直下に隣接する画素１２１ａ−３は、矩形開口部Ｚ１６１を、その左辺が画素１２１ａの左辺から幅ｄｘ１'であって、その上辺が画素１２１ａの上辺から高さｄｙ２'に配置して、矩形開口部Ｚ１６１以外の範囲を遮光膜１２１ｂにより遮光する構成とする。
【０２５６】
以下同様に、垂直方向に隣接する画素１２１ａは、配置が図中の下側に進むにしたがって、矩形開口部Ｚ１６１の上辺が、画素１２１ａの上辺から高さｄｙ１'、ｄｙ２'・・・ｄｙｍ'と変化する。ここで、高さｄｙ１'、ｄｙ２'・・・ｄｙｍ'の変化の間隔は、範囲Ｚ１５２の垂直方向の高さから矩形開口部Ｚ１６１の高さを引いた高さを垂直方向の画素数ｍで割った値となる。すなわち、垂直方向の画素数ｍで割ることにより垂直方向の変化の間隔が決定される。したがって、高さｄｙ１'、ｄｙ２'・・・ｄｙｍ'の変化の間隔は、幅高さｄｙ１、ｄｙ２・・・ｄｙｍの変化の間隔より大きくなる。
【０２５７】
また、図１６の撮像素子１２１'における画素１２１ａ内の矩形開口部Ｚ１６１の垂直方向の位置は、撮像素子１２１'内における垂直方向の位置が同一の画素１２１ａ（同一の行の画素１２１ａ）内において同一になる。
【０２５８】
このように、主遮光部の遮光範囲と開口部の開口範囲との組み合わせを変化させることで、様々な画角の（様々な入射角指向性を持った）画素１２１ａからなる撮像素子１２１'を実現することが可能となる。
【０２５９】
さらに、同一の画角の画素１２１ａのみならず、様々な画角の画素１２１ａを組み合わせて撮像素子１２１を実現させるようにしてもよい。
【０２６０】
例えば、図１７で示されるように、点線で示される２画素×２画素からなる４画素を１個の単位Ｕとして、それぞれの単位Ｕが、広画角の画素１２１ａ−Ｗ、中画角の画素１２１ａ−Ｍ、狭画角の画素１２１ａ−Ｎ、極狭画角の画素１２１ａ−ＡＮの４画素から構成されるようにする。
【０２６１】
この場合、例えば、全画素１２１ａの画素数がXである場合、４種類の画角ごとにX/4画素ずつの検出画像を用いて復元画像を復元することが可能となる。この際、画角毎に異なる４種類の係数セットが使用されて、４種類の異なる連立方程式により、それぞれ異なる画角の復元画像が復元される。
【０２６２】
このため、復元する画角の復元画像を、復元する画角の撮像に適した画素から得られる検出画像を用いて復元することで、４種類の画角に応じた適切な復元画像を復元することが可能となる。
【０２６３】
また、４種類の画角の中間の画角や、その前後の画角の画像を、４種類の画角の画像から補間生成するようにしてもよく、様々な画角の画像をシームレスに生成することで、疑似的な光学ズームを実現するようにしてもよい。
【０２６４】
以上においては遮光膜について説明したが、この例の説明は、画素内に配置した複数のフォトダイオードを選択的に用いることにより入射角指向性を持たせる場合にも適用することができる。つまり、例えば、分割位置（各部分領域の大きさや形状）や、各フォトダイオードの位置、大きさ、形状等を適切に設定したり、フォトダイオードを適切に選択したりすることにより、上述した矩形開口を有する遮光膜１２１ｂによる入射光指向性と同等の入射光指向性を実現することができる。勿論、この場合も、様々な画角の画素１２１ａを組み合わせて撮像素子１２１を実現させることもできる。また、中間の画角や、その前後の画角の画像を、複数種類の画角の画像から補間生成するようにしてもよく、様々な画角の画像をシームレスに生成することで、疑似的な光学ズームを実現するようにしてもよい。
【０２６５】
＜第３の変形例＞
ところで、撮像素子１２１における画素１２１ａの遮光膜１２１ｂの遮光している範囲にランダム性を持たせている場合、遮光膜１２１ｂの遮光している範囲の違いの乱雑さが大きいほど、復元部１２４等による処理の負荷は大きなものとなる。そこで、画素１２１ａの遮光膜１２１ｂの遮光している範囲の違いの一部を規則的なものとして、この違いの乱雑さを低減させることで、処理負荷を低減させるようにしてもよい。
【０２６６】
例えば、縦帯タイプと横帯タイプとを組み合わせたＬ字タイプの遮光膜１２１ｂを構成するようにして、所定の列方向に対しては、同一幅の横帯タイプの遮光膜１２１ｂを組み合わせ、所定の行方向に対しては、同一の高さの縦帯タイプの遮光膜１２１ｂを組み合わせるようにする。このようにすることにより、各画素１２１ａの遮光膜１２１ｂの遮光範囲が、列方向および行方向で規則性を持たせつつ、画素単位ではランダムに異なる値に設定されるようになる。その結果、各画素１２１ａの遮光膜１２１ｂの遮光範囲の違い、すなわち、各画素の入射角指向性の違いの乱雑さを低減させ、復元部１２４等の撮像素子１２１の外部の処理負荷を低減させることができる。
【０２６７】
例えば、図１８の撮像素子１２１''の場合、範囲Ｚ１３０で示される同一列の画素については、いずれも同一の幅Ｘ０の横帯タイプの遮光膜１２１ｂが用いられ、範囲Ｚ１５０で示される同一行の画素については、同一の高さＹ０の縦帯タイプの遮光膜１２１ｂが用いられ、各行列で特定される画素１２１ａについては、これらが組み合わされたＬ字タイプの遮光膜１２１ｂが設定されている。
【０２６８】
同様に、範囲Ｚ１３０に隣接する範囲Ｚ１３１で示される同一列の画素については、いずれも同一の幅Ｘ１の横帯タイプの遮光膜１２１ｂが用いられ、範囲Ｚ１５０に隣接する範囲Ｚ１５１で示される同一行の画素については、同一の高さＹ１の縦帯タイプの遮光膜１２１ｂが用いられ、各行列で特定される画素１２１ａについては、これらが組み合わされたＬ字タイプの遮光膜１２１ｂが設定されている。
【０２６９】
さらに、範囲Ｚ１３１に隣接する範囲Ｚ１３２で示される同一列の画素については、いずれも同一の幅Ｘ２の横帯タイプの遮光膜が用いられ、範囲Ｚ１５１に隣接する範囲Ｚ１５２で示される同一行の画素については、同一の高さＹ２の縦帯タイプの遮光膜が用いられ、各行列で特定される画素１２１ａについては、これらが組み合わされたＬ字タイプの遮光膜１２１ｂが設定されている。
【０２７０】
このようにすることで、遮光膜１２１ｂの水平方向の幅および位置、並びに、垂直方向の高さおよび位置に規則性を持たせつつ、画素単位で遮光膜の範囲を異なる値に設定することができるので、入射角指向性の違いの乱雑さを抑え込むことができる。結果として、係数セットのパターンを低減させることが可能となり、後段（例えば、復元部１２４等）における演算処理の処理負荷を低減させることが可能となる。
【０２７１】
＜第４の変形例＞
画素単位の遮光膜１２１ｂの形状のバリエーションは、任意であり、上述した各例に限定されない。例えば、遮光膜１２１ｂを三角形に設定し、その範囲を異なるものとすることで異なる入射角指向性を持たせる（設定する）ようにしてもよいし、遮光膜１２１ｂを円形に設定し、その範囲を異なるものとすることで異なる入射角指向性を持たせるようにしてもよい。また、例えば、斜め方向の線状の遮光膜などでも良い。
【０２７２】
また、所定数の複数の画素からなるユニットを構成する複数の画素単位で遮光膜１２１ｂのバリエーション（パターン）を設定するようにしてもよい。この１ユニットはどのような画素により構成されるようにしてもよい。例えば、撮像素子１２１がカラーフィルタを備えるものとし、そのカラーフィルタの色配列の単位を構成する画素により構成されるようにしてもよい。また、露光時間の異なる画素を組み合わせた画素グループをユニットとするようにしてもよい。なお、ユニットを構成する各画素における遮光膜１２１ｂが遮光する範囲のパターンのランダム性が高い方が、すなわち、ユニットを構成する画素がそれぞれに異なる入射角指向性を備えている方が望ましい。
【０２７３】
また、ユニット間で遮光膜１２１ｂの配置パターンを設定するようにしてもよい。例えば、ユニット毎に、遮光膜の幅や位置を変えるようにしてもよい。さらに、異なるカテゴリで分類される複数の画素からなるユニット内やユニット間で遮光膜１２１ｂが遮光する範囲のパターンを設定するようにしてもよい。
【０２７４】
以上においては遮光膜について説明したが、この例の説明は、画素内に配置した複数のフォトダイオードを選択的に用いることにより入射角指向性を持たせる場合にも適用することができる。つまり、例えば、分割位置（各部分領域の大きさや形状）や、各フォトダイオードの位置、大きさ、形状等を適切に設定したり、フォトダイオードを適切に選択したりすることにより、上述した画素１２１ａの遮光膜１２１ｂの遮光している範囲の変化の一部を規則的なものとした場合の入射光指向性と同等の入射光指向性を実現することができる。このようにすることにより、各画素の入射角指向性の違いの乱雑さを低減させ、復元部１２２等の撮像素子１２１の外部の処理負荷を低減させることができる。
【０２７５】
以上においては遮光膜について説明したが、この例の説明は、画素内に配置した複数のフォトダイオードを選択的に用いることにより入射角指向性を持たせる場合にも適用することができる。つまり、分割位置（各部分領域の大きさや形状）や、各フォトダイオードの位置、大きさ、形状等を適切に設定したり、フォトダイオードを適切に選択したりすることにより、例えば、三角形、円形、斜め方向の線状等の、任意の形状の遮光膜による入射光指向性と同等の入射光指向性を実現することができる。
【０２７６】
また、例えば、分割位置（各部分領域の大きさや形状）の設定、各フォトダイオードの位置、大きさ、形状等の設定、およびフォトダイオードの選択等を、上述した遮光膜１２１ｂの場合と同様に、ユニット毎に設定するようにしてもよい。
【０２７７】
＜フォトダイオードの制御＞
図５を参照して上述したような画素内に配置した複数のフォトダイオードを選択的に用いる場合、複数のフォトダイオード１２１ｆのそれぞれの画素出力単位の出力画素値への寄与の有無や程度を切り替えることにより画素出力単位の出力画素値の入射角指向性を様々に変化させることができるようにしてもよい。
【０２７８】
例えば、図１９に示されるように、画素１２１ａに、フォトダイオード１２１ｆ−１１１乃至１２１ｆ−１１９の９個（縦３個×横３個）のフォトダイオード１２１ｆが配置されているとする。この場合、この画素１２１ａを、フォトダイオード１２１ｆ−１１１乃至１２１ｆ−１１９を有する画素１２１ａ−ｂとして用いるようにしてもよいし、フォトダイオード１２１ｆ−１１１、１２１ｆ−１１２、１２１ｆ−１１４、および１２１ｆ−１１５を有する画素１２１ａ−ｓとして用いるようにしてもよい。
【０２７９】
例えば、画素１２１ａを画素１２１ａ−ｂとする場合、フォトダイオード１２１ｆ−１１１乃至１２１ｆ−１１９の当該画素１２１ａの出力画素値への寄与の有無や度合いを制御することによって出力画素値の入射角指向性が制御される。これに対して、画素１２１ａを画素１２１ａ−ｓとする場合、フォトダイオード１２１ｆ−１１１、１２１ｆ−１１２、１２１ｆ−１１４、および１２１ｆ−１１５の当該画素１２１ａの出力画素値への寄与の有無や度合を制御することによって出力画素値の入射角指向性が制御される。この場合、その他のフォトダイオード１２１ｆ（フォトダイオード１２１ｆ−１１３、１２１ｆ−１１６、１２１ｆ−１１７乃至１２１ｆ−１１９）は、出力画素値に寄与しないように制御される。
【０２８０】
つまり、例えば複数の画素１２１ａ−ｂ間で出力画素値の入射角指向性が互いに異なる場合、フォトダイオード１２１ｆ−１１１乃至１２１ｆ−１１９の内の少なくともいずれか１つの出力画素値への寄与の有無や度合いが異なる。これに対して、例えば複数の画素１２１ａ−ｓ間で出力画素値の入射角指向性が互いに異なる場合、フォトダイオード１２１ｆ−１１１、１２１ｆ−１１２、１２１ｆ−１１４、および１２１ｆ−１１５の内の少なくともいずれか１つの出力画素値への寄与の有無や度合いが異なり、その他のフォトダイオード１２１ｆ−１１３、１２１ｆ−１１６、１２１ｆ−１１７乃至１２１ｆ−１１９は、これらの画素間で共通して、出力画素値に寄与しない。
【０２８１】
なお、画素１２１ａを画素１２１ａ−ｂとするか画素１２１ａ−ｓとするかは、画素毎に設定することができる。また、この設定をユニット（複数画素）毎に行うことができるようにしてもよい。
【０２８２】
また、上述したように撮像素子１２１の各画素（各画素出力単位）にはオンチップレンズが１つ形成される。つまり、画素１２１ａが図１９に示される例のような構成の場合、図２０に示されるように、そのフォトダイオード１２１ｆ−１１１乃至１２１ｆ−１１９に対して１つのオンチップレンズ１２１ｃが設けられる。したがって、図１９を参照して説明したように画素１２１ａを画素１２１ａ−ｂとする場合も、画素１２１ａ−ｓとする場合も、１画素（１画素出力単位）と１つのオンチップレンズ１２１ｃとが１対１に対応する。
【０２８３】
＜検出画像の解像度制御＞
以上においては撮像素子１２１について説明した。図１の撮像装置１００においては、以上のような撮像素子１２１を用いる。上述したように、この撮像素子１２１は、画素（画素出力単位）毎に入射角指向性を有する。例えば図２１に示されるように、遮光膜１２１ｂで画素１２１ａ（画素出力単位）の一部を遮光することによってこの入射角指向性が形成される。
【０２８４】
従来の撮像素子では、検出画像の解像度を制御することができなかった。つまり、撮像素子のすべての画素（画素出力単位）の検出信号を読み出し、読み出したすべての検出信号を用いて検出画像が生成された。そして、検出画像をどのように処理すれば解像度を変換することができるかは開示されていない。特許文献１にもそのような旨は記載も示唆もされていない。
【０２８５】
したがって、例えば、撮像画像を低解像度化するためには、検出画像を撮像画像に変換してから低解像度化を行わなければならなかった。つまり、低解像度化する場合であっても、撮像素子１２１からの検出画像の読み出しやその検出画像から撮像画像への変換（画像処理）は高解像度の状態で行わなければならなかった。そのため、不要に負荷が増大し、不要に消費電力が増大するおそれがあった。
【０２８６】
これに対して撮像装置１００は、撮像素子１２１が図２１に示されるように画素（画素出力単位）毎に入射角指向性を有しているので、画素（画素出力単位）毎に検出信号を取捨選択することができる。読み出し制御部１２２が、このような撮像素子１２１からの検出画像の読み出しを制御し、撮像素子１２１の各画素出力単位において得られる入射光の検出結果である検出信号のうち、検出画像に含める検出信号を選択するので、検出画像の解像度を制御することができる。したがって、例えば、検出画像の解像度を撮像素子１２１の解像度よりも低減させることができる。つまり、不要な消費電力の増大を抑制することができる。
【０２８７】
＜全画素モード＞
次に、この読み出し制御部１２２による制御について説明する。撮像装置１００は、図２２に示されるように、撮像素子１２１の全画素の検出信号を読み出し、すべての検出信号を検出画像とし、その検出画像を復元画像に変換することができる。このような動作モードを全画素モードと称する。
【０２８８】
図２２において、撮像素子１２１内の各四角は画素１２１ａ（画素単位出力）を示しており、撮像素子１２１内にその画素アレイの様子が模式図として示されている。なお、図２２においては、水平方向に８画素、垂直方向に６画素の画素アレイが示されているが、撮像素子１２１の画素数は任意である。本明細書では撮像素子１２１が水平方向にＷ画素、垂直方向にＨ画素の画素アレイを有するものとする。
【０２８９】
全画素モードの場合、読み出し制御部１２２は、読み出し制御信号を撮像素子１２１に供給し、撮像素子１２１の全画素から検出信号を読み出させる。つまり、解像度（Ｗ×Ｈ）の検出画像が撮像素子１２１から読み出される。図２２において画素１２１ａの斜線模様は、検出信号が読み出される画素１２１ａを示している。つまり、全画素モードの場合、撮像素子１２１の画素アレイの全画素から検出信号が読み出される。
【０２９０】
また、読み出し制御部１２２は、その読み出し制御信号を復元行列設定部１２３にも供給する。解像度（Ｗ×Ｈ）の復元画像を生成するとすると、復元行列設定部１２３は、その読み出し制御信号に従って、解像度（Ｗ×Ｈ）の検出画像と解像度（Ｗ×Ｈ）の復元画像とに対応する、縦（Ｗ×Ｈ）個×横（Ｗ×Ｈ）個の係数からなる復元行列を設定する。
【０２９１】
復元部１２４において復元画像を生成する場合、復元部１２４は、撮像素子１２１から読み出された解像度（Ｗ×Ｈ）の検出画像を取得し、復元行列設定部１２３において設定された縦（Ｗ×Ｈ）個×横（Ｗ×Ｈ）個の係数からなる復元行列を取得し、それらを用いて解像度（Ｗ×Ｈ）の復元画像を生成する。
【０２９２】
この検出画像は、撮像素子１２１において得られたものであり、図１乃至図２０を参照して上述した特徴を有する情報である。つまり、検出画像は、撮像レンズ及びピンホールのいずれも介さずに入射する入射光を受光し、その入射光の入射角によって変調された出力画素値を示す検出信号をそれぞれ１つ出力する複数の画素出力単位を備える撮像素子により被写体が撮像されて得られた、画素出力単位において得られる検出信号からなる検出画像である。
【０２９３】
そして、復元行列も、図１乃至図２０を参照して上述した復元行列であり、上述した特徴を有する。つまりこの復元行列は、検出画像から復元画像を復元する際に用いられる係数からなる行列である。復元部１２４は、このような復元行列を用いて、検出画像から復元画像を復元する。
【０２９４】
＜画素任意間引きモード＞
また、撮像装置１００は、図２３に示されるように、撮像素子１２１の任意の一部の画素の検出信号を読み出し、読み出した任意の一部の画素の検出信号を検出画像とし、その検出画像を復元画像に変換することができる。このような動作モードを画素任意間引きモードと称する。
【０２９５】
図２３においても、図２２の場合と同様に撮像素子１２１内の画素アレイが示されている。
【０２９６】
画素任意間引きモードの場合、読み出し制御部１２２は、読み出し制御信号を撮像素子１２１に供給し、撮像素子１２１の画素アレイ（複数の画素出力単位）のうち、任意の位置の一部の画素１２１ａ（画素出力単位）を選択し、その選択した画素１２１ａ（図中斜線模様の画素）から検出信号を読み出させる。読み出し制御部１２２は任意の数の画素を選択することができる。例えば、Ｔ個の画素を選択することができる。つまり、Ｔ個の検出信号からなる検出画像が撮像素子１２１から読み出される。
【０２９７】
なお、読み出し制御部１２２が、読み出し制御信号を撮像素子１２１に供給し、撮像素子１２１の画素アレイの全ての画素１２１ａから検出信号を読み出させ、読み出した検出信号のうち、任意の一部の画素から読みだされた検出信号を検出画像に含める検出信号として選択するようにしてもよい。
【０２９８】
もちろん図２３において選択されている画素１２１ａは一例であり、選択される画素１２１ａはこの例に限定されない。どの画素（の検出信号）を選択するか（どの画素から検出信号を読み出すか、または、どの画素から読み出した検出信号を選択するか）は、予め定められていてもよい。また、どの画素を選択するかの設定（画素選択設定）の候補が予め複数用意され、読み出し制御部１２２がその複数の候補の中から選択するようにしてもよい。その場合、読み出し制御部１２２が、例えば、撮像の動作モード、フレームレート、解像度設定、被写体距離、明るさ、時刻、位置、またはユーザの指示等、任意の条件に基づいてその選択を行うようにしてもよい。
【０２９９】
なお、この画素選択設定の候補は、読み出し制御部１２２内のメモリ（図示せず）や記憶部１１３等、撮像装置１００の任意の処理部等に記憶するようにしてもよい。その場合、その候補は、撮像装置１００の工場出荷時に記憶されているようにしてもよいし、工場出荷後に記憶（または更新）することができるようにしてもよい。もちろん、画素選択設定の候補が撮像装置１００の外部に用意され、読み出し制御部１２２がその外部の候補の中から選択するようにしてもよい。
【０３００】
また、読み出し制御部１２２が、どの画素（の検出信号）を選択するかを任意に設定することができるようにしてもよい。その場合、例えば、画素選択設定の初期値（初期設定）を用意し、読み出し制御部１２２が、その初期設定を任意の条件（例えば、撮像の動作モード、フレームレート、解像度設定、被写体距離、明るさ、時刻、位置、またはユーザの指示等）に基づいて更新するようにしてもよい。また、例えば、読み出し制御部１２２が、選択する画素を、任意の情報に基づいて、または、ランダムに設定するようにしてもよい。
【０３０１】
また、読み出し制御部１２２は、撮像素子１２１に供給する読み出し制御信号を復元行列設定部１２３にも供給する。解像度（Ｗ１×Ｈ１）の復元画像を生成するとすると、復元行列設定部１２３は、その読み出し制御信号に従って、Ｔ個の検出信号よりなる検出画像と解像度（Ｗ１×Ｈ１）の復元画像とに対応する、縦（Ｗ１×Ｈ１）個×横Ｔ個の係数からなる復元行列を設定する。
【０３０２】
復元部１２４において復元画像を生成する場合、復元部１２４は、撮像素子１２１または読み出し制御部１２２からＴ個の検出信号からなる検出画像を取得し、復元行列設定部１２３において設定された縦（Ｗ１×Ｈ１）個×横Ｔ個の係数からなる復元行列を取得し、それらを用いて解像度（Ｗ１×Ｈ１）の復元画像を生成する。
【０３０３】
＜画素規則性間引きモード＞
また、撮像装置１００は、図２４に示されるように、撮像素子１２１の所定の規則性を有する位置関係にある一部の画素の検出信号を読み出し、読み出した所定の規則性を有する位置関係にある一部の画素の検出信号を検出画像とし、その検出画像を復元画像に変換することができる。このような動作モードを画素規則性間引きモードと称する。
【０３０４】
図２４においても、図２２の場合と同様に撮像素子１２１内の画素アレイが示されている。
【０３０５】
画素規則性間引きモードの場合、読み出し制御部１２２は、読み出し制御信号を撮像素子１２１に供給し、撮像素子１２１の画素アレイ（複数の画素出力単位）のうち、所定の規則性を有する位置関係にある位置の一部の画素１２１ａ（画素出力単位）を選択し、その選択した画素１２１ａ（図中斜線模様の画素）から検出信号を読み出させる。読み出し制御部１２２は任意の数の画素を選択することができる。例えば、横Ｗ２個×縦Ｈ２個の画素を選択することができる。つまり、解像度（Ｗ２×Ｈ２）の検出画像が撮像素子１２１から読み出される。
【０３０６】
なお、読み出し制御部１２２が、読み出し制御信号を撮像素子１２１に供給し、撮像素子１２１の画素アレイの全ての画素１２１ａから検出信号を読み出させ、読み出した検出信号のうち、所定の規則性を有する位置関係にある一部の画素から読み出された検出信号を検出画像に含める検出信号として選択するようにしてもよい。
【０３０７】
図２４においては、１画素おきに画素１２１ａが選択されているが、この選択は一例であり、選択される画素１２１ａはこの例に限定されない。どの画素を選択するかは、画素任意間引きモードの場合と同様に、予め定められていてもよいし、読み出し制御部１２２が複数の候補の中から選択するようにしてもよいし、読み出し制御部１２２が任意に設定するようにしてもよい。
【０３０８】
また、読み出し制御部１２２は、撮像素子１２１に供給する読み出し制御信号を復元行列設定部１２３にも供給する。解像度（Ｗ２×Ｈ２）の復元画像を生成するとすると、復元行列設定部１２３は、その読み出し制御信号に従って、解像度（Ｗ２×Ｈ２）の検出画像と解像度（Ｗ２×Ｈ２）の復元画像とに対応する、縦（Ｗ２×Ｈ２）個×横（Ｗ２×Ｈ２）個の係数からなる復元行列を設定する。
【０３０９】
復元部１２４において復元画像を生成する場合、復元部１２４は、撮像素子１２１または読み出し制御部１２２から解像度（Ｗ２×Ｈ２）の検出画像を取得し、復元行列設定部１２３において設定された縦（Ｗ２×Ｈ２）個×横（Ｗ２×Ｈ２）個の係数からなる復元行列を取得し、それらを用いて解像度（Ｗ２×Ｈ２）の復元画像を生成する。
【０３１０】
＜エリア駆動モード＞
また、撮像装置１００は、図２５に示されるように、撮像素子１２１の画素アレイが形成される領域（画素領域）の、１つの部分領域内に形成される画素の検出信号を読み出し、読み出したその部分領域内の画素の検出信号を検出画像とし、その検出画像を復元画像に変換することができる。このような動作モードをエリア駆動モードと称する。
【０３１１】
図２５においても、図２２の場合と同様に撮像素子１２１内の画素アレイが示されている。
【０３１２】
エリア駆動モードの場合、読み出し制御部１２２は、読み出し制御信号を撮像素子１２１に供給し、撮像素子１２１の画素領域の１つの部分領域内に形成される画素１２１ａ（画素出力単位）を選択し、その選択した画素１２１ａ（図中斜線模様の画素）から検出信号を読み出させる。読み出し制御部１２２は任意の数の画素を選択することができる。例えば、横Ｗ３個×縦Ｈ３個の画素を選択することができる。つまり、解像度（Ｗ３×Ｈ３）の検出画像が撮像素子１２１から読み出される。
【０３１３】
なお、読み出し制御部１２２が、読み出し制御信号を撮像素子１２１に供給し、撮像素子１２１の画素アレイの全ての画素１２１ａから検出信号を読み出させ、読み出した検出信号のうち、画素領域の所定の部分領域内に形成される画素１２１ａから読み出された検出信号を検出画像に含める検出信号として選択するようにしてもよい。
【０３１４】
図２５においては、水平方向に４画素、垂直方向に３画素の合計１２画素が選択されているが、この選択は一例であり、選択される画素１２１ａはこの例に限定されない。どの画素を選択するかは、画素任意間引きモードの場合と同様に、予め定められていてもよいし、読み出し制御部１２２が複数の候補の中から選択するようにしてもよいし、読み出し制御部１２２が任意に設定するようにしてもよい。
【０３１５】
また、読み出し制御部１２２は、撮像素子１２１に供給する読み出し制御信号を復元行列設定部１２３にも供給する。解像度（Ｗ３×Ｈ３）の復元画像を生成するとすると、復元行列設定部１２３は、その読み出し制御信号に従って、解像度（Ｗ３×Ｈ３）の検出画像と解像度（Ｗ３×Ｈ３）の復元画像とに対応する、縦（Ｗ３×Ｈ３）個×横（Ｗ３×Ｈ３）個の係数からなる復元行列を設定する。
【０３１６】
復元部１２４において復元画像を生成する場合、復元部１２４は、撮像素子１２１または読み出し制御部１２２から解像度（Ｗ３×Ｈ３）の検出画像を取得し、復元行列設定部１２３において設定された縦（Ｗ３×Ｈ３）個×横（Ｗ３×Ｈ３）個の係数からなる復元行列を取得し、それらを用いて解像度（Ｗ３×Ｈ３）の復元画像を生成する。
【０３１７】
＜画素加算モード＞
また、撮像装置１００は、図２６に示されるように、撮像素子１２１の全ての画素１２１ａの検出信号を読み出し、読み出した各画素の検出信号を所定数毎に加算することができる。このような動作モードを画素加算モードと称する。
【０３１８】
図２６においても、図２２の場合と同様に撮像素子１２１内の画素アレイが示されている。
【０３１９】
画素加算モードの場合、読み出し制御部１２２は、読み出し制御信号を撮像素子１２１に供給し、撮像素子１２１の画素アレイの全ての画素１２１ａから検出信号を読み出させ、読み出した各画素の検出信号を所定数毎に加算する。加算は任意の画素数毎に行うようにすることができる。つまり、加算後の検出画像の解像度は任意である。例えば、読み出し制御部１２２は、撮像素子１２１から読み出された解像度（Ｗ×Ｈ）の検出画像を、解像度（Ｗ４×Ｈ４）の検出画像に変換することができる。
【０３２０】
図２６においては、縦２画素×横２画素ずつ検出信号が加算されている。これは一例であり、検出信号の加算の仕方（どのような関係の画素の検出信号をいくつ加算するか）は任意であり、この例に限定されない。この検出信号の加算の仕方（画素加算設定）は、予め定められていてもよい。また、画素加算設定の候補が予め複数用意され、読み出し制御部１２２がその複数の候補の中から選択するようにしてもよい。その場合、読み出し制御部１２２が、例えば、撮像の動作モード、フレームレート、解像度設定、被写体距離、明るさ、時刻、位置、またはユーザの指示等、任意の条件に基づいて選択を行うようにしてもよい。
【０３２１】
なお、画素加算設定の候補は、読み出し制御部１２２内のメモリ（図示せず）や記憶部１１３等、撮像装置１００の任意の処理部等に記憶するようにしてもよい。その場合、この画素加算設定の候補は、撮像装置１００の工場出荷時に記憶されているようにしてもよいし、工場出荷後に記憶（または更新）することができるようにしてもよい。もちろん、画素加算設定の候補が撮像装置１００の外部に用意され、読み出し制御部１２２がその外部の候補の中から選択するようにしてもよい。
【０３２２】
また、読み出し制御部１２２が、検出信号の加算の仕方を任意に設定することができるようにしてもよい。その場合、例えば、画素加算設定の初期値（初期設定）が予め用意され、読み出し制御部１２２が、その初期設定を任意の条件（例えば、撮像の動作モード、フレームレート、解像度設定、被写体距離、明るさ、時刻、位置、またはユーザの指示等）に基づいて更新するようにしてもよい。また、例えば、読み出し制御部１２２が、どの画素の検出信号を加算するかを、任意の情報に基づいて、または、ランダムに設定するようにしてもよい。
【０３２３】
また、読み出し制御部１２２は、その読み出し制御信号を復元行列設定部１２３にも供給する。解像度（Ｗ４×Ｈ４）の復元画像を生成するとすると、復元行列設定部１２３は、その読み出し制御信号に従って、解像度（Ｗ４×Ｈ４）の検出画像と解像度（Ｗ４×Ｈ４）の復元画像とに対応する、縦（Ｗ４×Ｈ４）個×横（Ｗ４×Ｈ４）個の係数からなる復元行列を設定する。
【０３２４】
復元部１２４において復元画像を生成する場合、復元部１２４は、読み出し制御部１２２により変換された解像度（Ｗ４×Ｈ４）の検出画像を取得し、復元行列設定部１２３において設定された縦（Ｗ４×Ｈ４）個×横（Ｗ４×Ｈ４）個の係数からなる復元行列を取得し、それらを用いて解像度（Ｗ４×Ｈ４）の復元画像を生成する。
【０３２５】
＜各モードの比較＞
各モードの比較例を図２７の表に示す。動作モード（読み出し方式）が全画素モードの場合、撮像装置１００は、撮像素子１２１の全ての画素の検出信号を含む検出画像を得ることができる。つまり、撮像装置１００は、他のモードよりも高解像度の復元画像を得ることができる。
【０３２６】
動作モードが画素任意間引きモードの場合、撮像装置１００は、全画素モードの場合よりも低解像度の検出画像を得ることができる。したがって、撮像素子１２１や復元画像への変換処理等の負荷を低減させることができ、消費電力の増大を抑制することができる。また、どの画素の検出信号を検出画像に含めるかを設定することができるので、撮像装置１００は、検出画像の解像度を、全画素モードの場合の検出画像の解像度以下の範囲で任意に設定する（制御する）ことができる。さらに、撮像素子１２１の一部の画素から検出信号を読み出すようにすることができるので、全画素モードの場合よりも、撮像素子１２１の撮像から検出信号の読み出しまでの動作を高速化することができる。例えば、撮像素子１２１により動画像を得る場合、その動画像のフレームレートを、全画素モードの場合よりも高くすることができる。
【０３２７】
動作モードが画素規則性間引きモードの場合、撮像装置１００は、画素任意間引きモードと同様の効果を得ることができる。なお、一般的に、画素規則性間引きモードの方が、画素任意間引きモードに比べて設計が容易である。逆に、一般的に、画素任意間引きモードの方が、画素規則性間引きモードに比べて設計の自由度が高い。
【０３２８】
動作モードがエリア駆動モードの場合、撮像装置１００は、画素任意間引きモードと同様の効果を得ることができる。なお、一般的に、エリア駆動モードの方が、画素規則性間引きモードに比べて設計が容易である。また、一般的に、画素任意間引きモードの方が、エリア駆動モードに比べて設計の自由度が高い。
【０３２９】
動作モードが画素加算モードの場合、撮像装置１００は、全画素モードの場合よりも低解像度の検出画像を得ることができる。したがって、復元画像への変換処理等の負荷を低減させることができ、消費電力の増大を抑制することができる。また、検出信号の加算の仕方を設定することができるので、撮像装置１００は、検出画像の解像度を、全画素モードの場合の検出画像の解像度以下の範囲で任意に設定する（制御する）ことができる。さらに、全画素モードの場合よりも、撮像素子１２１の撮像から検出信号の読み出しまでの動作を高速化することができる。例えば、撮像素子１２１により動画像を得る場合、その動画像のフレームレートを、全画素モードの場合よりも高くすることができる。また、このモードの場合、複数の画素の検出信号が加算されるので、他のモードの場合に比べて、検出画像のS/N比を向上させることができる。つまり、復元画像の画質の低減を抑制することができる。
【０３３０】
＜画角設定＞
なお、画素任意間引きモード、画素規則性間引きモード、エリア駆動モード、および画素加算モードの場合のように、検出画像の解像度を低減させる場合、解像度低減後の検出画像全体の入射角指向性が、解像度低減前の検出画像、すなわち、全画素モードの検出画像全体の入射角指向性と同等となるようにしてもよい。
【０３３１】
入射角指向性が同等であるとは、被写体面の同じ範囲を撮像することができるということ、すなわち、画角が同等であるということである。例えば、図２８の上側に示されるように、撮像素子１２１が画角３１３で被写体面３１１を撮像すると範囲３１２が撮像されるものとする。図中水平方向についてのみ考える場合、撮像素子１２１の各画素の入射角指向性の重心は、画角３１３の範囲に分布する。換言するに、撮像素子１２１の各画素の入射角指向性の重心の角度範囲が画角３１３となる。つまり、入射角指向性を同等とするように画素を選択する場合、各画素の入射角指向性の重心の角度範囲が、解像度低減前と後とで同等なるように画素（の検出信号）の選択が行われる。
【０３３２】
範囲３１２の目標解像度が決まると画角の分解能３１４の大きさが決まる。この分解能３１４は、言い換えると、各画素の入射角指向性の重心の角度差である。つまり、解像度を低減させると、各画素の入射角指向性の重心の角度差を大きくする必要がある。
【０３３３】
このことは、画角３１３を実現する画素数が低減することからも言える。例えば、図２８の下側に示されるように、水平方向に８種類の位置に開口部が形成された画素（画素１２１ａ−１乃至画素１２１ａ−８）によって画角３１３が実現されるとする。画素１２１ａ−１の光入射面には開口部３０１−１が形成されている。同様に、画素１２１ａ−２乃至画素１２１ａ−８の光入射面には、それぞれ、開口部３０１−２乃至開口部３０１−８が形成されている。図２８に示されるように、各画素における開口部３０１−１乃至開口部３０１−８の位置は、水平方向に左から右に向かうように互いにずれており、開口部３０１−１が画素内の最も左側に形成され、開口部３０１−８が画素内の最も右側に形成されている。ここから例えば画素１２１ａ−１、画素１２１ａ−３、画素１２１ａ−５、画素１２１ａ−７を選択するとすると、各画素の入射角指向性の重心の角度差が約２倍になり、画角３１３が略同等のまま、解像度を低減させることができる。
【０３３４】
つまり、検出画像の各画素出力単位が表す入射角指向性の重心の角度差を大きくして、画角３１３を維持するように解像度を低減させることにより、解像度を低減させる前と後とで検出画像の入射角指向性を同等とすることができる。
【０３３５】
以上においては水平方向について説明したが、垂直方向についても同様である。つまり、全ての方向について、検出画像の各画素出力単位が表す入射角指向性の重心の角度差を大きくして、画角を維持するように解像度を低減させることにより、解像度を低減させる前と後とで検出画像の入射角指向性を同等とすることができる。
【０３３６】
このようにすることにより、復元画像の画角（FOV（Field Of View））を低減させずに解像度を低減させることができる。つまり、復元画像の内容を変えずに解像度を低減させることができる。
【０３３７】
画素任意間引きモードでこのようなことを行うには、読み出し制御部１２２が、選択した画素出力単位の全体が、撮像素子１２１の全画素出力単位と同等の入射角指向性をもつように、画素出力単位を選択すればよい。
【０３３８】
画素規則性間引きモードでこのようなことを行うには、撮像素子１２１の、所定の規則性を有する位置関係にある画素出力単位群全体が、撮像素子１２１の全画素出力単位と同等の入射角指向性をもつように設計されている必要がある。読み出し制御部１２２は、そのように設計された画素出力単位群を選択すればよい。
【０３３９】
エリア駆動モードでこのようなことを行うには、撮像素子１２１の、画素領域の所定の部分領域内に形成される画素出力単位群全体が、撮像素子１２１の全画素出力単位と同等の入射角指向性をもつように設計されている必要がある。読み出し制御部１２２は、そのように設計された部分領域の画素出力単位群を選択すればよい。
【０３４０】
画素加算モードでこのようなことを行うには、撮像素子１２１の各画素出力単位が、画素出力単位の加算前後において同等の入射角指向性をもつように設計されている必要がある。そして、読み出し制御部１２２は、その設計に従った加算の仕方で各画素出力単位を加算すればよい。
【０３４１】
＜画素加算の仕方＞
なお、画素加算モードにおいて、読み出し制御部１２２が、入射角指向性が互いに類似する画素出力単位の検出信号同士を加算するようにしてもよい。
【０３４２】
加算後の検出信号に含まれる入射角指向性は、検出信号が加算される各画素出力単位の入射角指向性の加算結果となる。したがって、一般的に、加算後の検出信号に含まれる入射角指向性は、検出信号を加算する画素出力単位の入射角指向性の差が大きいほど、その指向性が弱くなる。つまり、画素単位出力間の入射角指向性の差が少なくなるため、復元性能が低減し、復元画像の主観的画質が低減するおそれがある。換言するに、検出信号を加算する画素出力単位の入射角指向性の差が小さいほど、その指向性の低減を抑制することができる。
【０３４３】
つまり、画素加算モードにおいて、読み出し制御部１２２が、入射角指向性がより類似する画素出力単位の検出信号同士を加算するようにすることにより、復元画像の主観的画質の低減を抑制することができる。
【０３４４】
換言するに、画素加算モードにおいて読み出し制御部１２２により検出信号を加算させる画素出力単位の組み合わせにおいて、互いの入射角指向性がより類似するように撮像素子１２１を設計することにより、復元画像の主観的画質の低減を抑制することができる。
【０３４５】
また、画素加算モードにおいて、読み出し制御部１２２が、互いに近接する画素出力単位同士で検出信号を加算するようにしてもよい。
【０３４６】
入射角指向性を抜きにして考えると、画素出力単位で検出される入射光の光源位置は、その画素出力単位の位置に依存する。したがって、例えば、物理的な位置が近い画素出力単位同士程、近い位置の光源からの入射光を検出することができる。つまり、同じ対象を撮像している可能性が高くなる。したがって、検出信号の加算により、複数の対象の画像が混在することを抑制することができ、復元画像の画質の低減を抑制することができる。
【０３４７】
つまり、画素加算モードにおいて、読み出し制御部１２２が、より近接する画素出力単位同士で検出信号を加算するようにすることにより、復元画像の主観的画質の低減を抑制することができる。
【０３４８】
換言するに、画素加算モードにおいて読み出し制御部１２２により検出信号を加算させる画素出力単位の組み合わせにおいて、互いがより近接するように撮像素子１２１を設計することにより、復元画像の主観的画質の低減を抑制することができる。
【０３４９】
＜モード選択＞
以上において、解像度制御の動作モードの例として、全画素モード、画素任意間引きモード、画素規則性間引きモード、エリア駆動モード、および画素加算モードを説明したが、解像度制御の動作モードは任意であり、この例に限定されない。
【０３５０】
また、読み出し制御部１２２が、複数の動作モードの中からいずれかを選択することができるようにしてもよい。例えば、上述の全画素モード、画素任意間引きモード、画素規則性間引きモード、エリア駆動モード、および画素加算モードが候補として用意され、読み出し制御部１２２は、いずれかのモードを選択して適用し、その動作モードで解像度の制御を行うようにしてもよい。
【０３５１】
このようにすることにより、撮像装置１００は、読み出し制御部１２２の解像度制御の動作モードを切り替えるだけで、より容易に、より多様な仕様の検出画像（または復元画像）を得ることができる。
【０３５２】
なお、このモード選択の根拠は任意である。例えば、撮像の動作モードに基づいて選択されるようにしてもよいし、ユーザによりモードが指定されるようにしてもよい。モードの切り替えタイミングも任意である。もちろん、候補とする動作モードは任意である。
【０３５３】
＜復元行列＞
復元行列設定部１２３は、上述のように解像度が制御された検出画像と復元画像とに対応する復元行列を設定する。この設定方法は任意である。例えば、予め定められていてもよいし、復元行列設定部１２３が複数の候補の中から選択するようにしてもよいし、復元行列設定部１２３が任意に設定するようにしてもよい。
【０３５４】
＜復元行列の設計＞
復元行列の設計方法は任意である。例えば、物理モデルに基づいて設計するようにしてもよい。撮像画像（復元画像と同一とする）は、被写体の像が結像された画素値により構成される、ユーザが目視して画像として認識できる画像である。撮像素子１２１では、この撮像画像が、各画素の入射角指向性や被写体距離等のパラメータによって検出画像に変換される。
【０３５５】
つまり、全画素モードの場合、図２９のＡに示されるように、検出画像３３１の行列を、撮像行列３３２（Ａ）と復元画像３３３の行列との積により表すことができる。ただし、この行列式において、検出画像３３１の行列は、解像度（Ｗ×Ｈ）の検出画像３３１の各列の検出信号を１列に並べ替えたものであり、縦（Ｗ×Ｈ）×横１の行列である。また、復元画像３３３の行列は、解像度（Ｗ×Ｈ）の復元画像３３３の各列の検出信号を１列に並べ替えたものであり、縦（Ｗ×Ｈ）×横１の行列である。撮像行列３３２（Ａ）は、縦（Ｗ×Ｈ）個×横（Ｗ×Ｈ）個の係数からなる。各係数の値は、撮像素子１２１の各画素の入射角指向性や被写体距離等によって決まる。
【０３５６】
換言するに、全画素モードの場合の復元処理は、図２９のＢに示されるような行列式により表すことができる。つまり、図２９のＢに示されるように、復元画像３３３の行列は、復元行列３３４と、検出画像３３１との積により表すことができる。この行列式において、検出画像３３１の行列は、縦（Ｗ×Ｈ）×横１の行列である。また、復元画像３３３の行列は、縦（Ｗ×Ｈ）×横１の行列である。復元行列３３４は、撮像行列３３２（Ａ）の逆行列（Ainv）であり、縦（Ｗ×Ｈ）個×横（Ｗ×Ｈ）個の係数からなる。
【０３５７】
以上のように、全画素モードの場合、撮像素子１２１の各画素の入射角指向性や被写体距離等に基づいて、撮像行列３３２を設計し、その逆行列を復元行列３３４としてもよい。
【０３５８】
他のモードの場合も、基本的に同様の行列式が成立するが、検出画像や復元画像の解像度が全画素モードの場合と異なるので、それに応じて撮像行列３３２や復元行列３３４の行数および列数を設定する必要がある。
【０３５９】
＜全画素モードの場合＞
全画素モードの場合についてより具体的な例を説明する。図３０のＡに示されるように、検出画像３３１が４×４画素出力単位であるものとし、図３０のＢに示されるように、復元画像３３３が４×４画素であるものとする。
【０３６０】
全画素モードの場合、図２９のＡに示される行列式において、検出画像３３１と復元画像３３３は、それぞれ、図３１に示されるように１６×１の行列で表される。したがって、撮像行列３３２は、１６×１６の行列となる。したがって、復元行列も１６×１６の行列となる。
【０３６１】
＜画素任意間引きモードの場合＞
次に画素任意間引きモードの場合について説明する。例えば、図３２のＡに示されるように、４×４画素出力単位の検出画像３３１から斜線模様の４画素出力単位を選択するものとする。また、図３２のＢに示されるように、復元画像３３３においては、４画素を均等に配置するものとする。
【０３６２】
画素任意間引きモードの場合の撮像行列は、全画素モードの撮像行列を基に設計することができる。例えば、図３１の全画素モードの行列式の各行列において、対応する係数を抽出すればよい。つまり、図３２のＡに示される検出画像３３１の斜線模様の各画素出力単位の検出信号は、図３３に示されるように、全画素モードの場合の検出画像３３１の行列の斜線模様で示される係数に相当する。また、図３２のＢに示される復元画像３３３の斜線模様の各画素の画素値は、図３３に示されるように、全画素モードの場合の復元画像３３３の行列の斜線模様で示される係数に相当する。
【０３６３】
したがって、画素任意間引きモードの場合の撮像行列３３２は、図３３に示されるように、全画素モードの場合の撮像行列の、検出画像３３１の行列の斜線模様で示される係数と、復元画像３３３の行列の斜線模様で示される係数とに対応する位置の係数（斜線模様で示される係数）に相当する。したがって、これらの係数を抽出する（選択して読み出す）ことにより、画素任意間引きモードの場合の撮像行列３３２を生成することができる。つまり、図３３の場合、４×４の撮像行列３３２が得られる。
【０３６４】
＜画素規則性間引きモードの場合＞
次に画素規則性間引きモードの場合について説明する。画素規則性間引きモードの場合も、基本的に画素任意間引きモードと同様の方法で撮像行列を設計することができる。例えば、図３４のＡに示されるように、４×４画素出力単位の検出画像３３１から等間隔に４画素出力単位（斜線模様）を選択するものとする。また、図３４のＢに示されるように、復元画像３３３においては、４画素を均等に配置するものとする。
【０３６５】
つまりこの場合も、図３１の全画素モードの行列式の各行列において、対応する係数を抽出すればよい。図３５において、検出画像３３１の行列の斜線模様で示される係数は、図３４のＡに示される検出画像３３１の斜線模様の各画素出力単位の検出信号に相当する。また、図３５において、復元画像３３３の行列の斜線模様で示される係数は、図３４のＢに示される復元画像３３３の斜線模様の各画素の画素値に相当する。画素規則性間引きモードの場合の撮像行列３３２は、図３５に示されるように、これらの係数に対応する位置の係数（斜線模様で示される係数）に相当する。したがって、これらの係数を抽出する（選択して読み出す）ことにより、画素規則性間引きモードの場合の撮像行列３３２を生成することができる。つまり、図３５の場合、４×４の撮像行列３３２が得られる。
【０３６６】
＜エリア駆動モードの場合＞
次にエリア駆動モードの場合について説明する。エリア駆動モードの場合も、基本的に画素任意間引きモードと同様の方法で撮像行列を設計することができる。例えば、図３６のＡに示されるように、４×４画素出力単位の検出画像３３１から中央の２×２画素出力単位（斜線模様）を選択するものとする。また、図３６のＢに示されるように、復元画像３３３においては、４画素を均等に配置するものとする。
【０３６７】
つまりこの場合も、図３１の全画素モードの行列式の各行列において、対応する係数を抽出すればよい。図３７において、検出画像３３１の行列の斜線模様で示される係数は、図３６のＡに示される検出画像３３１の斜線模様の各画素出力単位の検出信号に相当する。また、図３７において、復元画像３３３の行列の斜線模様で示される係数は、図３６のＢに示される復元画像３３３の斜線模様の各画素の画素値に相当する。エリア駆動モードの場合の撮像行列３３２は、図３７に示されるように、これらの係数に対応する位置の係数（斜線模様で示される係数）に相当する。したがって、これらの係数を抽出する（選択して読み出す）ことにより、エリア駆動モードの場合の撮像行列３３２を生成することができる。つまり、図３７の場合、４×４の撮像行列３３２が得られる。
【０３６８】
＜画素加算モードの場合＞
次に画素加算モードの場合について説明する。画素加算モードの場合も、基本的に画素任意間引きモードと同様の方法で撮像行列を設計することができる。例えば、図３８のＡに示されるように、４×４画素出力単位の検出画像３３１の検出信号を、２×２画素出力単位ずつ加算するものとする。この場合、図３８のＢに示されるように、復元画像３３３においても、４×４画素の画素値が２×２画素ずつ加算されたものと同等の画素値が得られる。
【０３６９】
つまりこの場合も、図３１の全画素モードの行列式の各行列において、対応する係数を抽出すればよい。図３９において、検出画像３３１の行列の右上左下の斜線模様で示される係数は、図３８のＡに示される検出画像３３１の右上左下の斜線模様の各画素出力単位の検出信号に相当する。同様に図３９の検出画像３３１の行列の左上右下の斜線模様で示される係数は、図３８のＡの検出画像３３１の左上右下の斜線模様の各画素出力単位の検出信号に相当する。また、図３９の検出画像３３１の行列の網掛け模様で示される係数は、図３８のＡの検出画像３３１の網掛け模様の各画素出力単位の検出信号に相当する。また、図３９の検出画像３３１の行列のグレーで示される係数は、図３８のＡの検出画像３３１のグレーの各画素出力単位の検出信号に相当する。
【０３７０】
復元画像３３３についても同様である。図３９において、復元画像３３３の行列の右上左下の斜線模様で示される係数は、図３８のＢに示される復元画像３３３の右上左下の斜線模様の各画素の画素値に相当する。同様に、図３９の復元画像３３３の行列の左上右下の斜線模様で示される係数は、図３８のＢの復元画像３３３の左上右下の斜線模様の各画素の画素値に相当する。また、図３９の復元画像３３３の行列の網掛け模様で示される係数は、図３８のＢの復元画像３３３の網掛け模様の各画素の画素値に相当する。また、図３９の復元画像３３３の行列のグレーで示される係数は、図３８のＢの復元画像３３３のグレーの各画素の画素値に相当する。
【０３７１】
画素加算モードの場合の撮像行列３３２は、図３９に示されるように、これらの係数に対応する位置の係数（模様や色で示される係数）に相当する。したがって、これらの係数を抽出する（例えば、同じ模様の係数同士の平均値を算出する）ことにより、画素加算モードの場合の撮像行列３３２を生成することができる。
【０３７２】
＜撮像行列の逆行列＞
上述のように、復元行列は、撮像行列の逆行列として求めることができる。つまり、図４０の右上部で示されるように、Ｎ画素×Ｎ画素の検出画像ＰｉｃからＮ×Ｎ画素の復元画像を求める場合、Ｎ×Ｎ行１列の復元画像の各画素の画素値を要素とするベクトルＸ、Ｎ×Ｎ行１列の検出画像の各画素の画素値を要素とするベクトルＹ、および、係数セットからなるＮ×Ｎ行Ｎ×Ｎ列の行列Ａにより、図４０の左部で示されるような関係が成立する。
【０３７３】
すなわち、図４０においては、係数セットからなるＮ×Ｎ行Ｎ×Ｎ列の行列Ａ（撮像行列）の各要素と、復元画像を表すＮ×Ｎ行１列のベクトルＸとを乗算した結果が、検出画像を表すＮ×Ｎ行１列のベクトルＹとなることが示されており、この関係から連立方程式が構成される。
【０３７４】
尚、図４０においては、行列Ａの範囲Ｚ２０１で示される１列目の各要素が、ベクトルＸの１行目の要素に対応しており、行列Ａの範囲Ｚ２０２で示されるＮ×Ｎ列目の各要素が、ベクトルＸのＮ×Ｎ行目の要素に対応していることを示している。
【０３７５】
換言すれば、図４０で示される行列式に基づいた連立方程式を解くことにより、ベクトルＸの各要素が求められることにより復元画像が求められる。また、ピンホールを用いた場合、および、撮像レンズ等の、同じ方向から入射した入射光を互いに隣接する画素出力単位の双方へ入射させるための集光機能を用いた場合、各画素の位置と光の入射角度の関係が一意に定まるので、行列Ａは、正方行列であって対角成分（（i,i）要素）が全て１からなり、対角成分以外が全て０からなる対角行列になる。逆に、図２の撮像素子１２１のようにピンホールおよび撮像レンズのいずれも用いない場合、各画素の位置と光の入射角度の関係は一意に定まらないので、行列Ａは対角行列にならない。
【０３７６】
ところで、一般的に、図４０の行列式は、両辺に行列Ａの逆行列Ａ−１（復元行列）を左から乗じることにより、図４１で示されるように変形され、検出画像を表すベクトルＹに逆行列Ａ−１を右から乗じることで、復元画像を表すベクトルＸの各要素が求められる。
【０３７７】
しかしながら、現実の行列Ａは、正確に求められない、正確に測定できない、行列Ａの基底ベクトルが線形従属に近いケースで解けない、および、検出画像の各要素にノイズが含まれるといった理由のいずれか、または組み合わせで、連立方程式を解くことができないことがある。
【０３７８】
そこで、様々な誤差に対してロバストな構成を考え、正則化最小二乗法の概念を用いた、以下の式（７）をとる。
【０３７９】
【数１】
2019078340.tif 000003
・・・（７）
【０３８０】
ここで、式（７）にｘの上部に「＾」が付されたものは、ベクトルＸを、Ａは、行列Ａを、Ｙは、ベクトルＹを、γはパラメータを、||Ａ||はL2ノルム（二乗和平方根）を表している。ここで、第一項は、図４０の両辺の差異を最小にするときのノルムであり、第二項は正則化項である。
【０３８１】
この式（７）をｘについて解くと、以下の式（８）で表現される。
【０３８２】
【数２】
2019078340.tif 000004
・・・（８）
【０３８３】
しかしながら、例えば図３１に示されるように、撮像行列Ａは膨大なサイズであるので、計算時間や計算に大容量のメモリが必要になる。
【０３８４】
そこで、例えば、図４２で示されるように、行列Ａを、Ｎ行Ｎ列の行列ＡＬと、Ｎ行Ｎ列の行列ＡＲＴとに分解し、それぞれ復元画像を表すＮ行Ｎ列の行列Ｘの前段と後段とから掛けた結果が、検出画像を表すＮ行Ｎ列の行列Ｙとなるようにすることを考える。これにより、要素数（Ｎ×Ｎ）×（Ｎ×Ｎ）の行列Ａに対して、要素数が（Ｎ×Ｎ）の行列ＡＬ、ＡＲＴとなるので、要素数を１／（Ｎ×Ｎ）に小さくすることができる。結果として、要素数が（Ｎ×Ｎ）からなる２個の行列ＡＬ，ＡＲＴを用いるだけで済むので、計算量とメモリの容量を低減させることができる。
【０３８５】
ここで、ＡＴは、行列Ａの転置行列であり、γはパラメータであり、Ｉは、単位行列である。式（８）におけるカッコ内の行列を行列ＡＬとし、行列Ａの転置行列の逆行列を行列ＡＲＴとすることで。図４２で示される行列式を実現する。
【０３８６】
このように図４２で示されるような計算は、図４３で示されるように、行列Ｘにおける注目要素Ｘｐに対しては、行列ＡＬの対応する列の各要素群Ｚ２２１を乗算することで、要素群Ｚ２２２が求められる。さらに、要素群Ｚ２２２と行列ＡＲＴの注目要素Ｘｐに対応する行の要素とを乗算することで、注目要素Ｘｐに対応する２次元応答Ｚ２２４が求められる。そして、行列Ｘの全要素に対応する２次元応答Ｚ２２４が積算されることで行列Ｙが求められる。
【０３８７】
そこで、行列ＡＬの各行に対応する要素群Ｚ２２１には、図１８で示される撮像素子１２１の列毎に同一の幅に設定される横帯タイプの画素１２１ａの入射角指向性に対応する係数セットを持たせる。
【０３８８】
同様に、行列ＡＲＴの各行の要素群Ｚ２２３には、図１８で示される撮像素子１２１の行毎に設定される同一の高さに設定される縦帯タイプの画素１２１ａの入射角指向性に対応する係数セットを持たせる。
【０３８９】
この結果、検出画像に基づいて、復元画像を復元する際に使用する行列を小さくさせることが可能となるので、計算量が低減することで、処理速度を向上させ、計算に係る電力消費を低減させることが可能となる。また、行列を小さくできるので、計算に使用するメモリの容量を低減させることが可能となり、装置コストを低減させることが可能となる。
【０３９０】
尚、図１８の例においては、水平方向、および垂直方向に所定の規則性を持たせつつ、画素単位で遮光される範囲（受光できる範囲）を変化させる例が示されているが、本開示の技術においては、このように画素単位で遮光される範囲（受光できる範囲）が、完全にランダムに設定されてはいないものの、ある程度ランダムに設定されるものについても、ランダムに設定されるものとみなす。換言すれば、本開示においては、画素単位で遮光される範囲（受光できる範囲）が完全にランダムに設定される場合のみならず、ある程度ランダムなもの（例えば、全画素のうち、一部については規則性を持たせた範囲を含むが、その他の範囲はランダムである場合）、または、ある程度規則性がなさそうなもの（全画素のうち、図１８を参照して説明したような規則に従って配置されていることが確認できない配置の場合）についてもランダムであるものとみなす。
【０３９１】
以上においては遮光膜について説明したが、この例の説明は、画素内に配置した複数のフォトダイオードを選択的に用いることにより入射角指向性を持たせる場合にも適用することができる。つまり、例えば、分割位置（各部分領域の大きさや形状）や、各フォトダイオードの位置、大きさ、形状等を適切に設定したり、フォトダイオードを適切に選択したりすることにより、上述した画素１２１ａの遮光膜１２１ｂの遮光している範囲の変化の一部を規則的なものとした場合の入射光指向性と同等の入射光指向性を実現することができる。このようにすることにより、各画素の入射角指向性の違いの乱雑さを低減させ、復元部１２２等の撮像素子１２１の外部の処理負荷を低減させることができる。
【０３９２】
＜撮像処理の流れ＞
以上のような撮像装置１００により実行される撮像処理の流れの例を、図４４のフローチャートを参照して説明する。
【０３９３】
撮像処理が開始されると、ステップＳ１０１において、読み出し制御部１２２は、撮像素子１２１の、検出信号を読み出す画素を設定する。読み出し制御部１２２は、例えば、上述の動作モードを選択することにより、検出信号を読み出す画素を設定する。
【０３９４】
ステップＳ１０２において、撮像素子１２１は、被写体を撮像する。
【０３９５】
ステップＳ１０３において、読み出し制御部１２２は、ステップＳ１０１において設定した画素から、ステップＳ１０２の撮像により得られた検出信号（検出画像）を読み出す。
【０３９６】
ステップＳ１０４において、復元行列設定部１２３は、ステップＳ１０１において設定された画素に対応する復元行列を設定する。
【０３９７】
ステップＳ１０５において、復元部１２４または関連付け部１２５は、ステップＳ１０３において読み出された検出画像と、ステップＳ１０４において設定された復元行列とを用いて、出力データを生成する。
【０３９８】
例えば、復元部１２４は、復元係数を用いて検出画像を復元画像に変換する。復元部１２４は、この復元画像のデータを出力データとする。また、例えば、関連付け部１２５は、検出画像のデータに復元係数のデータを関連付けて、出力データとする。
【０３９９】
ステップＳ１０７において、出力データが出力される。この出力には、任意の手法が含まれる。例えば、この出力には、画像の表示、他の装置へのデータ出力や印刷、記憶媒体への記憶、通信相手への送信、記録媒体１１６への記録等が含まれるようにしてもよい。
【０４００】
まず、Raw画像（同時化処理や色分離処理等（例えば、デモザイク処理等）が施された復元画像でもよい）を出力する場合について説明する。例えば、出力が「表示」の場合、復元部１２４は、Raw画像のデータ等を出力部１１２に供給する。出力部１１２は、そのRaw画像を、画像表示デバイス（例えばLCD（Liquid Crystal Display）等）に表示したり、プロジェクタから投影したりする。また、例えば、出力が「出力」の場合、復元部１２４は、Raw画像のデータ等を出力部１１２に供給する。出力部１１２は、そのRaw画像のデータ等を、外部出力端子から他の装置に出力する。さらに、例えば、出力が「記憶」の場合、復元部１２４は、Raw画像のデータ等を記憶部１１３に供給する。記憶部１１３は、そのRaw画像のデータ等を、自身が有する記憶媒体に記憶する。また、例えば、出力が「送信」の場合、復元部１２４は、Raw画像のデータ等を通信部１１４に供給する。通信部１１４は、所定の通信方式で他の装置と通信を行い、そのRaw画像のデータ等を、その通信相手に送信する。さらに、例えば、出力が「記録」の場合、復元部１２４は、Raw画像のデータ等を記録再生部１１５に供給する。記録再生部１１５は、そのRaw画像のデータ等を、自身に装着された記録媒体１１６に記録する。
【０４０１】
次に、互いに関連付けられた検出画像のデータおよび画像復元係数等を出力する場合について説明する。例えば、出力が「表示」の場合、関連付け部１２５は、互いに関連付けられた検出画像のデータおよび画像復元係数等を出力部１１２に供給する。出力部１１２は、その検出画像のデータおよび画像復元係数等に関する画像や文字などの情報を、画像表示デバイス（例えばLCD（Liquid Crystal Display）等）に表示したり、プロジェクタから投影したりする。また、例えば、出力が「出力」の場合、関連付け部１２５は、互いに関連付けられた検出画像のデータおよび画像復元係数等を出力部１１２に供給する。出力部１１２は、その互いに関連付けられた検出画像のデータおよび画像復元係数等を、外部出力端子から他の装置に出力する。さらに、例えば、出力が「記憶」の場合、関連付け部１２５は、互いに関連付けられた検出画像のデータおよび画像復元係数等を記憶部１１３に供給する。記憶部１１３は、その互いに関連付けられた検出画像のデータおよび画像復元係数等を、自身が有する記憶媒体に記憶する。また、例えば、出力が「送信」の場合、関連付け部１２５は、互いに関連付けられた検出画像のデータおよび画像復元係数等を通信部１１４に供給する。通信部１１４は、所定の通信方式で他の装置と通信を行い、その互いに関連付けられた検出画像のデータおよび画像復元係数等を、その通信相手に送信する。さらに、例えば、出力が「記録」の場合、関連付け部１２５は、互いに関連付けられた検出画像のデータおよび画像復元係数等を記録再生部１１５に供給する。記録再生部１１５は、その互いに関連付けられた検出画像のデータおよび画像復元係数等を、自身に装着された記録媒体１１６に記録する。
【０４０２】
出力データが出力されると、撮像処理が終了する。以上のように撮像処理を行うことにより、検出画像の解像度を制御することができる。
【０４０３】
＜カラー画像＞
本技術は、カラー画像にも適用することができる。その場合、図４５に示されるように、色成分毎に上述の場合と同様の処理を行うようにすればよい。つまり、検出画像が色成分毎に読み出され、復元行列が色成分毎に算出され、それらを用いて復元画像が色成分毎に生成されるようにする。その場合、例えば、RGB結合部４０１を設け、そのRGB結合部４０１により、色成分毎の復元画像が結合され、カラー画像の復元画像が得られるようにしてもよい。
【０４０４】
＜２．第２の実施の形態＞
＜画像処理装置＞
本技術は、上述の撮像装置１００以外の任意の装置に適用することができる。例えば、本技術は、画像処理装置５００に適用することができる。図４６は、本技術を適用した画像処理装置の一実施の形態である画像処理装置の主な構成例を示す図である。図４６に示される画像処理装置５００は、入力された検出画像の解像度を制御する装置である。
【０４０５】
図４６に示されるように、画像処理装置５００は、制御部５０１、入力部５１１、出力部５１２、記憶部５１３、通信部５１４、および記録再生部５１５を有する。また画像処理装置５００は、バッファ５２１、読み出し制御部５２２、復元行列設定部５２３、復元部５２４、関連付け部５２５、およびセンサ部５２６を有する。各処理部等は、バス５１０を介して互いに接続され、互いに情報や命令等を授受することができる。
【０４０６】
なお、バッファ５２１および読み出し制御部５２２は、一体化して解像度処理部５２０としてもよい。解像度処理部５２０は、どのような物理的構成により実現されるようにしてもよい。例えば、解像度処理部５２０が、システムLSI等としてのプロセッサとして実現されるようにしてもよい。また、解像度処理部５２０が、例えば複数のプロセッサ等を用いるモジュール、複数のモジュール等を用いるユニット、または、ユニットにさらにその他の機能を付加したセット等（すなわち、装置の一部の構成）として実現されるようにしてもよい。また、解像度処理部５２０を装置として実現するようにしてもよい。
【０４０７】
制御部５０１は、画像処理装置５００内の各処理部等の制御に関する処理を行うように構成される。例えば、制御部５０１は、CPU、ROM、RAM等を有し、そのCPU等を用いてプログラムを実行することにより、上述の処理を行う。
【０４０８】
入力部５１１は、情報の入力に関する処理を行うように構成される。例えば、入力部５１１は、操作ボタン、ダイヤル、スイッチ、タッチパネル、リモートコントローラ、センサ等の入力デバイスや外部入力端子を有する。例えば、入力部５１１は、それらの入力デバイスによってユーザ等の外部からの指示（入力された操作に対応する情報）を受け付ける。また、例えば、入力部５１１は、外部入力端子を介して、外部の装置から供給される任意の情報（プログラム、コマンド、データ等）を取得する。また、例えば、入力部５１１は、その受け付けた情報（取得した情報）を、バス５１０を介して他の処理部等に供給する。
【０４０９】
なお、入力部５１１が有するセンサは、例えば加速度センサ等、ユーザ等の外部からの指示を受け付けることができるものであれば、どのようなものであってもよい。また、入力部５１１が有する入力デバイスは任意であり、その数も任意である。入力部５１１が複数種類の入力デバイスを有するようにしてもよい。例えば、入力部５１１が、上述した例の一部を有するようにしてもよいし、全部を有するようにしてもよい。また、入力部５１１が、上述した例以外の入力デバイスを有するようにしてもよい。さらに、例えば、入力部５１１が、バス５１０を介して供給される自身（入力デバイス等）の制御情報を取得し、その制御情報に基づいて駆動するようにしてもよい。
【０４１０】
出力部５１２は、情報の出力に関する処理を行うように構成される。例えば、出力部５１２は、モニタ等の画像表示デバイス、プロジェクタ等の画像投影デバイス、スピーカ等の音声出力デバイス、外部出力端子等を有する。例えば、出力部５１２は、それらの出力デバイス等を用いて、バス５１０を介して他の処理部等から供給される情報を出力する。例えば、出力部５１２は、撮像画像（後述する復元画像）をモニタに表示したり、撮像画像（後述する復元画像）をプロジェクタから投影したり、音声（例えば入力操作や処理結果等に対応する音声）を出力したり、任意の情報（プログラム、コマンド、データ等）を外部（他の機器）に出力したりする。
【０４１１】
なお、出力部５１２が有する出力デバイス等は任意であり、その数も任意である。出力部５１２が複数種類の出力デバイス等を有するようにしてもよい。例えば、出力部５１２が、上述した例の一部を有するようにしてもよいし、全部を有するようにしてもよい。また、出力部５１２が、上述した例以外の出力デバイス等を有するようにしてもよい。さらに、例えば、出力部５１２が、バス５１０を介して供給される自身（出力デバイス等）の制御情報を取得し、その制御情報に基づいて駆動するようにしてもよい。
【０４１２】
記憶部５１３は、情報の記憶に関する処理を行うように構成される。例えば、記憶部５１３は、ハードディスクや半導体メモリ等のような、任意の記憶媒体を有する。例えば、記憶部５１３は、バス５１０を介して他の処理部等から供給される情報（プログラム、コマンド、データ等）をその記憶媒体に記憶する。また、記憶部５１３は、出荷時において任意の情報（プログラム、コマンド、データ等）を記憶しているようにしてもよい。また、記憶部５１３は、任意のタイミングにおいて、または、他の処理部等からの要求に応じて、その記憶媒体に記憶されている情報を読み出し、読み出した情報を、バス５１０を介して他の処理部等に供給する。
【０４１３】
なお、記憶部５１３が有する記憶媒体は任意であり、その数も任意である。記憶部５１３が複数種類の記憶媒体を有するようにしてもよい。例えば、記憶部５１３が、上述した記憶媒体の例の一部を有するようにしてもよいし、全部を有するようにしてもよい。また、記憶部５１３が、上述した例以外の記憶媒体等を有するようにしてもよい。また、例えば、記憶部５１３が、バス５１０を介して供給される自身の制御情報を取得し、その制御情報に基づいて駆動するようにしてもよい。
【０４１４】
通信部５１４は、他の装置との通信に関する処理を行うように構成される。例えば、通信部５１４は、所定の通信媒体（例えばインターネット等の任意のネットワーク）を介して外部の装置とプログラムやデータ等の情報を授受する通信を行う通信デバイスを有する。例えば、通信部５１４は、他の装置と通信を行い、バス５１０を介して他の処理部等より供給される情報（プログラム、コマンド、データ等）を、その通信相手である他の装置に供給する。また、例えば、通信部５１４は、他の装置と通信を行い、その通信相手である他の装置から供給される情報を取得し、その情報を、バス５１０を介して他の処理部等に供給する。
【０４１５】
通信部５１４が有する通信デバイスはどのようなものであってもよい。例えば、ネットワークインタフェースであってもよい。通信方法や通信規格は任意である。例えば、通信部５１４が、有線通信を行うことができるようにしてもよいし、無線通信を行うことができるようにしてもよいし、その両方を行うことができるようにしてもよい。また、例えば、通信部５１４が、バス５１０を介して供給される自身（通信デバイス等）の制御情報を取得し、その制御情報に基づいて駆動するようにしてもよい。
【０４１６】
記録再生部５１５は、自身に装着された記録媒体５１６を利用した情報の記録や再生に関する処理を行うように構成される。例えば、記録再生部５１５は、自身に装着された記録媒体５１６に記録されている情報（プログラム、コマンド、データ等）を読み出し、その情報を、バス５１０を介して他の処理部等に供給する。また、例えば、記録再生部５１５は、バス５１０を介して他の処理部等から供給される情報を取得し、その情報を、自身に装着された記録媒体５１６に書き込む（記録する）。なお、例えば、記録再生部５１５が、バス５１０を介して供給される自身の制御情報を取得し、その制御情報に基づいて駆動するようにしてもよい。
【０４１７】
なお、記録媒体５１６は、どのようなものであってもよい。例えば、磁気ディスク、光ディスク、光磁気ディスク、半導体メモリなどであってもよい。
【０４１８】
バッファ５２１は、所定の記憶領域を有する。例えば、バッファ５２１は、読み出し制御部５２２の制御に従って駆動する。例えば、バッファ５２１は、外部から入力される検出画像（すなわち、他の装置等において撮像された検出画像）のデータをその記憶領域に記憶する。
【０４１９】
この検出画像は、他の装置の、上述した撮像素子１２１と同様の撮像素子において得られたものであり、図１乃至図２０を参照して上述した特徴を有する情報である。つまり、検出画像は、撮像レンズ及びピンホールのいずれも介さずに入射する入射光を受光し、その入射光の入射角によって変調された出力画素値を示す検出信号をそれぞれ１つ出力する複数の画素出力単位を備える撮像素子により被写体が撮像されて得られた、画素出力単位において得られる検出信号からなる検出画像である。
【０４２０】
また、バッファ５２１は、記憶している検出画像のデータ等を読み出し、バス５１０を介して他の処理部等に供給する。
【０４２１】
読み出し制御部５２２は、バッファ５２１からのデータの読み出し制御に関する処理を行い、検出画像の解像度を制御するように構成される。例えば、読み出し制御部５２２は、バッファ５２１からの検出画像の読み出しを制御し、その検出画像に含まれる検出信号の一部を間引くことにより、その検出画像の解像度を制御する。
【０４２２】
例えば、読み出し制御部５２２は、バッファ５２１に記憶されている検出画像の全ての画素出力単位の検出信号を選択して読み出すことにより、それらの全ての検出信号からなる検出画像、すなわち「バッファ５２１から読み出した検出画像」を得ることができる。
【０４２３】
また、例えば、読み出し制御部５２２は、バッファ５２１に記憶されている検出画像の一部の画素出力単位の検出信号を選択して読み出すことにより、それらの全ての検出信号からなる検出画像、すなわち、「バッファ５２１から読み出して解像度を低減させた検出画像」を得ることができる。
【０４２４】
例えば、読み出し制御部５２２は、バッファ５２１に記憶されている検出画像の任意の一部の画素出力単位の検出信号を選択して読み出すことにより、それらの全ての検出信号からなる検出画像、すなわち、「バッファ５２１から読み出して解像度を低減させた検出画像」を得ることができる。また、例えば、読み出し制御部５２２は、バッファ５２１に記憶されている検出画像の全ての画素出力単位の検出信号を選択して読み出し、その検出信号のうち、任意の位置の一部の画素出力単位の検出信号からなる検出画像を生成するようにしてもよい。
【０４２５】
例えば、読み出し制御部５２２は、バッファ５２１に記憶されている検出画像の所定の規則性を有する位置関係にある一部の画素出力単位の検出信号を選択して読み出すことにより、それらの全ての検出信号からなる検出画像、すなわち、「バッファ５２１から読み出して解像度を低減させた検出画像」を得ることができる。また、例えば、読み出し制御部５２２は、バッファ５２１に記憶されている検出画像の全ての画素出力単位の検出信号を選択して読み出し、その検出信号のうち、所定の規則性を有する位置関係にある一部の画素出力単位の検出信号からなる検出画像を生成するようにしてもよい。
【０４２６】
例えば、読み出し制御部５２２は、バッファ５２１に記憶されている検出画像の１つの部分領域内に形成される一部の画素出力単位の検出信号を選択して読み出すことにより、それらの全ての検出信号からなる検出画像、すなわち、「バッファ５２１から読み出して解像度を低減させた検出画像」を得ることができる。また、例えば、読み出し制御部５２２は、バッファ５２１に記憶されている検出画像の全ての画素出力単位の検出信号を選択して読み出し、その検出信号のうち、検出画像の１つの部分領域内に形成される一部の画素出力単位の検出信号からなる検出画像を生成するようにしてもよい。
【０４２７】
例えば、読み出し制御部５２２は、バッファ５２１に記憶されている検出画像の全ての画素出力単位から検出信号を読み出し、読み出した各画素出力単位の検出信号を所定数毎に加算し、加算後の検出信号群を「バッファ５２１から読み出して解像度を低減させた検出画像」としてもよい。
【０４２８】
検出画像に採用する検出信号を選択するということは、言い換えると、不採用の検出信号を選択するということでもある。つまり、読み出し制御部５２２は、検出信号を取捨選択することにより、検出画像の解像度を制御する。例えば、読み出し制御部５２２は、バッファ５２１から検出信号を間引いて読み出させたり、バッファ５２１から読み出された検出信号を間引いたり、バッファ５２１から読み出された検出信号を所定数毎に加算したりして、検出画像の解像度を制御する。
【０４２９】
読み出し制御部５２２において検出画像に含まれる検出信号の間引きや加算を行う場合、読み出し制御部５２２は、処理後の検出画像に関するデータ（検出信号等）を、バス５１０を介して他の処理部等（例えば、復元行列設定部５２３、復元部５２４、関連付け部５２５等）に供給する。
【０４３０】
復元行列設定部５２３は、復元行列の設定に関する処理を行うように構成される。検出画像は所定の演算を行うことにより復元画像に変換することができる。この所定の演算は、詳細については後述するが、検出画像に含まれる各検出信号に所定の係数を乗算して互いに加算することである。つまり、所定の行列演算を行うことにより、検出画像を復元画像に変換することができる。本明細書において、この行列演算に用いられる、上述の係数からなる行列を復元行列と称する。
【０４３１】
復元行列設定部５２３は、例えば、読み出し制御部５２２により解像度が制御された検出画像に対応する復元行列を設定する。この復元行列は、図１乃至図２０を参照して上述した復元行列であり、上述した特徴を有する。つまりこの復元行列は、検出画像から復元画像を復元する際に用いられる係数からなる行列である。復元行列設定部５２３は、例えば、設定した復元行列を、バス５１０を介して他の処理部等（例えば、復元部５２４や関連付け部５２５等）に供給する。
【０４３２】
なお、検出画像を復元画像に変換する所定の行列演算において、検出画像を任意の解像度の復元画像に変換するようにしてもよい。その場合、復元行列設定部５２３が、検出画像の解像度と目標とする復元画像の解像度とに応じた行数および列数の復元行列を設定するようにすればよい。
【０４３３】
なお、例えば復元行列設定部５２３が、バス５１０を介して供給される自身の制御情報を取得し、その制御情報に基づいて駆動するようにしてもよい。
【０４３４】
復元部５２４は、復元画像の生成に関する処理を行うように構成される。例えば、復元部５２４は、所定の演算を行うことにより、バッファ５２１から読み出された検出画像に関するデータ（検出信号等）から復元画像を生成する。また、復元部５２４は、生成した復元画像に関するデータ（画素値等）を、バス５１０を介して他の処理部等に供給する。
【０４３５】
なお、バッファ５２１に複数の色成分が混在する検出画像が記憶され、復元部５２４が、その検出画像に対して所定の演算を行うことにより、複数の色成分が混在するRaw画像が得られるようにしてもよい。そして、復元部５２４が、その複数の色成分が混在するRaw画像を復元画像として他の処理部等に供給するようにしてもよいし、そのRaw画像に対して同時化処理や色分離処理等（例えば、デモザイク処理等）を行い、その処理が施された画像を復元画像として他の処理部等に供給するようにしてもよい。もちろん、バッファ５２１にモノクロの検出画像や、色毎の検出画像が得られ、同時化処理や色分離処理等（例えば、デモザイク処理等）が不要であるようにしてもよい。
【０４３６】
また、復元部５２４が、復元画像に対して、例えばガンマ補正（γ補正）やホワイトバランス調整等の任意の画像処理を施し、画像処理後の復元画像に関するデータを他の処理部等に供給するようにしてもよい。さらに、復元部５２４が、復元画像のデータのフォーマットを変換したり、例えばJPEG、GIF等の所定の圧縮方式で圧縮したりし、その変換（圧縮）後のデータを他の処理部等に供給するようにしてもよい。
【０４３７】
なお、例えば復元部５２４が、バス５１０を介して供給される自身の制御情報を取得し、その制御情報に基づいて駆動するようにしてもよい。
【０４３８】
＜画像処理の流れ＞
この場合の画像処理装置５００により実行される画像処理の流れの例を、図４７のフローチャートを参照して説明する。
【０４３９】
画像処理が開始されると、ステップＳ５０１において、読み出し制御部５２２は、バッファ５２１に記憶されている検出画像の、検出信号を読み出す画素出力単位を設定する。読み出し制御部５２２は、例えば、上述の動作モードを選択することにより、検出信号を読み出す画素を設定する。
【０４４０】
ステップＳ５０２において、バッファ５２１は、検出画像とその検出画像に対応する復元行列を記憶する。
【０４４１】
ステップＳ５０３において、読み出し制御部５２２は、ステップＳ５０１において設定された画素の検出信号をバッファ５２１から読み出す。
【０４４２】
ステップＳ５０４において、復元行列設定部５２３は、バッファ５２１に記憶されている検出画像に対応する復元行列を、ステップＳ５０１において設定された画素に対応するように更新する。
【０４４３】
ステップＳ５０５において、復元部５２４または関連付け部５２５は、ステップＳ５０３において読み出された検出画像と、ステップＳ５０４において設定された復元行列とを用いて、出力データを生成する。
【０４４４】
例えば、復元部５２４は、復元係数を用いて検出画像を復元画像に変換する。復元部５２４は、この復元画像のデータを出力データとする。また、例えば、関連付け部５２５は、検出画像のデータに復元係数のデータを関連付けて、出力データとする。
【０４４５】
ステップＳ５０６において、出力データが出力される。この出力には、任意の手法が含まれる。例えば、この出力には、画像の表示、他の装置へのデータ出力や印刷、記憶媒体への記憶、通信相手への送信、記録媒体１１６への記録等が含まれるようにしてもよい。
【０４４６】
まず、Raw画像（同時化処理や色分離処理等（例えば、デモザイク処理等）が施された復元画像でもよい）を出力する場合について説明する。例えば、出力が「表示」の場合、復元部５２４は、Raw画像のデータ等を出力部５１２に供給する。出力部５１２は、そのRaw画像を、画像表示デバイス（例えばLCD等）に表示したり、プロジェクタから投影したりする。また、例えば、出力が「出力」の場合、復元部５２４は、Raw画像のデータ等を出力部５１２に供給する。出力部５１２は、そのRaw画像のデータ等を、外部出力端子から他の装置に出力する。さらに、例えば、出力が「記憶」の場合、復元部５２４は、Raw画像のデータ等を記憶部５１３に供給する。記憶部５１３は、そのRaw画像のデータ等を、自身が有する記憶媒体に記憶する。また、例えば、出力が「送信」の場合、復元部５２４は、Raw画像のデータ等を通信部５１４に供給する。通信部５１４は、所定の通信方式で他の装置と通信を行い、そのRaw画像のデータ等を、その通信相手に送信する。さらに、例えば、出力が「記録」の場合、復元部５２４は、Raw画像のデータ等を記録再生部５１５に供給する。記録再生部５１５は、そのRaw画像のデータ等を、自身に装着された記録媒体５１６に記録する。
【０４４７】
次に、互いに関連付けられた検出画像のデータおよび画像復元係数等を出力する場合について説明する。例えば、出力が「表示」の場合、関連付け部５２５は、互いに関連付けられた検出画像のデータおよび画像復元係数等を出力部５１２に供給する。出力部５１２は、その検出画像のデータおよび画像復元係数等に関する画像や文字などの情報を、画像表示デバイス（例えばLCD等）に表示したり、プロジェクタから投影したりする。また、例えば、出力が「出力」の場合、関連付け部５２５は、互いに関連付けられた検出画像のデータおよび画像復元係数等を出力部５１２に供給する。出力部５１２は、その互いに関連付けられた検出画像のデータおよび画像復元係数等を、外部出力端子から他の装置に出力する。さらに、例えば、出力が「記憶」の場合、関連付け部５２５は、互いに関連付けられた検出画像のデータおよび画像復元係数等を記憶部５１３に供給する。記憶部５１３は、その互いに関連付けられた検出画像のデータおよび画像復元係数等を、自身が有する記憶媒体に記憶する。また、例えば、出力が「送信」の場合、関連付け部５２５は、互いに関連付けられた検出画像のデータおよび画像復元係数等を通信部５１４に供給する。通信部５１４は、所定の通信方式で他の装置と通信を行い、その互いに関連付けられた検出画像のデータおよび画像復元係数等を、その通信相手に送信する。さらに、例えば、出力が「記録」の場合、関連付け部５２５は、互いに関連付けられた検出画像のデータおよび画像復元係数等を記録再生部５１５に供給する。記録再生部５１５は、その互いに関連付けられた検出画像のデータおよび画像復元係数等を、自身に装着された記録媒体５１６に記録する。
【０４４８】
出力データが出力されると、画像処理が終了する。以上のように画像処理を行うことにより、検出画像の解像度を制御することができる。
【０４４９】
＜３．第３の実施の形態＞
＜撮像素子の他の構成例＞
以上においては撮像素子１２１の例について説明したが、撮像素子１２１は、撮像レンズ及びピンホールのいずれも介さずに入射する入射光を受光し、その入射光の入射角によって変調された出力画素値を示す検出信号をそれぞれ１つ出力する複数の画素出力単位を備えていればよく、その構成は任意である。
【０４５０】
例えば、変調素子としてランダムな白黒パターンマスクまたは光干渉マスクを用いて、撮像素子１２１の撮像面に入射される光を白黒パターンまたは光の干渉に応じて変調してもよい。
【０４５１】
図４８は、撮像素子の他の構成を示している。撮像素子６２１は、撮像素子６２２の撮像面ＩＰに対して所定間隔を有するように変調素子であるマスク６２３が撮像素子６２２に固定されており、被写体面ＯＰからの光は、マスク６２３で変調されたのち撮像素子６２２の撮像面ＩＰに入射するように構成されている。
【０４５２】
図４９は、白黒パターンマスクを用いた場合を示している。図４９のＡは、白黒パターンマスクを例示している。白黒パターンマスク６２３BWは、光を透過する白パターン部と光を遮光する黒パターン部をランダムに配置した構成であり、パターンサイズは撮像素子６２２の画素サイズと独立に設定されている。図４９のＢは点光源ＰＡから出射された光と点光源ＰＢから出射された光について、撮像面ＩＰに対する照射状態を模式的に示している。また、図４９のＢには、白黒パターンマスク６２３BWを用いた場合の撮像素子の応答の例も、点光源ＰＡから出射された光と点光源ＰＢから出射された光について個々に模式的に示している。被写体面ＯＰからの光は、白黒パターンマスク６２３BWで変調されたのち撮像素子６２２の撮像面ＩＰに入射する。したがって、被写体面ＯＰの点光源ＰＡから出射された光に対応する撮像素子の応答はＳｂｗaとなる。また、被写体面ＯＰの点光源ＰＢから出射された光に対応する撮像素子の応答はＳｂｗbとなる。したがって、撮像素子６２２から出力される画素出力情報は、画素出力単位毎に各点光源の応答を合成した１画像の情報となる。この構成の場合、画素出力単位毎に独立して入射角指向性を設定することができず、近い位置の画素出力単位においては互いに近い入射角指向性を有することになる。
【０４５３】
図５０は、光干渉マスクを用いた場合を示している。図５０のＡに示すように、被写体面ＯＰの点光源ＰＡ，ＰＢから出射された光は、光干渉マスク６２３LFを介して撮像素子６２２の撮像面ＩＰに照射される。光干渉マスク６２３LFの例えば光入射面には、図５０のＡに示すように光の波長程度の凹凸が設けられている。また、光干渉マスク６２３LFは、鉛直方向から照射された特定波長の光の透過が最大となる。被写体面ＯＰの点光源ＰＡ，ＰＢから出射された特定波長の光の光干渉マスク６２３LFに対する入射角の変化（鉛直方向に対する傾き）が大きくなると光路長が変化する。ここで、光路長が半波長の奇数倍であるときは光が弱めあい、半波長の偶数倍であるときは光が強めあう。すなわち、点光源ＰＡ，ＰＢから出射されて光干渉マスク６２３LFを透過した特定波長の透過光の強度は、図５０のＢに示すように、光干渉マスク６２３LFに対する入射角に応じて変調されて撮像素子６２２の撮像面ＩＰに入射する。したがって、撮像素子６２２の各出力画素単位から出力される画素出力情報は、光干渉マスク８２３LFを透過した各点光源の変調後の光強度を合成した情報となる。この構成の場合、画素出力単位毎に独立して入射角指向性を設定することができず、近い位置の画素出力単位においては互いに近い入射角指向性を有することになる。
【０４５４】
なお、光学フィルタ６２３ＢＷの代わりに、図５１の光学フィルタ６２３ＨＷを用いるようにしてもよい。光学フィルタ６２３ＨＷは、互いに偏光方向が等しい直線偏光素子６３１Ａと直線偏光素子６３１Ｂ、及び、１／２波長板６３２を備え、１／２波長板６３２は、直線偏光素子６３１Ａと直線偏光素子６３１Ｂの間に挟まれている。１／２波長板６３２には、光学フィルタ６２３ＢＷの黒パターン部の代わりに、斜線で示される偏光部が設けられ、白パターン部と偏光部がランダムに配置されている。
【０４５５】
直線偏光素子６３１Ａは、点光源ＰＡから出射されたほぼ無偏光の光のうち、所定の偏光方向の光成分のみを透過する。以下、直線偏光素子６３１Ａが、偏光方向が紙面に平行な光成分のみを透過するものとする。直線偏光素子６３１Ａを透過した偏光光のうち、１／２波長板６３２の偏光部を透過した偏光光は、偏光面が回転されることにより、偏光方向が紙面に垂直な方向に変化する。一方、直線偏光素子６３１Ａを透過した偏光光のうち、１／２波長板６３２の白パターン部を透過した偏光光は、偏光方向が紙面に平行な方向のまま変化しない。そして、直線偏光素子６３１Ｂは、白パターン部を透過した偏光光を透過し、偏光部を透過した偏光光をほとんど透過しない。従って、偏光部を透過した偏光光は、白パターン部を透過した偏光光より光量が減少する。これにより、光学フィルタ６２３ＢＷを用いた場合とほぼ同様の濃淡のパターンが、撮像素子６２２の受光面（撮像面）ＩＰ上に生じる。
【０４５６】
ただし、これらの構成の場合、撮像素子にマスク等の他の構成を付加する必要があるので、第１の実施の形態において説明した構成例の撮像素子１２１の方が、より小型化することができる。
【０４５７】
以上のように、本技術は、撮像素子１２１が、図４を参照して説明したような構成であってもよいし、図５を参照して説明したような構成であってもよいし、図４８や図４９を参照して説明したような構成であってもよいし、図５０を参照して説明したような構成であってもよい。つまり、撮像素子１２１は、撮像レンズ及びピンホールのいずれも介さずに入射する入射光を受光し、その入射光の入射角によって変調された出力画素値を示す検出信号をそれぞれ１つ出力する複数の画素出力単位を備えるものであればよい。
【０４５８】
また、本技術は、図４を参照して説明したような構成、または、図５を参照して説明したような構成の撮像素子１２１に適用することができるようにしてもよい。つまり、撮像素子１２１の複数の画素出力単位が、その出力画素値の、被写体からの入射光の入射角に対する指向性を示す入射角指向性を画素出力単位毎に独立に設定可能な構成を有するようにしてもよい。
【０４５９】
また、本技術は、図４を参照して説明したような構成の撮像素子に適用することができるようにしてもよい。つまり、撮像素子１２１の複数の画素出力単位が、被写体からの入射光の入射角に対する指向性を示す入射角指向性を画素出力単位毎に独立に設定可能な構成を有するようにしてもよい。
【０４６０】
また、本技術は、図５を参照して説明したような構成の撮像素子に適用することができるようにしてもよい。つまり、撮像素子１２１の複数の画素出力単位が、出力に寄与するPD（Photo Diode）を互いに異ならせることで、出力画素値の、被写体からの入射光の入射角に対する指向性を示す入射角指向性を画素出力単位毎に独立に設定し得るようにしてもよい。
【０４６１】
＜撮像装置・画像処理装置の他の構成例＞
以上において、撮像装置１００が撮像素子１２１を有するように説明したが、撮像装置１００が有する撮像素子１２１の数は任意である。撮像装置１００が単数の撮像素子１２１を有するようにしてもよいし、複数の撮像素子１２１を有するようにしてもよい。また、撮像装置１００が複数の撮像素子１２１を有する場合、その複数の撮像素子１２１の性能（例えば画素数、形状、画素構造、撮像特性、撮像方式等）が全て統一されていてもよいし、異なるものが含まれていてもよい。
【０４６２】
また、撮像装置１００が、その他の処理部を複数有するようにしてもよい。例えば、読み出し制御部１２２が複数設けられ、それぞれ、独立に検出画像の解像度を設定して読み出すようにしてもよい。このようにすることにより、例えば、複数の解像度の検出画像を並行して得ることができる。また、それに応じて復元行列設定部１２３を複数備えるようにしてもよい。
【０４６３】
また、以上において画像処理装置５００がバッファ５２１を有するように説明したが、画像処理装置５００が有するバッファ５２１の数は任意である。画像処理装置５００が単数のバッファ５２１を有するようにしてもよいし、複数のバッファ５２１を有するようにしてもよい。また、画像処理装置５００が複数のバッファ５２１を有する場合、その複数のバッファ５２１の性能（例えば、記憶媒体、容量、読み出し速度、書き込み速度等）が全て統一されていてもよいし、異なるものが含まれていてもよい。
【０４６４】
また、画像処理装置５００が、その他の処理部を複数有するようにしてもよい。例えば、読み出し制御部５２２が複数設けられ、それぞれ、独立に検出画像の解像度を設定して読み出すようにしてもよい。このようにすることにより、例えば、複数の解像度の検出画像を並行して得ることができる。また、それに応じて復元行列設定部５２３を複数備えるようにしてもよい。
【０４６５】
＜４．その他＞
＜適用例＞
本技術は、撮像機能を有する装置であればどのような装置にも適用することができる。また、本技術は、撮像機能により得られた画像を処理する装置やシステムであれば、どのような装置やシステムにも適用することができる。また、本技術は、例えば、交通、医療、防犯、農業、畜産業、鉱業、美容、工場、家電、気象、自然監視等、任意の分野に用いられる装置やシステムに適用することができる。
【０４６６】
例えば、本技術は、ディジタルカメラやカメラ機能付きの携帯機器等、鑑賞の用に供される画像を取り扱う装置やシステムに適用することができる。また、本技術は、例えば監視カメラのような、防犯、監視、観測等の用途に用いられる画像を取り扱う装置やシステムに適用することもできる。また、本技術は、例えば、人物認証、画像解析、測距等の用途に用いられる画像を取り扱う装置やシステムに適用することもできる。また、本技術は、例えば自動車やロボット等の自動運転のような、機械等の制御に用いられる画像を取り扱う装置やシステムに適用することもできる。
【０４６７】
＜ソフトウエア＞
上述した一連の処理は、ハードウエアにより実行させることもできるし、ソフトウエアにより実行させることもできる。また、一部の処理をハードウエアにより実行させ、他の処理をソフトウエアにより実行させることもできる。一連の処理をソフトウエアにより実行する場合には、そのソフトウエアを構成するプログラムがインストールされる。
【０４６８】
このプログラムは、例えば、記録媒体からインストールすることができる。例えば図１の撮像装置１００の場合、この記録媒体は、装置本体とは別に、ユーザにプログラムを配信するために配布される、プログラムが記録されている記録媒体１１６により構成される。その場合、例えば、記録媒体１１６を記録再生部１１５に装着することにより、その記録媒体１１６に記憶されているこのプログラムを読み出させ、記憶部１１３にインストールさせることができる。また、例えば図４６の画像処理装置５００の場合、この記録媒体は、装置本体とは別に、ユーザにプログラムを配信するために配布される、プログラムが記録されている記録媒体５１６により構成される。その場合、例えば、記録媒体５１６を記録再生部５１５に装着することにより、その記録媒体５１６に記憶されているこのプログラムを読み出させ、記憶部５１３にインストールさせることができる。
【０４６９】
また、このプログラムは、ローカルエリアネットワーク、インターネット、デジタル衛星放送といった、有線または無線の伝送媒体を介して提供することもできる。例えば図１の撮像装置１００の場合、プログラムは、通信部１１４で受信し、記憶部１１３にインストールすることができる。また、例えば図４６の画像処理装置５００の場合、プログラムは、通信部５１４で受信し、記憶部５１３にインストールすることができる。
【０４７０】
その他、このプログラムは、記憶部やROM等に、予めインストールしておくこともできる。例えば図１の撮像装置１００の場合、プログラムは、記憶部１１３や制御部１０１内のROM（図視せず）等に予めインストールしておくこともできる。また、例えば図４６の画像処理装置５００の場合、プログラムは、記憶部５１３や制御部５０１内のROM（図視せず）等に予めインストールしておくこともできる。
【０４７１】
＜補足＞
本技術の実施の形態は、上述した実施の形態に限定されるものではなく、本技術の要旨を逸脱しない範囲において種々の変更が可能である。
【０４７２】
例えば、本技術は、装置またはシステムを構成するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０４７３】
また、上述した各処理部は、任意の構成により実現することができる。例えば、回路、LSI、システムLSI、プロセッサ、モジュール、ユニット、セット、デバイス、装置、またはシステム等により構成されるようにしてもよい。また、それらを複数組み合わせるようにしてもよい。その際、例えば、複数の回路、複数のプロセッサ等のように同じ種類の構成を組み合わせるようにしてもよいし、回路とLSI等のように異なる種類の構成を組み合わせるようにしてもよい。
【０４７４】
なお、本明細書において、システムとは、複数の構成要素（装置、モジュール（部品）等）の集合を意味し、全ての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０４７５】
また、例えば、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。
【０４７６】
また、例えば、本技術は、１つの機能を、ネットワークを介して複数の装置で分担、共同して処理するクラウドコンピューティングの構成をとることができる。
【０４７７】
また、例えば、上述したプログラムは、任意の装置において実行することができる。その場合、その装置が、必要な機能（機能ブロック等）を有し、必要な情報を得ることができるようにすればよい。
【０４７８】
また、例えば、上述のフローチャートで説明した各ステップは、１つの装置で実行する他、複数の装置で分担して実行することができる。さらに、１つのステップに複数の処理が含まれる場合には、その１つのステップに含まれる複数の処理は、１つの装置で実行する他、複数の装置で分担して実行することができる。換言するに、１つのステップに含まれる複数の処理を、複数のステップの処理として実行することもできる。逆に、複数のステップとして説明した処理を１つのステップとしてまとめて実行することもできる。
【０４７９】
コンピュータが実行するプログラムは、プログラムを記述するステップの処理が、本明細書で説明する順序に沿って時系列に実行されるようにしても良いし、並列に、あるいは呼び出しが行われたとき等の必要なタイミングで個別に実行されるようにしても良い。つまり、矛盾が生じない限り、各ステップの処理が上述した順序と異なる順序で実行されるようにしてもよい。さらに、このプログラムを記述するステップの処理が、他のプログラムの処理と並列に実行されるようにしても良いし、他のプログラムの処理と組み合わせて実行されるようにしても良い。
【０４８０】
本明細書において複数説明した本技術は、矛盾が生じない限り、それぞれ独立に単体で実施することができる。もちろん、任意の複数の本技術を併用して実施することもできる。例えば、いずれかの実施の形態において説明した本技術の一部または全部を、他の実施の形態において説明した本技術の一部または全部と組み合わせて実施することもできる。また、上述した任意の本技術の一部または全部を、上述していない他の技術と併用して実施することもできる。
【０４８１】
本技術は以下のような構成も取ることができる。
（１）  撮像レンズ及びピンホールのいずれも介さずに入射する入射光を受光し、前記入射光の入射角によって変調された出力画素値を示す検出信号をそれぞれ１つ出力する複数の画素出力単位を備える撮像素子と、
前記撮像素子の各画素出力単位の出力画素値を選択的に読み出す読み出し制御部と
を備える撮像装置。
（２）  前記読み出し制御部は、前記撮像素子の前記複数の画素出力単位のうち、一部の画素単位出力を選択し、選択した前記画素出力単位の出力画素値を読み出す
（１）に記載の撮像装置。
（３）  前記読み出し制御部は、前記撮像素子の前記複数の画素出力単位のうち、任意の位置の一部の画素出力単位を選択する
（２）に記載の撮像装置。
（４）  前記読み出し制御部は、前記出力画素値の、被写体からの入射光の入射角に対する指向性を示す入射角指向性について、選択した画素出力単位の全体が、前記撮像素子の全画素出力単位と同等の前記入射角指向性をもつように、画素出力単位を選択する
（３）に記載の撮像装置。
（５）  前記読み出し制御部は、前記撮像素子の前記複数の画素出力単位のうち、所定の規則性を有する位置関係にある一部の画素出力単位を選択する
（２）に記載の撮像装置。
（６）  前記出力画素値の、被写体からの入射光の入射角に対する指向性を示す入射角指向性について、前記撮像素子の、前記読み出し制御部により選択される前記規則性を有する位置関係にある前記一部の画素出力単位の全体が、前記撮像素子の全画素出力単位と同等の前記入射角指向性を持つ
（５）に記載の撮像装置。
（７）  前記読み出し制御部は、前記撮像素子の前記複数の画素出力単位が形成される領域の、１つの部分領域内に形成される画素出力単位を選択する
（２）に記載の撮像装置。
（８）  前記撮像素子の、前記読み出し制御部により選択される前記部分領域内に形成される画素出力単位の全体が、前記撮像素子の全画素出力単位と同等の前記入射角指向性を持つ
（７）に記載の撮像装置。
（９）  前記読み出し制御部は、前記撮像素子の全ての画素出力単位から前記出力画素値を読み出し、読み出した出力画素値のうちの一部を選択する
（１）に記載の撮像装置。
（１０）  前記読み出し制御部は、前記撮像素子の全ての画素出力単位の出力画素値を読み出し、読み出した出力画素値を所定数毎に加算する
（１）に記載の撮像装置。
（１１）  前記読み出し制御部は、前記出力画素値の、被写体からの入射光の入射角に対する指向性を示す入射角指向性が互いに類似する画素出力単位の出力画素値同士を加算する
（１０）に記載の撮像装置。
（１２）  前記読み出し制御部は、互いに近接する画素出力単位の出力画素値同士を加算する
（１０）に記載の撮像装置。
（１３）  前記複数の画素出力単位は、前記出力画素値の、被写体からの入射光の入射角に対する指向性を示す入射角指向性を前記画素出力単位毎に独立に設定可能な構成を有する
（１）乃至（１２）のいずれかに記載の撮像装置。
（１４）  前記複数の画素出力単位は、被写体からの入射光の入射角に対する指向性を示す入射角指向性を前記画素出力単位毎に独立に設定可能な構成を有する
（１）乃至（１３）のいずれかに記載の撮像装置。
（１５）  前記複数の画素出力単位は、出力に寄与するPD（Photo Diode）を互いに異ならせることで、前記出力画素値の、被写体からの入射光の入射角に対する指向性を示す入射角指向性を前記画素出力単位毎に独立に設定し得る構成を有する
（１）乃至（１４）のいずれかに記載の撮像装置。
（１６）  撮像レンズ及びピンホールのいずれも介さずに入射する入射光を受光し、前記入射光の入射角によって変調された出力画素値を示す検出信号をそれぞれ１つ出力する複数の画素出力単位を備える撮像素子により被写体を撮像し、
前記撮像素子の各画素出力単位の出力画素値を選択的に読み出す
撮像方法。
【０４８２】
（１７）  解像度を設定する解像度設定部と、
撮像レンズ及びピンホールのいずれも介さずに入射する入射光を受光し、前記入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列を、前記解像度設定部により設定された解像度に応じて設定する復元行列設定部と
を備える画像処理装置。
（１８）  前記解像度設定部は、一部の画素出力単位の出力画素値を選択することにより、前記解像度を設定する
（１７）に記載の画像処理装置。
（１９）  前記解像度設定部は、画素出力単位の出力画素値を所定数毎に加算することにより、前記解像度を設定する
（１７）に記載の画像処理装置。
（２０）  解像度を設定し、
撮像レンズ及びピンホールのいずれも介さずに入射する入射光を受光し、前記入射光の入射角によって変調された出力画素値を示す検出信号をそれぞれ１つ出力する複数の画素出力単位を備える撮像素子の、複数の画素出力単位の出力画素値から復元画像を復元する際に用いられる係数からなる復元行列を、設定された解像度に応じて設定する
画像処理方法。
【符号の説明】
【０４８３】
１００  撮像装置，  １２０  撮像部，  １２１  撮像素子，  １２２  読み出し制御部，  １２３  復元行列設定部，  １２４  復元部，  １２５  関連付け部，  １２６  センサ部，  ５００  画像処理装置，  ５２０  解像度処理部，  ５２１  バッファ，  ５２２  読み出し制御部，  ５２３  復元行列設定部，  ５２４  復元部，  ５２５  関連付け部，  ５２６  センサ部
【図１】
2019078340.tif 000005
【図２】
2019078340.tif 000006
【図３】
2019078340.tif 000007
【図４】
2019078340.tif 000008
【図５】
2019078340.tif 000009
【図６】
2019078340.tif 000010
【図７】
2019078340.tif 000011
【図８】
2019078340.tif 000012
【図９】
2019078340.tif 000013
【図１０】
2019078340.tif 000014
【図１１】
2019078340.tif 000015
【図１２】
2019078340.tif 000016
【図１３】
2019078340.tif 000017
【図１４】
2019078340.tif 000018
【図１５】
2019078340.tif 000019
【図１６】
2019078340.tif 000020
【図１７】
2019078340.tif 000021
【図１８】
2019078340.tif 000022
【図１９】
2019078340.tif 000023
【図２０】
2019078340.tif 000024
【図２１】
2019078340.tif 000025
【図２２】
2019078340.tif 000026
【図２３】
2019078340.tif 000027
【図２４】
2019078340.tif 000028
【図２５】
2019078340.tif 000029
【図２６】
2019078340.tif 000030
【図２７】
2019078340.tif 000031
【図２８】
2019078340.tif 000032
【図２９】
2019078340.tif 000033
【図３０】
2019078340.tif 000034
【図３１】
2019078340.tif 000035
【図３２】
2019078340.tif 000036
【図３３】
2019078340.tif 000037
【図３４】
2019078340.tif 000038
【図３５】
2019078340.tif 000039
【図３６】
2019078340.tif 000040
【図３７】
2019078340.tif 000041
【図３８】
2019078340.tif 000042
【図３９】
2019078340.tif 000043
【図４０】
2019078340.tif 000044
【図４１】
2019078340.tif 000045
【図４２】
2019078340.tif 000046
【図４３】
2019078340.tif 000047
【図４４】
2019078340.tif 000048
【図４５】
2019078340.tif 000049
【図４６】
2019078340.tif 000050
【図４７】
2019078340.tif 000051
【図４８】
2019078340.tif 000052
【図４９】
2019078340.tif 000053
【図５０】
2019078340.tif 000054
【図５１】
2019078340.tif 000055
【国際調査報告】
2019078340.tif 000056
2019078340.tif 000057
2019078340.tif 000058